(57)【要約】【課題】通信装置の保持する運用情報を他の通信装置に継承させる場合、通信装置が特定の状態に遷移するまでの時間を短くすることが可能となる通信装置、通信方法及び通信プログラムを提供する。【解決手段】通信装置は、外部のメモリに通信装置の機器の運用情報を記憶させる記憶制御部と、メモリに記憶させた通信装置の機器の運用情報に基づいて自通信装置の機器を動作させる機器制御部とを備える。記憶制御部は、自通信装置が特定の状態に遷移する前における自通信装置の機器の運用情報をメモリに記憶させてもよい。機器制御部は、通信装置が特定の状態に遷移する前に他通信装置がメモリに記憶させた通信装置の機器の運用情報に基づいて、通信装置の機器を動作させてもよい。【選択図】図１８
2017143440.tif 000002
【特許請求の範囲】
【請求項１】
外部のメモリに通信装置の機器の運用情報を記憶させる記憶制御部と、
前記メモリに記憶させた前記通信装置の機器の運用情報に基づいて自通信装置の機器を動作させる機器制御部と、
を備える通信装置。
【請求項２】
前記記憶制御部は、前記自通信装置が特定の状態に遷移する前における前記自通信装置の機器の運用情報を前記メモリに記憶させ、
前記機器制御部は、前記通信装置が前記特定の状態に遷移する前に前記通信装置が前記メモリに記憶させた前記通信装置の機器の運用情報に基づいて、前記通信装置の機器を動作させる、請求項１に記載の通信装置。
【請求項３】
前記特定の状態は、波長、芯線、コア、符号、周波数若しくはサブキャリアの利用状態、前記自通信装置若しくは対向する前記通信装置の状態、マルチキャストの加入離脱若しくは配信の状態、スリープ状態又は運用系の状態のいずれかである、請求項２に記載の通信装置。
【請求項４】
通信装置が実行する通信方法であって、
外部のメモリに通信装置の機器の運用情報を記憶させるステップと、
前記メモリに記憶させた前記通信装置の機器の運用情報に基づいて自通信装置の機器を動作させるステップと、
を含む通信方法。
【請求項５】
通信装置のコンピュータに、
外部のメモリに通信装置の機器の運用情報を記憶させる手順と、
前記メモリに記憶させた前記通信装置の機器の運用情報に基づいて自通信装置の機器を動作させる手順と、
を実行させるための通信プログラム。
【発明の詳細な説明】
【技術分野】
【０００１】
本発明は、通信装置、通信方法及び通信プログラムに関する。
【背景技術】
【０００２】
ＰＯＮ（Passive Optical Network）システムは、顧客の宅内等に設置されるＯＮＵ（Optical Network Unit）（光加入者線終端装置）と、局舎に設置される通信装置であるＯＬＴ（Optical Line Terminal）（光加入者線端局装置）と、光ファイバ網とを備える（非特許文献１参照）。光ファイバ網は、複数のＯＮＵと複数のＯＬＴとを接続する場合がある。ＯＬＴを構成するＯＳＵ（Optical Subscriber Unit）又はＯＬＴの運用情報のうちのいくつかのは、ＯＳＵ又はＯＬＴでのみ保持する。そのような運用情報として、例えば、ＯＮＵスリープ、ＯＳＵ切替、波長切替、ＯＳＵに対するユーザの収容替、ＯＳＵ内でのマルチキャスト配信等のＯＳＵ又はＯＬＴで判定してＯＳＵ又はＯＬＴで使用する運用情報が挙げられる。
【先行技術文献】
【非特許文献】
【０００３】
【非特許文献１】ＩＴＵ−Ｔ  Ｇ．９８９．１
【発明の概要】
【発明が解決しようとする課題】
【０００４】
しかしながら、ＯＬＴ等の通信装置は、通信装置の保持する運用情報を、当該通信装置から吸い上げて、他の通信装置に入力・設定して継承させる場合、通信装置が特定の状態に遷移するまでの時間を短くすることができないという問題がある。
【０００５】
上記事情に鑑み、本発明は、通信装置の保持する運用情報を他の通信装置に継承させる場合、通信装置が特定の状態に遷移するまでの時間を短くすることが可能となる通信装置、通信方法及び通信プログラムを提供することを目的としている。
【課題を解決するための手段】
【０００６】
本発明の一態様は、外部のメモリに通信装置の機器の運用情報を記憶させる記憶制御部と、前記メモリに記憶させた前記通信装置の機器の運用情報に基づいて自通信装置の機器を動作させる機器制御部と、を備える通信装置である。
【０００７】
本発明の一態様は、上記の通信装置であって、記憶制御部は、前記自通信装置が特定の状態に遷移する前における前記自通信装置の機器の運用情報を前記メモリに記憶させ、
前記機器制御部は、前記通信装置が前記特定の状態に遷移する前に前記通信装置が前記メモリに記憶させた前記通信装置の機器の運用情報に基づいて、前記通信装置の機器を動作させる。
【０００８】
本発明の一態様は、上記の通信装置であって、前記特定の状態は、波長、芯線、コア、符号、周波数若しくはサブキャリアの利用状態、前記自通信装置若しくは対向する前記通信装置の状態、マルチキャストの加入離脱若しくは配信の状態、スリープ状態又は運用系の状態のいずれかである。
【０００９】
本発明の一態様は、通信装置が実行する通信方法であって、通信装置が実行する通信方法であって、外部のメモリに通信装置の機器の運用情報を記憶させるステップと、前記メモリに記憶させた前記通信装置の機器の運用情報に基づいて自通信装置の機器を動作させるステップと、を含む通信方法である。
【００１０】
本発明の一態様は、通信装置のコンピュータに、外部のメモリに通信装置の機器の運用情報を記憶させる手順と、前記メモリに記憶させた前記通信装置の機器の運用情報に基づいて自通信装置の機器を動作させる手順と、を実行させるための通信プログラムである。
【発明の効果】
【００１１】
本発明により、通信装置の保持する運用情報を他の通信装置に継承させる場合、通信装置が特定の状態に遷移するまでの時間を短くすることが可能となる。
【図面の簡単な説明】
【００１２】
【図１】実施形態における、通信システムの基本コンセプトの例を示す図である。
【図２】実施形態における運用情報配置の例と、比較例における運用情報配置とを示す図である。
【図３】実施形態における、ＯＬＴ主要機能毎のＯＮＵ運用情報の例を示す図である。
【図４】実施形態における、運用情報が欠損した場合の影響と運用情報の復旧方法を示す図である。
【図５】実施形態における、運用情報の配置に際しての制約条件を示す図である。
【図６】実施形態における、通信システムの構成の例を示す図である。
【図７】実施形態における、帯域の割り当て制限の例を示す図である。
【図８】実施形態における、光信号を発光するＯＳＵを切り替える処理の例を示す図である。
【図９】実施形態における、ＯＬＴの機能の外部実装の例を示す図である。
【図１０】実施形態における、プロテクション機能の例を示す図である。
【図１１】実施形態における、スリープ機能の例を示す図である。
【図１２】実施形態における、動的波長切替機能の例を示す図である。
【図１３】実施形態における、マルチキャスト機能の例を示す図である。
【図１４】実施形態における、通信装置のアーキテクチャの第１例を示す図である。
【図１５】実施形態における、通信装置のアーキテクチャの第２例を示す図である。
【図１６】実施形態における、通信装置のアーキテクチャの第３例を示す図である。
【図１７】実施形態における、通信装置のアーキテクチャの第４例を示す図である。
【図１８】実施形態における、通信装置及び外部サーバの構成の例を示す図である。
【図１９】実施形態における、機能部間の信号の流れを示す図である。
【図２０】実施形態における、ＰＯＮ主信号処理機能部の構成の例を示す図である。
【図２１】実施形態における、ＰＯＮアクセス制御機能部の構成の例を示す図である。
【図２２】実施形態における、Ｌ２主信号処理機能部の構成の例を示す図である。
【図２３】実施形態における、保守運用機能部の構成の第１例を示す図である。
【図２４】実施形態における、保守運用機能部の構成の第２例を示す図である。
【図２５】実施形態における、保守運用機能部の構成の第３例を示す図である。
【図２６】実施形態における、ＰＯＮマルチキャスト機能部の構成の例を示す図である。
【図２７】実施形態における、省電力制御機能部の構成の例を示す図である。
【図２８】実施形態における、周波数・時刻同期機能部の構成の例を示す図である。
【図２９】実施形態における、プロテクション機能部の構成の例を示す図である。
【図３０】実施形態における、通信装置のアーキテクチャの詳細の例を示す図である。
【図３１】実施形態における、通信装置が実行するアプリの例を示す図である。
【図３２】実施形態における、ＣＰＵパッケージの代わりにサーバ等にアプリを配置した例を示す図である。
【図３３】実施形態における、ＣＰＵ、スイッチ部（ＳＷ）及びＯＳＵの機能の例を示す図である。
【図３４】実施形態における、主要８機能のアプリの処理とＧ．９８９．３機能との対応の例を示す図である
【図３５】実施形態における、ＰＬＯＡＭ及びＯＭＣＩをＳＷ経由で取得する構成の例を示す図である。
【発明を実施するための形態】
【００１３】
本発明の実施形態について、図面を参照して詳細に説明する。
（実施形態１）
図１は、通信システム１の基本コンセプトの例を示す図である。通信システム１は、通信装置１００と、記憶装置２００とを備える。通信装置１００は、ＰＯＮ（Passive Optical Network）等の光ファイバ網を経由する光信号によって他の通信装置との通信を実行する装置である。
【００１４】
通信装置１００は、例えば、ＯＬＴである。通信装置１００は、例えば、ＯＳＵ（Optical Subscriber Unit）でもよい。通信装置１００は、例えば、光信号を切り替えるスイッチ部（ＳＷ）を備える又は備えないＯＬＴと他のスイッチ部（ＳＷ）との組み合わせでもよい。通信装置１００は、例えば、ＯＬＴとＯＮＵとの組み合わせでもよい。通信装置１００は、複数の機器を備えてもよい。図１では、通信装置１００が備える機器は、一例として、ＯＳＵパッケージ部１０１と、ＰＯＮポート部１０２とである。ＯＳＵパッケージ部１０１は１又は複数のＰＯＮポート部１０２を含んでいてもよいし、対向していてもよい。
【００１５】
以下、記憶装置２００は、通信装置１００以外（通信装置１００の外部）に設置されたサーバ（外部サーバ）に備えられる。サーバは、例えば、制御装置（ＣＴＬ）である。制御装置は、例えば、通信装置１００に備えられた機器を制御する。
【００１６】
記憶装置２００は、保持部２１０を備える。保持部２１０は、メモリ２２０を備える。メモリ２２０は、運用情報を保持する。運用情報は、通信装置１００に備えられた機器の運用に関する情報である。すなわち、運用情報は、通信装置１００に備えられた機器の状態を表す状態情報である。例えば、運用情報は、設定値、ＯＮＵのステート情報、ＥｑＤ、認証情報、フィルタ（Filter）設定情報、利用履歴（履歴情報）、課金情報、契約情報、マックアドレス等のラーニング情報であるマックテーブル（MAC Table）、帯域利用や帯域割当に関する不足カウンタ（Deficit Counter）、マルチキャストのＬｅａｖｅ／Ｊｏｉｎ等の応答で特に応答が未了のもの自体であってもよいし、それらの特定の状態であってもよい。
【００１７】
通信システム１は、ＯＳＵパッケージ部１０１又はＰＯＮポート部１０２などの機器が使用している運用情報を、保持部２１０に直接に書き込んでもよい。通信システム１は、ＯＳＵパッケージ部１０１又はＰＯＮポート部１０２などの機器が保持している運用情報を、常時又は間欠的に、通信装置１００に備えられた機器から保持部２１０に転写してもよい。
【００１８】
間欠の周期の上限は状態情報の誤差による。例えば、流量制御で１ＧＢが許容される誤差とすると、１ＧＢの流量が発生する時間間隔以下となる。逆に、間欠周期が長すぎて誤差が許容値を超過する場合は、流量自体を抑制して、誤差以下となるようにしてもよい。
【００１９】
保持部２１０に書き込まれる情報（書き込み情報）は、運用情報そのものでもよいし、運用情報に統計処理を施した結果に基づく情報でもよい。書き込み情報は、一定期間の情報を、所定期間の総和、指数平均、移動平均、所定の間隔で履歴をリセットする形の平均、及びその他の統計処理を施した結果に基づく情報でもよい。書き込み情報は、書き込みに要する通信路の帯域や帯域時間積や書き込みに要する処理のコストに応じて変更されてもよい。
【００２０】
保持部２１０への書き込み方法として、通信システム１の独自の転送経路や手段を用いてもよい。保持部２１０への書き込み方法には、オープンフロー等の未知パケットのコントローラへの転送する仕組み等の規格化された手段を用いてもよい。
【００２１】
保持部２１０で保持する運用情報は、ユーザや機器間との紐付の変更に際して情報を直接書き写してもよいし、通信装置１００から保持する運用情報を参照するポインタのみ変更してもよいし、ユーザや通信装置１００との間や通信装置間の紐付するキーのみ変更してもよい。通信装置１００からの保持部２１０への書き込みの有無を検出することで、通信装置１００が動作しているかを検出してもよい。保持部２１０の保持する運用情報を通信装置１００以外の例えばコントローラ等から書き換えることで、書き換えられた運用情報を利用する通信装置１００に対して動作の変更を指示してもよい。
【００２２】
通信装置１００−１から保持部２１０に運用情報が転写によって書き込まれた場合、保持部２１０から通信装置１００−２に運用情報を転写するための指示は、保持部２１０の運用情報を通信装置１００−２が利用するタイミングで指示されてもよい。
【００２３】
例えば、通信装置１００−１は、ユーザの通信の利用履歴（履歴情報）を示す値に応じて、そのユーザの通信の割当帯域を制限する。ユーザは、例えば、通信料の定額プランに加入している通信端末のユーザであり、通信装置１００−１の後に通信装置１００−２の通信サービスを利用するものとする。通信装置１００−１は、保持部２１０に記憶されているユーザの通信の利用履歴の値を、書き換える。これによって、通信装置１００−１を利用していたユーザの利用履歴を利用して通信サービスをユーザに提供する通信装置１００−２によって、通信量の制限を超えたユーザ（帯域超過ユーザ）の通信の割当帯域を制限させることができる。
【００２４】
例えば利用履歴の値に応じて割当帯域を制限する設定として、利用履歴の値を大きく書換えることで割当帯域制限を実効的に指示してもよい。
【００２５】
保持部２１０は、メモリ２２０が複数である場合、複数のメモリ２２０のうち保持先として選択した１個以上のメモリ２２０に、通信装置１００の機器の運用情報を振り分けてもよい。保持部２１０は、通信装置１００が複数である場合、保持先として選択した１個以上のメモリ２２０に、通信装置１００毎に運用情報を振り分けてもよい。
【００２６】
例えば、波長又はＯＳＵ又はＯＬＴ等毎のメモリと、ＯＮＵ又はユーザ又はＡｌｌｏｃ−ＩＤ等毎のメモリと備え、波長又はＯＳＵ又はＯＬＴ等に対するＯＮＵ又はユーザ又はＡｌｌｏｃ−ＩＤの収容替えに際して、波長又はＯＳＵ又はＯＬＴ等に対応するメモリに書き換えてもよいし、メモリはそのままとし波長又はＯＳＵ又はＯＬＴ等と紐付するポインタのみを変更してもよい。後者はメモリ書き換えの時間が省略できるのでより好適であるが、それに限らない。
【００２７】
図２は、実施形態１における運用情報配置の例と、比較例における運用情報配置とを示す図である。実施形態１は、特に、図２に示すＯＬＴ跨ぎのプロテクションに好適である。
異なるＯＬＴ(通信装置１００−１及び通信装置１００−２)に収容されるＯＳＵ（ＯＳＵパッケージ部１０１−１とＰＯＮポート部１０２−１の組、及び、ＯＳＵパッケージ部１０１−２とＰＯＮポート部１０２−２の組）間での冗長、記憶装置２００が管理システムに付随の場合、管理システムからＯＳＵに付与する設定情報と運用中に生成する運用情報とに基づいて、運用系ＯＳＵがＯＮＵと通信する。図３にＯＬＴ主要機能毎のＯＮＵ運用情報の例を示す。ここで、設定情報は、管理システムが通信装置（通信装置１００−１、又は、ＯＳＵパッケージ部１０１−１とＰＯＮポート部１０２−１の組）に付与する情報であり、通信装置外での保持は容易な情報である。運用情報は、運用中に通信装置内で生成し、通信装置内での運用に用いる情報であるため、比較例における通信装置では装置外では保持しない。このため、図２の左側に示す比較例における通信装置では、装置外では運用情報を保持しない装置では、プロテクションでの切替（ＯＳＵパッケージ部１０１−１とＰＯＮポート部１０２−１の組からＯＳＵパッケージ部１０１−２とＰＯＮポート部１０２−２の組への切替）に際し、運用情報の欠損が発生する。
【００２８】
図３に示す運用情報が欠損した場合の影響と運用情報の復旧方法について図４に示す。図４に示すように、外部の例えばサーバとの通信で情報を取得し、欠損した運用情報を復旧するまでの間、通信断や契約を順守したサービス提供が困難であった。本実施形態では装置外の管理システムに付随の記憶装置２００で運用情報を保持するため、運用情報の欠損が抑制でき、通信断や契約を順守したサービス提供断を抑制できる。記憶装置２００は、特に、冗長性を備えた共有装置で複数ＯＬＴの運用情報を集約して一括管理することが望ましい。共有装置での一括管理は，ＯＬＴの機能を分離、部品化する観点からも望ましい。
【００２９】
図５に運用情報の配置に際しての制約条件を示す。図５に示すように、運用情報の冗長、切替／収容替前に運用情報を複写する時間の必要性、ＯＬＴ故障時の運用情報継承の観点では配置は共有装置が望ましい。一方、共有装置とＯＬＴ間の運用情報の送受によって通信帯域を消費し、共有装置とＯＬＴが離れている場合は、運用情報の転送に時間を要する制約がある。本実施形態では、図５に示す制約を満たすように、運用情報の送受によって消費する通信帯域と、運用情報の転送に要する時間を設定することで運用情報を通信装置外に配置している。制約を満たす伝送時間としては、例えばＯＬＴ−ＯＮＵ間で応答が０．７５ミリ秒との規定のＰＬＯＡＭの応答であれば、０．７５ミリ秒等の当該処理に許容される時間から処理に要する時間を減じた時間以下のＯＳＵ−記憶装置の往復伝送時間である。伝送時間や伝送のためのフレーム化処理や記憶装置からの読出／書込み等の処理に要する時間の開始時間や処理時間に時間変動（ジッタ）がある場合は、最大のジッタの遅延を乗せた時間が処理に要する時間とすればよい。なお処理や応答に許容する時間は、標準化等で規定された値以上であっても相対する装置が許容する場合はその規定以上であってもよい。例えばＰＬＯＡＭであれば、ＯＮＵとＯＬＴで０．７５ミリ秒以上でも通信断としない等対応して動作するようにすれば、それ以上の値であってもよい。
本実施形態では、制約条件を満たすようにして、運用状態を通信装置１００の外部で保持するために、通信装置が特定の状態に遷移するまでの時間を短くすることができる。  
【００３０】
通信装置１００と記憶装置２００の保持する運用情報を合致させるため、以下としてもよい。
Ａ）通信装置１００又は記憶装置２００又はそれ以外の装置のいずれかにて運用情報を生成し、通信装置１００又は記憶装置２００又はそれ以外の装置にて生成した該運用情報を受信して通信装置１００及び記憶装置２００が運用情報を反映するに要する時間経過以降に運用情報を更新する。
Ｂ）通信装置１００又は記憶装置２００又はそれ以外の装置のいずれかにて運用情報を生成し、通信装置１００又は記憶装置２００又はそれ以外の装置にて生成した該運用情報を受信して通信装置１００及び記憶装置２００が時刻情報に基づいて時刻で同期して運用情報を更新する。
Ｃ）通信装置１００又は記憶装置２００又はそれ以外の装置のいずれかにて運用情報を生成し、通信装置１００又は記憶装置２００又はそれ以外の装置にて生成した該運用情報を受信したとの受信応答を受けて更新する。
Ｄ）通信装置１００又は記憶装置２００又はそれ以外の装置のいずれかにて運用情報を生成し、通信装置１００又は記憶装置２００又はそれ以外の装置にて生成最多該運用情報を受信した後に、切替指示で同期して更新する。
【００３１】
切替の例では１対１の切替で例示しているが、Ｎ：１，Ｎ：Ｍ（Ｎ、Ｍは１以上の整数）であってよく、その場合は予備系は、Ｎの運用系の運用情報から切替対象の運用系の運用情報を選択すればよい。
【００３２】
図６は、通信システム１の構成の例を示す図である。図６では、保持部２１０を有する記憶装置２００は、サーバに備えられる。サーバは、ＯＬＴと、スイッチ部（ＳＷ）とを制御する。サーバは、ＯＬＴ及びスイッチ部を、所定のプロトコル、例えば、ＯＰＥＮＦＬＯＷ（登録商標）技術やＮＥＴＣＯＮＦ／ＹＡＮＧやＳＮＭＰ(Simple Network Management Protocol)等の所定のプロトコル等に基づいて制御してもよい。
【００３３】
図７は、帯域の割当制限の例を示す図である。図７では、サーバは、運用情報(ＯＳＵの割当履歴又はＳＷの流量の少なくとも一方)と契約情報とを比較することによって、通信定額プランに加入している通信端末の帯域設定を変更する。図７では、ＯＳＵ１ａは、運用系ＯＳＵである。
【００３４】
図８は、ＴｙｐｅＢ切替、運用情報のサーバ保持の場合で、サーバ保持の運用情報の所定期間の非更新を契機として、光信号を発光するＯＳＵを切り替える処理の例を示す図である。図８では、保持部２１０への書き込みの有無を検出することで、ＯＳＵが動作しているか否かを検出している。それ以外のサーバからの切替の指示(強制切替の場合等)、ＬＯＳ（Loss of Signal）、ＬＯＢｉ（Loss of burst for ONUi）、ＤｙｉｎｇＧａｓｐ、ＯＳＵ電源ＯＦＦ、ＯＳＵ抜去、芯線抜去、保持部２１０に対する新規の入力があるか否かで検出してもよい。
また、ＯＮＵからの帯域要求の総和と、ＯＳＵ又はＯＬＴ又はＳＷでの流量をそれぞれ保持部で保持し、保持したそれらの値が、流量制限等の妥当な処理なしに、所定値以上の差分が発生したことを持って、切替契機の異常として検出してもよい。
【００３５】
例えば、ＯＳＵ１ａからＯＳＵ２ａへのＯＳＵ切替（サーバ保持、強制切替、コールドスタンバイ（Cold Standby））であれば、外付の装置例えばスイッチ（ＳＷ）でフレームをバッファリングして、指示後５０ミリ秒以内に予備系ＯＳＵ（Cold Standby）の起動が開始し、下りトラフィックはフレームロスなく、上りトラフィックはＯＮＵ上りバッファ量までフレームロスなく、運用系の運用情報での通信がレンジング処理なしに切替する。
【００３６】
例えば、ＯＳＵ切替（情報継承、障害、Cold Standby、予め切替に備えてＳＷでバッファリング）であれば、運用系ＯＳＵのパッケージ（ＰＫＧ、図１であればＯＳＵパッケージ部１０１やＰＯＮポート部１０２）又はファイバを抜去し、設定した切替保護時間と誤差分の＋１設定単位以内に予備系ＯＳＵ（Cold Standby）の起動が開始するので、下りトラフィックでは設定した切替保護時間＋１設定単位分を上限とするフレームロスが発生する。また、上りトラフィックでは、ＯＮＵ上りバッファ量までフレームロスが発生すること無く、ＯＳＵが切替わる。
【００３７】
例えば、ＯＳＵ切替（強制切替、ホットスタンバイ（Hot Standby））であれば、指示後５０ミリ秒以内に予備系ＯＳＵ（Cold Standby）の起動が開始し、下りトラフィックではフレームロスが発生することなく、上りトラフィックではＯＮＵ上りバッファ量までフレームロスが発生することなく、運用系の運用情報での通信がレンジング処理なしに切替わる。
【００３８】
例えば、ＯＮＵ切替（強制切替、ホットスタンバイ）であれば、指示後５０ミリ秒以内に予備系ＯＮＵで（Cold Standby）の起動が開始し、下りトラフィックではフレームロスが発生することなく、上りトラフィックでは起動するまでの時間、例えば５０ミリ秒を上限とするフレームロスが発生して、運用系ＯＳＵの運用情報の通信が開始される。
【００３９】
図９は、ＯＬＴの機能の外部実装の例を示す図である。図９では、ＯＬＴ外部のハードウェア（ＩＡサーバ、スイッチ（ＳＷ）等）にＯＬＴの機能を実装することで、既存ＯＬＴハードウェアを活用して、通信サービスに応じた機能の追加及び変更を容易にする。
【００４０】
図９の右上図は、アーキテクチャの例を示す図である。本例では、通信装置は、既存／市中品ハードウェアと外付ハードウェアからなる。例えば既存／市中品ハードウェアは機器に依存する非汎用の機器依存部１１０であり、外付ハードウェア上にハードウェアやソフトウェアの違いを隠蔽するミドルウェア部１２０と、動作が機器に依存しない汎用の機器無依存アプリ部１３０とを備える。したがって、図のミドルウェア以下の機器依存部（ベンダ依存部）は、通信装置の機器が準拠する標準規格や機器の製造ベンダに依存する機能部である。また、機器無依存アプリ部１３０は、通信装置の機器が準拠する標準規格や機器の製造ベンダに依存しない機能部である。
ミドルウェア部と機器無依存アプリ部とは、機器に依存しない入出力インタフェース（IF: Interface）である機器無依存ＡＰＩ（Application Programming Interface)を介して接続される。機器依存部の例えば、ソフトウェア部、ＯＡＭ（Operation Administration and Maintenance）、ハードウェア部及びハードウェア部と、外付ハードウェア上のミドルウェア部１２０とは、機器に依存する入出力インタフェースである機器依存ＡＰＩ及び既存／市中品ハードウェアと外付ハードウェア間の機器間接続を介して接続される。これによって、通信装置１００は、機器無依存アプリ部１３０による拡張機能部(独自機能部)の柔軟及び迅速な追加を容易にし、通信サービスをタイムリーに提供することができる。ここで、機器依存部は図９に示す保守運用、アクセス制御、物理層処理、光モジュールであってもよく、機器自体の構成による。
例えば、主信号の優先処理や回線の利用効率を向上するＤＢＡ（Dynamic Bandwidth Assignment）等の更新頻度が高い機能又は通信サービス差異化に寄与する機能を優先して、機器依存部１１０又は機器無依存アプリ部１３０とすることを決めてもよい。更に、共用化を図る機器の準拠する標準規格、世代、方式、システム、機器種別、製造ベンダの少なくともいずれかに関して差異の隔たりが小さいものから、機器無依存アプリ部１３０としてもよい。
【００４１】
準拠する標準規格、世代、方式、システム、機器種別、製造ベンダの少なくともいずれかに対しては最適でない場合でも、準拠する標準規格、世代、方式、システム、機器種別、製造ベンダの機能のいずれかを汎用化するために、機能を実行するための共通ＩＦ（共通インタフェース）が用いられてもよい。共通ＩＦの中には、機器依存部１１０の準拠する標準規格、世代、方式、システム、機器種別、製造ベンダのいずれかにおいて使用されないＩＦやパラメータが含まれていてもよい。
【００４２】
ミドルウェア部１２０と、機器依存部１１０のドライバと、機器依存アプリ部１５０（ベンダ依存アプリ部）との少なくともいずれかに、インタフェース（ＩＦ）やパラメータ等を機器依存部１１０に対応するように変換する変換機能部や、不足するＩＦやパラメータ等に対応して自動設定する機能部を更に備えてもよい。
【００４３】
機器依存部１１０は、ハードウェア部と、ソフトウェア部とを備える。ソフトウェア部は、機器依存のドライバ、ファームウェア、アプリケーション等を実行する。
【００４４】
機器依存部１１０は、物理媒体に接続するＰＭＤ（Physical Medium Dependent）、ＭＡＣ、データのシリアル化を行うＰＭＡ（Physical Medium Attachment）、データを符号化する部分であるＰＣＳ（Physical Coding Sublayer）又はＰＨＹの一部を備えなくてもよい。例えば、変復調信号処理、前方誤り訂正（Forward Error Correction）、符復号処理、暗号化処理等の低位の信号処理を備えずに光関連の機能のみを備えてもよい。
【００４５】
機器無依存アプリ部１３０は、例えば、ＥＭＳ（Element Management System）からデータを取得する管理・制御エージェント部１３３と、拡張機能部１３１−１〜１３１−３と、基本機能部１３２とである。以下、拡張機能部１３１−１〜１３１−３に共通する事項については、符号の一部を省略して、「拡張機能部１３１」と表記する。ＥＭＳは、例えば、ネットワーク・エレメント（NE: Network Element）・コントローラである。なお、機器無依存アプリ部１３０は、管理・制御エージェント部１３３と拡張機能部１３１と基本機能部１３２とのうちいずれかを含まなくてもよい。
【００４６】
機器無依存アプリ部１３０は、管理・制御エージェント部１３３、拡張機能部１３１及び基本機能部１３２以外の構成を、更に含んでいてもよい。例えば、拡張機能部１３１が不要である場合、機器無依存アプリ部１３０は、拡張機能部１３１を備えなくてもよい。また、機器無依存アプリ部１３０は、１個以上の拡張機能部１３１を含んでもよい。
【００４７】
拡張機能部１３１は、他の機能に不要な影響を与えずに独立して追加、削除、入替又は変更が可能であることが好ましい。例えば、拡張機能部１３１は、サービス上の要求に合わせて、例えばマルチキャストサービス、省電力対応を実行する拡張機能部１３１が必要になった場合、適宜に追加、削除、入替又は変更されてもよい。
【００４８】
基本機能部１３２は、拡張機能部１３１の一部として機器無依存アプリ部１３０に含まれてもよいし、ミドルウェア部１２０よりも下位の機能部によって代替されてもよい。拡張機能部１３１が基本機能部１３２を含む場合、機器無依存アプリ部１３０は基本機能部１３２を含まなくてもよい。ミドルウェア部１２０よりも下位の機能部が基本機能部１３２を代替する場合、機器無依存アプリ部１３０は基本機能部１３２を含まなくてもよい。拡張機能部１３１が基本機能部１３２を含み、ミドルウェア部１２０よりも下位の機能部が基本機能部１３２を代替する場合、機器無依存アプリ部１３０は基本機能部１３２を含まなくてもよい。
【００４９】
管理・制御エージェント部１３３は、ＥＭＳ１４０からの通信を受けずに、予め定められた設定に従って自動設定する場合、ＥＭＳ１４０と入出力しなくてよい。更に、管理・制御エージェント部１３３が管理設定機能を備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【００５０】
ＥＭＳ１４０と機器無依存アプリ部１３０とは、情報を直接入出力してもよい。また、機器依存部１１０は、ＮＥ管理・制御部１１５と、ＮＥ管理・制御部１１５のＩＦとを備えなくともよい。
【００５１】
基本機能部１３２は、拡張機能部１３１の一部として機器無依存アプリ部１３０に含まれてもよいし、ミドルウェア部１２０の下位の機能部によって代替されてもよい。拡張機能部１３１が基本機能部１３２を含む場合や、ミドルウェア部１２０の下位の機能部が基本機能部１３２を代替する場合や、それらの組み合わせである場合、機器無依存アプリ部１３０は基本機能部１３２を含まなくてもよい。また、基本機能部１３２の一部は、ミドルウェア部１２０の下位の機能部の機器依存アプリ部１５０によって代替されてもよい。
【００５２】
管理・制御エージェント部１３３は、予め定められた設定に従って自動設定する場合、ＥＭＳ１４０との間で情報を入出力しなくてよい。更に、管理設定機能を管理・制御エージェント部１３３が備えず他の機器無依存アプリ部１３０や基本機能部１３２や機器依存部１１０が管理設定機能を備える場合、機器無依存アプリ部１３０は、管理・制御エージェント部１３３を備えなくてもよい。ＥＭＳ１４０と機器無依存アプリ部１３０とは、情報を直接入出力してもよい。
【００５３】
機器無依存アプリ部１３０と機器依存部１１０との入出力は、例えば、ＤＢＡアプリ部及びプロテクションアプリ部は、ＴＣレイヤのエンベデッドＯＡＭエンジン（Embedded OAM Engine）と、相互に情報を入出力する。ＤＷＢＡ（Dynamic Wavelength and Bandwidth Assignment）アプリ及びＯＮＵ登録認証アプリ部は、ＴＣレイヤのＰＬＯＡＭ  エンジン（Engine）と、相互に情報を入出力する。
【００５４】
省電力アプリ部は、ＯＭＣＩ（ONU Management and Control Interface）及びＬ２主信号処理機能部（Ｌ２機能部）と相互に情報を入出力する。ＭＬＤ（Multicast Listener Discover）プロキシアプリ部は、Ｌ２機能部と相互に情報を入出力する。低速監視アプリ（ＯＭＣＩ）は、ＯＭＣＩと相互に情報を入出力する。ＯＭＣＩ及びＬ２機能部は、ＸＧＥＭ（XGPON Encapsulation Method）フレーマ（XGEM Framer）及び暗号化を動作させる。ここで、ＤＷＢＡとＤＢＡは、別体、一体又は組み合わせでもよい。例えば、管理・制御エージェント部１３３は、保守運用機能のアプリ部であり、ＮＥ管理・制御部１１５のためのＮＥコントローラ等であるＥＭＳ１４０と、相互に情報を入出力する。
【００５５】
なお、機器無依存アプリ部１３０の実装には、優先順位があってもよい。例えば、管理・制御エージェント部１３３が最も優先される第１の優先順位である。第２の優先順位以下は、例えば、ＤＢＡアプリ、ＤＷＢＡアプリ、省電力アプリ、ＯＮＵ登録認証アプリ、ＭＬＤプロキシアプリ、プロテクションアプリ、低速監視アプリ（ＯＭＣＩ）の順である。
【００５６】
機器無依存アプリ部１３０は、機器のベンダ、方式、機器種別、機器の世代、例えば、ＩＴＵ−Ｔ  Ｇ．９８９シリーズに準拠するＴＷＤＭ−ＰＯＮ（Time and Wavelength Division Multiplexing - Passive Optical Network）と、ＩＴＵ−Ｔ  Ｇ．９８７シリーズに準拠するＸＧ−ＰＯＮと、ＩＴＵ−Ｔ  Ｇ．９８４シリーズに準拠するＧ−ＰＯＮと、ＩＴＵ−Ｔ  Ｇ．９８３シリーズに準拠するＢＰＯＮとのいずれにもよらずに動作するアプリである。機器無依存アプリ部１３０は、機器のベンダ、方式、機器種別、機器の世代、例えば、ＩＥＥＥ８０２．３ａｖやＩＥＥＥ１９０４．１等に準拠する１０ＧＥ−ＰＯＮとＩＥＥＥ８０２．３ａｈに準拠するＧＥ−ＰＯＮ等の差異とによらずに動作するアプリである。
【００５７】
拡張機能部１３１のアプリとして、機器無依存ＡＰＩ２１を介して、一部のベンダ、方式、種別、世代に備える機能を駆動するためのアプリや、一部のベンダ、方式、種別、世代の装置のみに備える機能を駆動するアプリを含んでいてもよい。
【００５８】
管理・制御エージェント部１３３は、ＥＭＳ１４０及びミドルウェア部１２０と入出力する。ミドルウェア部１２０は、ＮＥ管理・制御部１１５との間で、ＮＥ管理情報及び制御情報を入出力する。ＮＥ管理・制御部１１５は、ミドルウェア部１２０を介さずに、ＮＥ管理情報及び制御情報をＥＭＳ１４０と直接送受信してもよいし、管理・制御エージェント部１３３を介して、ＮＥ管理情報及び制御情報を送受信してもよい。
【００５９】
ミドルウェア部１２０は、機器無依存アプリ部１３０と機器無依存ＡＰＩ２１を介して情報を入出力する。ミドルウェア部１２０は、機器依存ＡＰＩ２３を介して、機器依存部１１０のＯＡＭ部１１４、ドライバ、ファームウェア、ハードウェア部１１１又は１１２と情報を入出力する。ミドルウェア部１２０は、入力した情報を、そのまま又は所定の形式で出力する。例えば、ミドルウェア部１２０は、出力先が機器無依存アプリ部１３０の各部であれば、機器無依存ＡＰＩ２１の各部の入力形式に情報を変換する。出力先が機器依存部１１０のＯＡＭ部１１４、ドライバ、ファームウェア、ハードウェア部１１１又は１１２であれば、ミドルウェア部１２０は、それぞれに入力する形式の機器依存ＡＰＩ２３の形式に変換してから、又は終端して所定の処理を施してから情報を出力先に送信する。
【００６０】
ミドルウェア部１２０は、入力の際に、それぞれの入力先に不要な入力情報は削除し、不足の情報があれば、他の機器無依存ＡＰＩ２１や機器依存ＡＰＩ２３を介して収集して補足することが望ましい。また、ミドルウェア部１２０への入力の際に、ブロードキャスト又はマルチキャストして、関連するアプリ等に同報することとしてもよい。
【００６１】
ミドルウェア部１２０や機器依存部１１０は単一で例示したが、それぞれ複数から構成されていてもよい。機器依存部１１０のハードウェアに複数のプロセッサが含まれる場合、ミドルウェア部１２０はプロセッサやハードウェアをまたいでプロセッサ間通信等を用いて入出力してもよい。機器無依存アプリ部１３０間や機器無依存アプリ部１３０をＤＬＬ（Dynamic Link Library）のような実行プログラムとして、単一のプロセッサ上のユーザ空間上に配置してもよいし、複数のプロセッサ上のユーザ空間上に配置してもよい。
【００６２】
また、機器無依存アプリ部１３０は、ＡＰＩ等の入出力ＩＦを確保した上でカーネル空間に配置してもよいし、独立にファームウェア等に入替可能なインタフェースを有するミドルウェア部１２０とともに配置してもよいし、ファームウェア等に組み込んでコンパイルしなおしてもよい。機器無依存アプリ部１３０毎にユーザ空間やカーネル空間を任意の組み合わせとしてもよい。
【００６３】
同一の機能に対応する機器無依存アプリ部１３０を、ユーザ空間とカーネル空間の両方で実装可能としてもよい。この場合、例えば、切り替えていずれかを選択してもいいし、両方協働して処理してもよいし、一方のみで実処理を行うとしてもよい。機器依存部１１０のソフトウェアも同様である。
【００６４】
望ましくは、主信号処理やＤＢＡ処理や低レイヤの信号処理のように高速処理が必要であるほど、拡張性・入替の即時性とトレードオフはあるが、オーバーヘッドが少なく高速な処理が期待されるカーネル空間やファームウェアに組み込むことが望ましい。機器依存アプリ部１５０を配置するプロセッサもプロセッサ間通信によるバスや速度等の制限、通信路の占有等による他のプログラムへの影響の観点から、実処理を行うプロセッサ又はその近傍のプロセッサのユーザ空間やカーネル空間やファームウェア上に配置することが望ましい。但し、実処理を行うプロセッサ又はその近傍のプロセッサの能力を軽減するためにはプロセッサ間通信によるコミュニケーションコストは増大するが、遠隔のプロセッサで処理するとしてもよい。
【００６５】
機器無依存ＡＰＩ２１は、追加する拡張機能部１３１を想定してミドルウェア部１２０に予め備えられることが望ましいが、機器依存ＡＰＩ２３や他の機器無依存アプリ部１３０の改変を抑制する形で、必要に応じて追加又は削除されてもよい。
【００６６】
図１０は、プロテクション機能の例を示す図である。ＯＬＴ外部の外付ハードウェアは、ネットワーク機能の一つであるプロテクション機能を代行する。ＯＬＴのＯＬＴ外部の外付ハードウェア(サーバ)との連携機能は、例えば関連メッセージを外部のハードウェアに転送する機能である。関連メッセージは、プロテクションに係るＯＮＵ−ＯＬＴ間通知、例えばＰＬＯＡＭやＯＭＣＩ等のメッセージやＯＮＵ−ＯＬＴ間のリンク状態のモニタ結果である。外付ハードウェア(サーバ)は、ＯＬＴやＯＮＵやＯＮＵの先の顧客機器がプロテクションの途中等で応答できない状態において上位側の装置からのメッセージを代理応答する。代理応答したメッセージは、必要性に応じてＯＬＴやＯＮＵやＯＮＵの先の顧客機器に送信してもよい
。上位側の装置からのプロテクションに関するメッセージに対して代理応答してもよく、プロテクションに関するメッセージを終端したり、切替契機を検出してプロテクションしてもよい。切替契機や切替抑止の契機として、リンク状態やトラフィック(量、種別等)を用いる場合はそれらをモニタしてもよい。フレーム落ちを抑止するためにはバッファリングを備えてもよいし、揺らぎを制御して送受信してもよい。
【００６７】
図１１は、スリープ機能の例を示す図である。ＯＬＴ外部の外付ハードウェア(サーバ)は、ネットワーク機能の一つであるスリープ制御やＯＮＵ又はＯＳＵ応答の代行し、必要に応じてバッファリングと、揺らぎ吸収とを実行する。ＯＬＴのＯＬＴ外部の外付ハードウェア(サーバ)との連携機能は、例えば関連メッセージを外部のハードウェアに転送する機能である。関連メッセージは、例えば、スリープに係るＯＮＵ−ＯＬＴ間通知、例えばＰＰＳＭ(Power Save Mode)ＰＬＯＡＭ等のＰＬＯＡＭやＯＭＣＩ等のメッセージやＯＮＵ−ＯＬＴ間のリンク状態のモニタ結果である。外付ハードウェア(サーバ)は、ＯＬＴやＯＮＵやＯＮＵの先の顧客機器がスリープの途中等で応答できない状態において上位側の装置からのメッセージを代理応答する。代理応答したメッセージは、必要性に応じてＯＬＴやＯＮＵやＯＮＵの先の顧客機器に送信してもよい。上位側の装置からのスリープに関するメッセージに対して代理応答してもよく、スリープに関するメッセージを終端したり、切替契機を検出してスリープしたりさせたりしてもよい。ＯＬＴのＯＬＴ外部のハードウェアとの連携機能は、例えば関連メッセージを外部のハードウェアに転送する機能である。
【００６８】
図１２は、ネットワーク機能の一つである動的波長切替（DWA: Dynamic Wavelength AssignmentやＯＮＵ又はＯＳＵ応答を代行し、必要に応じてバッファリングと、揺らぎ吸収とを実行する。ＯＬＴのＯＬＴ外部の外付ハードウェア(サーバ)との連携機能は、例えば関連メッセージを外部のハードウェアに転送する機能である。関連メッセージは、例えば、波長切替に係るＯＮＵ−ＯＬＴ間通知、例えばＰＬＯＡＭやＯＭＣＩ等のメッセージやＯＮＵ−ＯＬＴ間のリンク状態のモニタ結果である。外付ハードウェア(サーバ)は、ＯＬＴやＯＮＵやＯＮＵの先の顧客機器が波長切替の途中等で応答できない状態において上位側の装置からのメッセージを代理応答する。代理応答したメッセージは、必要性に応じてＯＬＴやＯＮＵやＯＮＵの先の顧客機器から／へ送信してもよい。上位側の装置からの波長切替に関するメッセージに対して代理応答してもよく、波長切替に関するメッセージを終端したり、切替契機を検出して波長切替したりさせたりしてもよい。ＯＬＴのＯＬＴ外部の外付ハードウェアとの連携機能は、例えば関連メッセージを外部のハードへの転送する機能である。
【００６９】
図１３は、ネットワーク機能の一つであるマルチキャスト機能のＭＬＤプロキシ、フレームコピーを代行し、必要に応じて揺らぎ吸収等を実行する。ＯＬＴのＯＬＴ外部の外付ハードウェア(サーバ)との連携機能は、例えば関連メッセージを外部のハードウェアに転送する機能である。関連メッセージは、例えば、マルチキャストに係るＯＮＵ−ＯＬＴ間通知、例えばＪｏｉｎやＬｅａｖｅ等のメッセージである。外付ハードウェア(サーバ)は、ＪｏｉｎやＬｅａｖｅ等のメッセージを代理応答する。上位側の装置からのＪｏｉｎやＬｅａｖｅに関するメッセージに対して代理応答してもよく、マルチキャストに関するメッセージを終端したり、切替契機を検出して波長切替したりさせたりしてもよい。ＯＬＴのＯＬＴ外部の外付ハードウェアとの連携機能は、例えば関連メッセージを外部のハードウェアに転送する機能である。
【００７０】
次に、一例として、ＴＷＤＭ−ＰＯＮ（Time and Wavelength Division Multiplexing-Passive Optical Network）システムのようなＩＴＵ−Ｔ勧告準拠のＰＯＮのＯＬＴ（Optical Line Terminal）を前提に、動作等を例示する。ここで、ＴＷＤＭ−ＰＯＮとしているが、ＰＯＮは、ＩＴＵ−Ｔ勧告準拠のＴＷＤＭ−ＰＯＮ以外のＰＯＮであってもよい。例えば、ＰＯＮは、ＧＥ−ＰＯＮ、１０ＧＥ−ＰＯＮ等のＩＥＥＥ規格準拠のＰＯＮであってもよい。ＴＣ（Transmission Convergence）レイヤやＰＭＤ（Physical Medium Dependent）レイヤは、標準規格において対応する層に読み替えれば同様である。
【００７１】
（実施形態１−１）
実施形態１−１では、ＴＷＤＭ−ＰＯＮに用いられる通信システム１の構成について説明する。以下、通信システム１の通信装置１００のアーキテクチャの例として、通信装置１００のアーキテクチャの第１例から第５例までを説明する。通信システム１の通信装置１００のアーキテクチャは、通信装置１００のアーキテクチャの第１例から第５例まで以外のアーキテクチャであってよい。例えば、アーキテクチャの第１例から第５例における通信装置１００のソフトウェア部は、ハードウェア部でもよい。
【００７２】
（アーキテクチャの第１例）
図１４は、通信装置１００のアーキテクチャの第１例を示す図である。アーキテクチャの第１例では、通信装置１００は、動作が機器に依存する非汎用の機器依存部１１０と、機器依存部１１０のハードウェアやソフトウェアの違いを隠蔽するミドルウェア部１２０と、動作が機器に依存しない汎用の機器無依存アプリ部１３０とを備える。したがって、機器依存部１１０（ベンダ依存部）は、通信装置１００の機器が準拠する標準規格や機器の製造ベンダに依存する機能部である。また、機器無依存アプリ部１３０は、通信装置１００の機器が準拠する標準規格や機器の製造ベンダに依存しない機能部である。
【００７３】
ミドルウェア部１２０と機器無依存アプリ部１３０とは、機器に依存しない入出力インタフェース（IF: Interface）である機器無依存ＡＰＩ２１（Application Programming Interface)を介して接続される。機器依存部１１０は例えばソフトウェア部１１３、ＯＡＭ（Operation Administration and Maintenance）、ハードウェア部１１１及びハードウェア部１１２から構成され、それらと、ミドルウェア部１２０とは、機器に依存する入出力インタフェースである機器依存ＡＰＩ２３を介して接続される。ＮＥ管理・制御部１１５とミドルウェア部１２０とは、機器に依存する入出力インタフェースである機器依存ＡＰＩ２５を介して接続される。
【００７４】
以下、処理を実行する機能部を「実行部」という。どの機能の実行部を機器依存部１１０又は機器無依存アプリ部１３０とするかは、ミドルウェア部１２０や機器無依存アプリ部１３０を実現するための処理に由来する制限、例えば、ソフトウェアの処理能力に由来する制限に加えて、機能の更新頻度や拡張機能の重要度等に応じて決められてもよい。これによって、通信装置１００は、機器無依存アプリ部１３０による拡張機能部(独自機能部)の柔軟及び迅速な追加を容易にし、通信サービスをタイムリーに提供することができる。
【００７５】
例えば、主信号の優先処理や回線の利用効率を向上するＤＢＡ（Dynamic Bandwidth Assignment）等の更新頻度が高い機能又は通信サービス差異化に寄与する機能を優先して、機器依存部１１０又は機器無依存アプリ部１３０とすることを決めてもよい。更に、共用化を図る機器の準拠する標準規格、世代、方式、システム、機器種別、製造ベンダの少なくともいずれかに関して差異の隔たりが小さいものから、機器無依存アプリ部１３０としてもよい。
【００７６】
準拠する標準規格、世代、方式、システム、機器種別、製造ベンダの少なくともいずれかに対しては最適でない場合でも、準拠する標準規格、世代、方式、システム、機器種別、製造ベンダの機能のいずれかを汎用化するために、機能を実行するための共通ＩＦ（共通インタフェース）が用いられてもよい。共通ＩＦの中には、機器依存部１１０の準拠する標準規格、世代、方式、システム、機器種別、製造ベンダのいずれかにおいて使用されないＩＦやパラメータが含まれていてもよい。
【００７７】
図１４及び図１５に示すミドルウェア部１２０と、図１６及び図１７に示す機器依存部１１０のドライバと、図１５及び図１７に示す機器依存アプリ部１５０（ベンダ依存アプリ部）との少なくともいずれかに、インタフェース（ＩＦ）やパラメータ等を機器依存部１１０に対応するように変換する変換機能部や、不足するＩＦやパラメータ等に対応して自動設定する機能部を更に備えてもよい。
【００７８】
図１４では、機器依存部１１０は、ハードウェア部１１１及び１１２と、ソフトウェア部１１３とを備える。ハードウェア部１１１（ＰＨＹ）は、物理層から光送受信関連の処理まで（PHYsical sublayer処理）を実行する。ハードウェア部１１２（ＭＡＣ）は、ＭＡＣ（Media Access Control）処理を実行する。ハードウェア部１１１及び１１２は、準拠する標準規格や製造ベンダに依存する。ソフトウェア部１１３は、機器依存のドライバ、ファームウェア、アプリケーション等を実行するための実行部である。
【００７９】
機器依存部１１０のハードウェア部１１１及び１１２は、これら以外に汎用サーバやレイヤ２スイッチ等を備えてもよい。機器依存部１１０は、ハードウェア部１１２（ＭＡＣ）を備えなくてもよい。機器依存部１１０は、ハードウェア部１１１（ＰＨＹ）の一部を備えなくてもよい。例えば、機器依存部１１０は、変復調信号処理、前方誤り訂正（Forward Error Correction）、符復号処理、暗号化処理等の低位の信号処理を備えずに光関連の機能のみを備えてもよい。機器依存部１１０は、データを符号化する部分であるＰＣＳ（Physical Coding Sublayer）を備えなくてもよい。機器依存部１１０は、データのシリアル化を行うＰＭＡ（Physical Medium Attachment）とＰＣＳとを備えなくてもよい。機器依存部１１０は、物理媒体に接続するＰＭＤ（Physical Medium Dependent）を備えなくてもよい。機器依存部１１０は、ミドルウェア部１２０がソフトウェア部１１３を介さずに機器依存部１１０のハードウェア部１１１及び１１２を直接に駆動、制御、操作又は管理する場合、ソフトウェア部１１３を備えなくてもよい。
【００８０】
機器無依存アプリ部１３０は、例えば、ＥＭＳ（Element Management System）からデータを取得する管理・制御エージェント部１３３と、拡張機能部１３１−１〜１３１−３と、基本機能部１３２とである。以下、拡張機能部１３１−１〜１３１−３に共通する事項については、符号の一部を省略して、「拡張機能部１３１」と表記する。ＥＭＳは、例えば、ネットワーク・エレメント（NE: Network Element）・コントローラである。なお、機器無依存アプリ部１３０は、管理・制御エージェント部１３３と拡張機能部１３１と基本機能部１３２とのうちいずれかを含まなくてもよいし、管理・制御エージェント部１３３が基本機能部１３２に含まれていてもよいし、管理・制御エージェント部１３３が基本機能部１３２やミドルウェア部１２０に含まれていてもよい。
【００８１】
機器無依存アプリ部１３０は、管理・制御エージェント部１３３、拡張機能部１３１及び基本機能部１３２以外の構成を、更に含んでいてもよい。例えば、拡張機能部１３１が不要である場合、機器無依存アプリ部１３０は、拡張機能部１３１を備えなくてもよい。また、機器無依存アプリ部１３０は、１個以上の拡張機能部１３１を含む。
【００８２】
拡張機能部１３１は、他の機能に不要な影響を与えずに独立して追加、削除、入替又は変更が可能であることが好ましい。例えば、拡張機能部１３１は、サービス上の要求に合わせて、例えばマルチキャストサービス、省電力対応を実行する拡張機能部１３１が必要になった場合、適宜に追加、削除、入替又は変更されてもよい。
【００８３】
基本機能部１３２は、拡張機能部１３１の一部として機器無依存アプリ部１３０に含まれてもよいし、ミドルウェア部１２０よりも下位の機能部によって代替されてもよい。拡張機能部１３１が基本機能部１３２を含む場合、機器無依存アプリ部１３０は基本機能部１３２を含まなくてもよい。ミドルウェア部１２０よりも下位の機能部が基本機能部１３２を代替する場合、機器無依存アプリ部１３０は基本機能部１３２を含まなくてもよい。拡張機能部１３１が基本機能部１３２を含み、ミドルウェア部１２０よりも下位の機能部が基本機能部１３２を代替する場合、機器無依存アプリ部１３０は基本機能部１３２を含まなくてもよい。
【００８４】
管理・制御エージェント部１３３は、ＥＭＳ１４０からの通信を受けずに、予め定められた設定に従って自動設定する場合、ＥＭＳ１４０と入出力しなくてよい。更に、管理・制御エージェント部１３３が管理設定機能を備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【００８５】
ＥＭＳ１４０と機器無依存アプリ部１３０とは、情報を直接入出力してもよい。また、機器依存部１１０は、ＮＥ管理・制御部１１５と、ＮＥ管理・制御部１１５のＩＦとを備えなくともよい。
【００８６】
基本機能部１３２は、拡張機能部１３１の一部として機器無依存アプリ部１３０に含まれてもよいし、ミドルウェア部１２０の下位の機能部によって代替されてもよい。拡張機能部１３１が基本機能部１３２を含む場合や、ミドルウェア部１２０の下位の機能部が基本機能部１３２を代替する場合や、それらの組み合わせである場合、機器無依存アプリ部１３０は基本機能部１３２を含まなくてもよい。また、基本機能部１３２の一部は、ミドルウェア部１２０の下位の機能部の機器依存アプリ部１５０によって代替されてもよい。
【００８７】
管理・制御エージェント部１３３は、予め定められた設定に従って自動設定する場合、ＥＭＳ１４０との間で情報を入出力しなくてよい。更に、管理設定機能を管理・制御エージェント部１３３が備えず他の機器無依存アプリ部１３０や基本機能部１３２や機器依存部１１０が管理設定機能を備える場合、機器無依存アプリ部１３０は、管理・制御エージェント部１３３を備えなくてもよい。ＥＭＳ１４０と機器無依存アプリ部１３０とは、情報を直接入出力してもよい。
【００８８】
機器無依存アプリ部１３０と機器依存部１１０との入出力は、例えば、ＤＢＡアプリ部及びプロテクションアプリ部は、ＴＣレイヤのエンベデッドＯＡＭエンジン（Embedded OAM Engine）と、相互に情報を入出力する。ＤＷＢＡ（Dynamic Wavelength and Bandwidth Assignment）アプリ及びＯＮＵ登録認証アプリ部は、ＴＣレイヤのＰＬＯＡＭ  エンジン（Engine）と、相互に情報を入出力する。
【００８９】
省電力アプリ部は、ＯＭＣＩ（ONU Management and Control Interface）及びＬ２主信号処理機能部（Ｌ２機能部）と相互に情報を入出力する。ＭＬＤ（Multicast Listener Discover）プロキシアプリ部は、Ｌ２機能部と相互に情報を入出力する。低速監視アプリ（ＯＭＣＩ）は、ＯＭＣＩと相互に情報を入出力する。ＯＭＣＩ及びＬ２機能部は、ＸＧＥＭ（XGPON Encapsulation Method）フレーマ（XGEM Framer）及び暗号化を動作させる。ここで、ＤＷＢＡとＤＢＡは、別体、一体又は組み合わせでもよい。例えば、管理・制御エージェント部１３３は、保守運用機能のアプリ部であり、ＮＥ管理・制御部１１５のためのＮＥコントローラ等であるＥＭＳ１４０と、相互に情報を入出力する。
【００９０】
なお、機器無依存アプリ部１３０の実装には、優先順位があってもよい。例えば、管理・制御エージェント部１３３が最も優先される第１の優先順位である。第２の優先順位以下は、例えば、ＤＢＡアプリ、ＤＷＢＡアプリ、省電力アプリ、ＯＮＵ登録認証アプリ、ＭＬＤプロキシアプリ、プロテクションアプリ、低速監視アプリ（ＯＭＣＩ）の順である。
【００９１】
機器無依存アプリ部１３０は、機器のベンダ、方式、機器種別、機器の世代、例えば、
ＩＴＵ−Ｔ  Ｇ．９８９シリーズに準拠するＴＷＤＭ−ＰＯＮ（Time and Wavelength Division Multiplexing - Passive Optical Network）と、ＩＴＵ−Ｔ  Ｇ．９８７シリーズに準拠するＸＧ−ＰＯＮと、ＩＴＵ−Ｔ  Ｇ．９８４シリーズに準拠するＧ−ＰＯＮと、ＩＴＵ−Ｔ  Ｇ．９８３シリーズに準拠するＢＰＯＮとのいずれにもよらずに動作するアプリである。機器無依存アプリ部１３０は、機器のベンダ、方式、機器種別、機器の世代、例えば、ＩＥＥＥ８０２．３ａｖやＩＥＥＥ１９０４．１等に準拠する１０ＧＥ−ＰＯＮとＩＥＥＥ８０２．３ａｈに準拠するＧＥ−ＰＯＮ等の差異とによらずに動作するアプリである。
【００９２】
拡張機能部１３１のアプリとして、機器無依存ＡＰＩ２１を介して、一部のベンダ、方式、種別、世代に備える機能を駆動するためのアプリや、一部のベンダ、方式、種別、世代の装置のみに備える機能を駆動するアプリを含んでいてもよい。
【００９３】
管理・制御エージェント部１３３は、ＥＭＳ１４０及びミドルウェア部１２０と入出力する。ミドルウェア部１２０は、ＮＥ管理・制御部１１５との間で、ＮＥ管理情報及び制御情報を入出力する。ＮＥ管理・制御部１１５は、ミドルウェア部１２０を介さずに、ＮＥ管理情報及び制御情報をＥＭＳ１４０と直接送受信してもよいし、管理・制御エージェント部１３３を介して、ＮＥ管理情報及び制御情報を送受信してもよい。
【００９４】
ミドルウェア部１２０は、機器無依存アプリ部１３０と機器無依存ＡＰＩ２１を介して情報を入出力する。ミドルウェア部１２０は、機器依存ＡＰＩ２３を介して、機器依存部１１０のＯＡＭ部１１４、ドライバ、ファームウェア、ハードウェア部１１１又は１１２と情報を入出力する。ミドルウェア部１２０は、入力した情報を、そのまま又は所定の形式で出力する。例えば、ミドルウェア部１２０は、出力先が機器無依存アプリ部１３０の各部であれば、機器無依存ＡＰＩ２１の各部の入力形式に情報を変換する。出力先が機器依存部１１０のＯＡＭ部１１４、ドライバ、ファームウェア、ハードウェア部１１１又は１１２であれば、ミドルウェア部１２０は、それぞれに入力する形式の機器依存ＡＰＩ２３の形式に変換してから、又は終端して所定の処理を施してから情報を出力先に送信する。
【００９５】
ミドルウェア部１２０は、入力の際に、それぞれの入力先に不要な入力情報は削除し、不足の情報があれば、他の機器無依存ＡＰＩ２１や機器依存ＡＰＩ２３を介して収集して補足することが望ましい。また、ミドルウェア部１２０への入力の際に、ブロードキャスト又はマルチキャストして、関連するアプリ等に同報することとしてもよい。
【００９６】
図１４では、ミドルウェア部１２０や機器依存部１１０は単一で例示したが、それぞれ複数から構成されていてもよい。機器依存部１１０のハードウェアに複数のプロセッサが含まれる場合、ミドルウェア部１２０はプロセッサやハードウェアをまたいでプロセッサ間通信等を用いて入出力してもよい。機器無依存アプリ部１３０間や機器無依存アプリ部１３０をＤＬＬ（Dynamic Link Library）のような実行プログラムとして、単一のプロセッサ上のユーザ空間上に配置してもよいし、複数のプロセッサ上のユーザ空間上に配置してもよい。
【００９７】
また、機器無依存アプリ部１３０は、ＡＰＩ等の入出力ＩＦを確保した上でカーネル空間に配置してもよいし、独立にファームウェア等に入替可能なインタフェースを有するミドルウェア部１２０とともに配置してもよいし、ファームウェア等に組み込んでコンパイルしなおしてもよい。機器無依存アプリ部１３０毎にユーザ空間やカーネル空間を任意の組み合わせとしてもよい。
【００９８】
同一の機能に対応する機器無依存アプリ部１３０を、ユーザ空間とカーネル空間の両方で実装可能としてもよい。この場合、例えば、切り替えていずれかを選択してもいいし、両方協働して処理してもよいし、一方のみで実処理を行うとしてもよい。機器依存部１１０のソフトウェアも同様である。
【００９９】
望ましくは、主信号処理やＤＢＡ処理や低レイヤの信号処理のように高速処理が必要であるほど、拡張性・入替の即時性とトレードオフはあるが、オーバーヘッドが少なく高速な処理が期待されるカーネル空間やファームウェアに組み込むことが望ましい。機器依存アプリ部１５０を配置するプロセッサもプロセッサ間通信によるバスや速度等の制限、通信路の占有等による他のプログラムへの影響の観点から、実処理を行うプロセッサ又はその近傍のプロセッサのユーザ空間やカーネル空間やファームウェア上に配置することが望ましい。但し、実処理を行うプロセッサ又はその近傍のプロセッサの能力を軽減するためにはプロセッサ間通信によるコミュニケーションコストは増大するが、遠隔のプロセッサで処理するとしてもよい。
【０１００】
機器無依存ＡＰＩ２１は、追加する拡張機能部１３１を想定してミドルウェア部１２０に予め備えられることが望ましいが、機器依存ＡＰＩ２３や他の機器無依存アプリ部１３０の改変を抑制する形で、必要に応じて追加又は削除されてもよい。
【０１０１】
（アーキテクチャの第２例）
図１５は、通信装置１００のアーキテクチャの第２例を示す図である。図１５では、通信装置１００は、ミドルウェア部１２０の配下に機器依存アプリ部１５０を更に備える。アーキテクチャの第２例は、機器依存アプリ部１５０を備える以外では、アーキテクチャの第１例と同様である。
【０１０２】
図１５では、通信装置１００は、準拠する機器依存部１１０の標準規格又は機器製造ベンダに依存するハードウェア部１１１及び１１２と、ハードウェア部１１１及び１１２を駆動するドライバ、ファームウェア等を実行するソフトウェア部１１３と、機器依存部１１０のハードウェア部１１１及び１１２やソフトウェア部１１３の少なくとも一部を駆動する機器依存アプリ部１５０と、機器依存部１１０のハードウェア部１１１、ハードウェア部１１２、ソフトウェア部１１３及び機器依存アプリ部１５０の違いを隠蔽するミドルウェア部１２０と、機器に依存しない汎用の機器無依存アプリ部１３０とを備える。
【０１０３】
ミドルウェア部１２０と機器依存アプリ部１５０とは、機器依存ＡＰＩ２３で接続される。機器依存アプリ部１５０と機器依存部１１０のＯＡＭ部１１４とソフトウェア部１１３とハードウェア部１１１及び１１２とは、機器依存ＡＰＩ２４で接続される。機器依存アプリ部１５０と管理・制御エージェント部１３３とは、ＡＰＩ２６で接続される。
【０１０４】
機器無依存アプリ部１３０は、例えば、ＥＭＳ１４０からの通信を受ける管理・制御エージェント部１３３と、基本機能部１３２と、拡張機能部１３１とを備える。機器無依存アプリ部１３０は、アーキテクチャの第１例及び第２例と同様に、管理・制御エージェント部１３３と基本機能部１３２と拡張機能部１３１とのうちいずれかを備えなくてもよい。機器無依存アプリ部１３０は、管理・制御エージェント部１３３と基本機能部１３２と拡張機能部１３１と以外の機能部を、更に備えてもよい。また、拡張機能部１３１は、アーキテクチャの第１例と同様に、他の機能に影響を与えずに追加、削除、入替又は変更が可能であることが好ましい。
【０１０５】
基本機能部１３２は、各拡張機能部１３１の一部として含まれていてもよいし、ミドルウェア部１２０の下位で代替されてもよい。拡張機能部１３１が基本機能部１３２を含む場合や、ミドルウェア部１２０の下位が基本機能部１３２を代替する場合や、それらの組み合わせである場合、機器無依存アプリ部１３０は基本機能部１３２を含まなくてもよい。
【０１０６】
また、基本機能部１３２の一部もミドルウェア部１２０の下位の機器依存アプリ部１５０で代替してもよい。また、基本機能部１３２の一部もミドルウェア部１２０の下位の機器依存アプリ部１５０で代替してもよい。管理・制御エージェント部１３３は、予め定められた設定に従って自動設定する場合、ＥＭＳ１４０との間で情報を入出力しなくてよい。更に、管理設定機能を管理・制御エージェント部１３３が備えず、他の機器無依存アプリ部１３０や基本機能部１３２や機器依存部１１０が管理設定機能を備える場合、機器無依存アプリ部１３０は、管理・制御エージェント部１３３を備えなくてもよい。
【０１０７】
ＥＭＳ１４０と機器無依存アプリ部１３０とは、直接入出力してもよい。ミドルウェア部１２０の下位が基本機能部１３２の全てを代替する場合、機器無依存アプリ部１３０は、基本機能部１３２を備えなくてもよい。
【０１０８】
図１５では、機器依存アプリ部１５０は、ミドルウェア部１２０を介して情報を入出力してもよいし、管理・制御エージェント部１３３から情報を直接入出力してもよいし、両者のうちのいずれかとの間で情報を入出力してもよいし、ＥＭＳ１４０と直接入出力してもよい。また、機器依存アプリ部１５０が、ＥＭＳ１４０からの通信を受けずに、予め定められた設定に従って自動設定されており、ミドルウェア部１２０を介してＥＭＳ１４０から管理及び制御情報を取得可能である場合、機器無依存アプリ部１３０は、管理・制御エージェント部１３３を備えなくてもよい。
【０１０９】
機器無依存アプリ部１３０は、ミドルウェア部１２０を介して少なくとも機器依存部１１０のハードウェア部１１１及び１１２又はソフトウェア部１１３との間で、情報を入出力する。機器無依存アプリ部１３０は、必要に応じてミドルウェア部１２０を介して、相互に入出力する。特に、機器無依存アプリ部１３０は、ＥＭＳ１４０との間で入出力された情報に応じて制御又は管理を実行する場合、ＥＭＳ１４０からの通信を受ける管理・制御エージェント部１３３との間で、情報を入出力する。
【０１１０】
ＮＥ管理・制御部１１５は、ミドルウェア部１２０を介して管理・制御エージェント部１３３との間で、ＮＥ管理情報及び制御情報を入出力する。ＮＥ管理・制御部１１５は、ミドルウェア部１２０を介さずに、ＥＭＳ１４０との間で、ＮＥ管理情報及び制御情報を直接入出力してもよい。
【０１１１】
機器依存アプリ部１５０は、管理・制御エージェント部１３３との間で、ＮＥ管理情報及び制御情報を入出力している。機器依存アプリ部１５０は、管理・制御エージェント部１３３を介さずに、ＥＭＳ１４０との間で、情報を直接入出力してもよい。管理・制御エージェント部１３３は、ＥＭＳ１４０、ミドルウェア部１２０及び機器依存アプリ部１５０との間で、情報を入出力する。ミドルウェア部１２０は、ＮＥ管理・制御部１１５との間で、ＮＥ管理情報及び制御情報を入出力する。
【０１１２】
ＮＥ管理・制御部１１５は、ミドルウェア部１２０を介さずに、ＥＭＳ１４０との間で、ＮＥ管理情報及び制御情報を直接入出力してもよい。ミドルウェア部１２０は、機器無依存アプリ部１３０との間で、機器無依存ＡＰＩ２１を介して情報を入出力し、機器依存部１１０のＯＡＭ部１１４、ドライバ、ファームウェア、ハードウェア部１１１及び１１２との間で、機器無依存ＡＰＩ２１を介して情報を入出力する。
【０１１３】
ミドルウェア部１２０は、図１４に示すミドルウェア部１２０と同様に、そのまま又は所定の形式で入力する。機器無依存ＡＰＩ２１は、後から追加する拡張機能部１３１を想定して、予めミドルウェア部１２０に備えることが望ましいが、必要に応じて、機器依存ＡＰＩ２３や他の機器無依存アプリ部１３０の改変を抑制する形で追加又は削除してもよい。
【０１１４】
（アーキテクチャの第３例）
図１６は、通信装置１００のアーキテクチャの第３例を示す図である。図１６では、アーキテクチャの第１例で説明したミドルウェア部１２０の代わりに基本機能部１３２が、ハードウェア部１１１及び１１２、拡張機能部１３１との入出力を行う。その他の機器無依存アプリ部１３０は、アーキテクチャの第１例と同様である。
【０１１５】
アーキテクチャの第１例と比べて、機器依存ＡＰＩ２４を備えるミドルウェア部１２０を準拠する標準規格、世代、方式、システム、機器種別、製造ベンダの少なくともいずれかが異なる機器毎に作成する必要がない。これによって、通信装置１００は、機器間世代間でより多くの機能を汎用化して移植し易く、接続性の検証も容易で、機器の機能が堅牢となる効果がある。
【０１１６】
アーキテクチャの例３では、通信装置１００は、機器依存部１１０と、機器無依存アプリ部１３０とを備える。機器依存部１１０は、準拠する標準規格又は機器製造ベンダ等に依存するハードウェア部１１１及び１１２と、ハードウェア部１１１及び１１２を駆動するドライバ、ファームウェア等のソフトウェア部１１３とを備える。ドライバ等は、機器依存部１１０の違いを隠蔽する。
【０１１７】
機器無依存アプリ部１３０は、機器無依存ＡＰＩ２７(移植用ＩＦ)、ハードウェア部１１１及び１１２と機器依存のソフトウェア部１１３との違いを隠蔽するドライバを介して、機器依存部１１０と接続する基本機能部１３２と、拡張機能部１３１とを備える。機器無依存アプリ部１３０は、ハードウェア部１１１及び１１２と機器依存のソフトウェア部１１３との違いを隠蔽するドライバを介して、ハードウェア部１１１及び１１２と機器依存のソフトウェア部１１３との間で、データを入出力する。
【０１１８】
基本機能部１３２と拡張機能部１３１とは、機器無依存ＡＰＩ２２(拡張用ＩＦ)を介して接続される。基本機能部１３２と機器依存部１１０とは、機器無依存ＡＰＩ２７を介して接続される。機器無依存アプリ部１３０の内の基本機能部１３２が、ミドルウェア部１２０の代わりに、ハードウェア部１１１及び１１２や拡張機能部１３１との間で、情報を入出力を行う。
【０１１９】
機器無依存アプリ部１３０は、必要に応じて基本機能部１３２を介して、相互に入出力する。機器無依存アプリ部１３０の拡張機能部１３１は、基本機能部１３２及び機器無依存ＡＰＩ２２を介して、情報を入出力する。基本機能部１３２は、機器無依存アプリ部１３０と機器無依存ＡＰＩ２２を介して情報を入出力し、機器依存部１１０のＯＡＭ部、ドライバ、ファームウェア、ハードウェア部１１１及び１１２と機器無依存ＡＰＩ２７とを介して情報を入出力する。
【０１２０】
基本機能部１３２は、図１４に示すミドルウェア部１２０と同様に、そのまま又は所定の形式で運用情報を入力する。例えば、他の機器無依存アプリ部１３０であれば、入力する形式の機器無依存ＡＰＩ２２の形式にそれぞれに変換し、機器依存のＯＡＭ部、ドライバ、ファームウェア、ハードウェア部であれば、入力する形式の機器無依存ＡＰＩ２２の形式にそれぞれに変換してから、又は終端して所定の処理を施してから運用情報を入力する。入力の際に、それぞれの入力先に不要な入力情報は削除し、不足の情報があれば、他の機器無依存ＡＰＩ２２や機器無依存ＡＰＩ２７を介して収集して補足することが望ましいが、入力を、ブロードキャスト又はマルチキャストして、関連するアプリ等に同報することとしてもよい。
【０１２１】
機器無依存アプリ部１３０は、例えば、拡張機能部１３１と、基本機能部１３２とを備える。機器無依存アプリ部１３０は、拡張機能部１３１と基本機能部１３２とのうち、いずれかを備えなくてもよい。機器無依存アプリ部１３０は、拡張機能部１３１と基本機能部１３２と以外の機能部を、更に備えてもよい。例えば、拡張機能部１３１が不要である場合、機器無依存アプリ部１３０は、拡張機能部１３１を備えなくてよい。
【０１２２】
拡張機能部１３１は、他の機能に影響を与えることなく独立に追加又は削除可能であることとが好ましい。例えば、サービス上の要求に合わせて、例えばマルチキャストサービス、省電力対応を拡張機能部１３１とする場合、拡張機能部１３１が必要になった場合に、適宜追加し、不要となった場合に適宜削除し、変更に応じて入替又は変更するとしてもよい。
【０１２３】
機器無依存ＡＰＩ２２は、後から追加する拡張機能部１３１を想定して、基本機能部１３２に予め備えることが望ましいが、必要に応じて、機器無依存ＡＰＩ２２、機器無依存ＡＰＩ２７、他の機器無依存アプリ部１３０の改変を抑制する形で、追加又は削除してもよい。
【０１２４】
（アーキテクチャの第４例）
図１７は、通信装置１００のアーキテクチャの第４例を示す図である。アーキテクチャの第４例とアーキテクチャの第３例との違いは、基本機能部１３２の配下に機器依存アプリ部１５０がある点である。これによって、通信装置１００は、機器依存アプリ部１５０を備えることで、基本機能部１３２の構成を簡易化できる効果がある。
【０１２５】
図１７では、機器依存部１１０として準拠する標準規格又は機器製造ベンダに依存するハードウェア部１１１及び１１２と、ハードウェア部１１１及び１１２を駆動するドライバ、ファームウェア等のソフトウェア部１１３と、機器依存部１１０の少なくとも一部分を駆動する機器依存アプリ部１５０と、移植用ＩＦとハードウェア部１１１及び１１２と機器依存のソフトウェアとの違いを隠蔽するドライバを介して又は移植用ＩＦと機器依存アプリ部１５０とを介して機器に依存しない処理を実行する汎用の機器無依存アプリ部１３０とを備える。
【０１２６】
基本機能部１３２と機器依存アプリ部１５０とは、機器無依存ＡＰＩ２７を介して接続される。機器依存アプリ部１５０と機器依存部１１０は、機器依存ＡＰＩ２４を介して接続される。
【０１２７】
機器無依存アプリ部１３０の内の基本機能部１３２が、ミドルウェア部１２０の代わりに、基本機能部１３２がハード、拡張機能部１３１との入出力を行う。基本機能部１３２の中に、ＥＭＳ１４０からの通信を受ける管理・制御エージェント部相当を含んでいてもよいし、拡張機能部１３１として管理・制御エージェント部を備えてもよい。
【０１２８】
基本機能部１３２は、機器無依存アプリ部１３０と機器無依存ＡＰＩ２２(拡張用ＩＦ)を介して入出力し、機器依存部１１０のＯＡＭ部１１４、ドライバ、ファームウェア、ハードウェア部１１１及び１１２と機器無依存ＡＰＩ２７(移植用ＩＦ)と機器依存部１１０の差異を隠蔽する機器依存部１１０のドライバ又は機器依存アプリ部１５０と機器依存ＡＰＩ２４を介して入出力する。
【０１２９】
基本機能部１３２は、図１４に示すミドルウェア部１２０と同様に、そのまま又は所定の形式で入力する。アーキテクチャの第３例と同様に、基本機能部１３２の中に、ＥＭＳ１４０からの通信を受ける管理・制御エージェント部１３３相当を含んでいてもよいし、拡張機能部１３１として管理・制御エージェント部１３３を備えてもよい。
【０１３０】
機器無依存アプリ部１３０は、例えば、拡張機能部１３１−１〜１３１−３と、基本機能部１３２とを備える。機器無依存アプリ部１３０は、アーキテクチャの第３例と同様に、拡張機能部１３１−１〜１３１−３と基本機能部１３２とのいずれかを備えなくてもよい。機器無依存アプリ部１３０は、アーキテクチャの第３例と同様に、拡張機能部１３１−１〜１３１−３と基本機能部１３２と以外の機能部を、更に備えてもよい。
【０１３１】
拡張機能部１３１は、アーキテクチャの第３例と同様に、互いに独立に他の機能に影響を与えずに、追加、削除、入替又は変更が可能であることが好ましい。基本機能部１３２の一部は、機器依存アプリ部１５０で代替してもよい。機器依存アプリ部１５０は、情報を基本機能部１３２から直接入出力しているが、そのまま又は所定の変換の後に、基本機能部１３２を介さずにＥＭＳ１４０との間で情報を入出力してもよい。
【０１３２】
機器無依存ＡＰＩ２２、２７は、図１４に示すアーキテクチャの第１例と同様に、後から追加する拡張機能部１３１を想定して、基本機能部１３２に予め備えることが望ましいが、機器無依存ＡＰＩ２２、機器無依存ＡＰＩ２７、他の機器無依存アプリ部１３０、機器依存アプリ部１５０又は機器依存ＡＰＩ２４の改変を抑制する形で、必要に応じて追加又は削除してもよい。
【０１３３】
（アーキテクチャの第５例）
アーキテクチャの第５例は、機器依存部１１０として準拠する標準規格又は機器製造ベンダに依存するハードウェア部１１１及び１１２と、ハードウェア部１１１及び１１２を駆動するドライバ・ファームウェア等のソフトウェア部１１３と、機器依存部１１０の少なくとも一部分を駆動する機器依存アプリ部１５０とを備える。
【０１３４】
機器依存アプリ部１５０及び機器依存部１１０は、機器依存ＡＰＩ２４を介して接続される。機器依存アプリ部１５０の中に、ＥＭＳ１４０からの通信を受ける管理・制御エージェント部１３３相当を含んでいてもよい。機器依存ＡＰＩ２４は、機器依存アプリ部１５０及び機器依存ＡＰＩ２４の改変を抑制する形で、必要に応じて追加又は削除されてもよい。
【０１３５】
なお、通信装置１００のアーキテクチャの第１例〜第５例に示す通信装置１００の構成は、ＴＷＤＭ（Time and Wavelength Division Multiplexing）−ＰＯＮのようなＩＴＵ−Ｔ勧告準拠のＰＯＮのＯＬＴ（Optical Line Terminal）を前提に記載しているが、ＯＮＵであってもよく、ＴＷＤＭ−ＰＯＮ以外のＩＴＵ−Ｔ勧告準拠のＰＯＮのＯＬＴ又は
ＯＮＵのいずれかであってもよいし、ＧＥ−ＰＯＮ、１０ＧＥ−ＰＯＮ等のＩＥＥＥ規格準拠のＰＯＮであってもよく、ＴＣレイヤ又はＰＭＤレイヤは対応する層に読み替えれば同様である。
【０１３６】
以下、ＴＷＤＭ−ＰＯＮが、ＰＯＮマルチキャスト機能と、省電力制御機能と、周波数・時刻同期機能と、プロテクション機能と、保守運用機能と、Ｌ２種信号処理機能と、ＰＯＮアクセス制御機能と、ＰＯＮ主信号処理機能とを主に有する場合を例に説明する。以下、ＰＯＮマルチキャスト機能と、省電力制御機能と、周波数・時刻同期機能と、プロテクション機能と、保守運用機能と、Ｌ２種信号処理機能と、ＰＯＮアクセス制御機能と、ＰＯＮ主信号処理機能とを、「主要８機能」という。
【０１３７】
図１８は、通信装置１００及び外部サーバ１６の構成の例を示す図である。通信システム１は、通信装置１００と、外部サーバ１６とを備える。通信装置１００は、送受信部１１（ＴＲｘ）と、スイッチ部１２（ＳＷ）と、スイッチ部１３（ＳＷ）と、制御部１４と、プロキシ部１５との少なくとも一部を備える。
【０１３８】
図１８では、異なる波長（λＡ〜λＮ）の光信号を送受信（通信）する送受信部１１が同一のスイッチ部１２に接続されている構成を示すが、実施形態１−１はこれに限定されない。例えば、異なる波長（λＡ〜λＮ）の光信号を送受信する送受信部１１が同一のスイッチ部１２に接続されている構成に加えて、同一の波長の光信号を送受信する送受信部１１が同一のスイッチ部１２に接続されていてもよいし、異なる波長（λＡ〜λＮ）の光信号を送受信する送受信部１１の内で少なくとも一部の波長の送受信部１１が複数同一のスイッチ部１２に接続されていてもよいし、送受信部１１の内の一部又は全てが送信のみ又は受信のみ行う送受信部１１であってもよい。
【０１３９】
ＯＬＴなどの通信装置１００は、送受信部１１から制御部１４を備えていてもよいし、これらに加えて外部サーバ１６を更に備えてもよい。また、ＯＳＵは、送受信部１１でもよいし、これに加えてスイッチ部１２（ＳＷ）又はスイッチ部１３（ＳＷ）を備えてもよい。
【０１４０】
通信システム構成（１−１）は、送受信部１１（ＴＲｘ）と、スイッチ部１２（ＳＷ）と、スイッチ部１３（ＳＷ）と、制御部１４と、プロキシ部１５と、外部サーバ１６とを備える（図１８）。
【０１４１】
ＯＬＴは、送受信部１１（ＴＲｘ）と、スイッチ部１２（ＳＷ）と、スイッチ部１３（ＳＷ）と、制御部１４とから構成してもよいし、送受信部１１（ＴＲｘ）と、スイッチ部１２（ＳＷ）と、スイッチ部１３（ＳＷ）と、制御部１４と、外部サーバ１６とから構成してもよい。ＯＳＵは、送受信部１１（ＴＲｘ）とから構成してもよいし、送受信部１１（ＴＲｘ）と、スイッチ部１２（ＳＷ）とから構成してもよいし、送受信部１１（ＴＲｘ）と、スイッチ部１３（ＳＷ）とから構成してもよい。
【０１４２】
異なる波長（λＡ〜λＮ）の光信号を送受信する送受信部１１（ＴＲｘ）がスイッチ部１２に接続されている。送受信部１１（ＴＲｘ）は自律、又はスイッチ部１２（ＳＷ）、スイッチ部１３（ＳＷ）、制御部１４、プロキシ部１５若しくは外部サーバ１６等の他の構成要素からの制御、又はスイッチ部１２（ＳＷ）、スイッチ部１３（ＳＷ）、制御部１４、プロキシ部１５若しくは外部サーバ１６等の他の構成要素を介して転送された運用情報で制御される。ＯＤＮ（Optical Distribution Network）若しくはスイッチ部１２（ＳＷ）のトラフィックの一部又はその全てを、所定の手順に従って、ＶＬＡＮ（Virtual Local Area Network）、優先、廃棄優先若しくは宛先等の少なくとも一部又はその組み合わせのタグの追加、削除、付替又は変更無で、集約、分配、振分、複製、折返若しくは透過の少なくとも一つ又はその組み合わせで処理する。
【０１４３】
なお、上りトラヒックに関しても集約されるとは限らない。スイッチ部１２（ＳＷ）は通信システム構成（１−１）の構成では波長毎の振分が主であるが、集約、分配、複製、折返、透過、ＶＩＤや優先廃棄を表すタグ等のタグ付加又は付替してもよい。通信システム構成（１−２）の構成では、上りトラヒックは集約が主であるが、分配、振分、複製、折返、透過、タグ付加又は付替してもよい。下りトラフィックも集約、分配、振分、複製、折返、透過、タグ付加又は付替のいずれかであってもよく、少なくとも一部の組み合わせであってもよい。そのいずれとするかはサービスポリシーに応じて決定する。これは以降の通信システム構成でも同様である。
【０１４４】
スイッチ部１２（ＳＷ）がスイッチ部１３（ＳＷ）に接続されるスイッチ部１２（ＳＷ）は自律、又は送受信部１１（ＴＲｘ）、スイッチ部１３（ＳＷ）、制御部１４、プロキシ部１５若しくは外部サーバ１６等の他の構成要素からの制御、又は送受信部１１（ＴＲｘ）、スイッチ部１３（ＳＷ）、制御部１４、プロキシ部１５若しくは外部サーバ１６等の他の構成要素を介して転送された運用情報で制御され、送受信部１１（ＴＲｘ）若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替又は変更無で、集約、分配、振分、複製、折返、透過若しくはタグ付加又は付替の少なくとも一部又はその組み合わせで処理する。これは以降の通信システム構成でも同様である。
【０１４５】
なお、スイッチ部１２（ＳＷ）は、制御されるとは限らない。送受信部１１からプロキシ部１５の少なくとも一つが制御される場合と、制御されずに送受信部１１からプロキシ部１５の少なくとも一つに制御情報が転送される場合とがある。転送元としては例えばプロキシ部１５又は外部サーバ１６がある。また、送受信部１１からプロキシ部１５が自律で動く場合もある。これは以降の通信システム構成でも同様である。
【０１４６】
スイッチ部１３（ＳＷ）はプロキシ部１５に直接、又は複数のＯＬＴから若しくはＯＬＴへのトラフィックを集約、分配、振分、複製、折返若しくは透過の少なくとも一部をする集線ＳＷ等を介して接続される。スイッチ部１３（ＳＷ）は自律、又は送受信部１１（ＴＲｘ）、スイッチ部１２（ＳＷ）、制御部１４、プロキシ部１５若しくは外部サーバ１６等の他の構成要素からの制御、又は送受信部１１（ＴＲｘ）、スイッチ部１２（ＳＷ）、制御部１４、プロキシ部１５若しくは外部サーバ１６等の他の構成要素を介して転送された運用情報で制御され、スイッチ部１２（ＳＷ）若しくはプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。制御部１４は、送受信部１１（ＴＲｘ）、スイッチ部１２（ＳＷ）、スイッチ部１３（ＳＷ）、プロキシ部１５又は外部サーバ１６又は外部のオペレーションシステム（不図示）、コントローラ（不図示）若しくは外部の装置（不図示）と接続される。制御部１４は、送受信部１１（ＴＲｘ）、スイッチ部１２（ＳＷ）、スイッチ部１３（ＳＷ）、プロキシ部１５若しくは外部サーバ１６等の他の構成要素を制御、又は送受信部１１（ＴＲｘ）、スイッチ部１２（ＳＷ）、スイッチ部１３（ＳＷ）、プロキシ部１５若しくは外部サーバ１６等の他の構成要素を介して、運用情報（制御情報）を転送する。
【０１４７】
記憶制御部１４１−１は、通信装置１００−１がスリープ状態、運用系の状態、波長や芯線やコアや符号や周波数やサブキャリアの利用状態、自通信装置（自装置）または対向する通信装置の状態、マルチキャストの加入離脱や配信の状態等の特定の状態に遷移する前における通信装置１００−１の機器の運用情報を、メモリ２２０に記憶させる。記憶制御部１４１−２は、通信装置１００−２がスリープ状態等、運用系の状態、波長や芯線やコアや符号や周波数やサブキャリアの利用状態、自通信装置または対向する通信装置の状態、マルチキャストの加入離脱や配信の状態の特定の状態に遷移する前における通信装置１００−２の機器の運用情報を、メモリ２２０に記憶させる。
【０１４８】
機器制御部１４２−１は、通信装置１００−２がスリープ状態、運用系の状態、波長や芯線やコアや符号や周波数やサブキャリアの利用状態、自通信装置または対向する通信装置の状態、マルチキャストの加入離脱や配信の状態等の特定の状態に遷移する前に通信装置１００−２がメモリ２２０に記憶させた通信装置１００−２の機器の運用情報に基づいて、通信装置１００−１の機器を動作させる。機器制御部１４２−２は、通信装置１００−１がスリープ状態、運用系の状態、波長や芯線やコアや符号や周波数やサブキャリアの利用状態、自通信装置または対向する通信装置の状態、マルチキャストの加入離脱や配信の状態等の特定の状態に遷移する前に通信装置１００−１がメモリ２２０に記憶させた通信装置１００−１の機器の運用情報に基づいて、通信装置１００−２の機器を動作させる。
【０１４９】
遷移する前の運用情報を用いる場合の特定の状態として、例えば運用系の通信装置の故障等の異常な状態も挙げることができる。異常状態になった後の運用情報が正常である場合は遷移後の運用情報を用いてもよいが、異常な運用情報を用いると異常な状態となるおそれがある。異常となる前伊の運用状態を用いることでその危険を軽減できる。
【０１５０】
なお、プロキシ部１５はＯＬＴから若しくはＯＬＴへのデータ経路上に設置してもよい。但し、間に他の装置（例えば、複数のＯＬＴから若しくはＯＬＴへのトラフィックを集約／分配する集線ＳＷ等）を介在する場合があるので、直接接続されるとは限らない。制御の流れとしては、送受信部１１（ＴＲｘ）、スイッチ部１２（ＳＷ）、スイッチ部１３（ＳＷ）、制御部１４、外部サーバ１６のいずれに、プロキシ部１５があってもよい。
【０１５１】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又は送受信部１１（ＴＲｘ）、スイッチ部１２（ＳＷ）、スイッチ部１３（ＳＷ）、制御部１４若しくは外部サーバ１６等の他の構成要素からの制御、又は送受信部１１（ＴＲｘ）、スイッチ部１２（ＳＷ）、スイッチ部１３（ＳＷ）、制御部１４若しくは外部サーバ１６等の他の構成要素を介して転送された運用情報で制御され、スイッチ部１３（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１５２】
外部サーバ１６は、送受信部１１（ＴＲｘ）又はスイッチ部１２（ＳＷ）又はスイッチ部１３（ＳＷ）又は制御部１４又はプロキシ部１５又は外部のオペレーションシステム（不図示）又はコントローラ（不図示）若しくは外部の装置（不図示）と接続される。外部サーバ１６は、送受信部１１（ＴＲｘ）、スイッチ部１２（ＳＷ）、スイッチ部１３（ＳＷ）若しくは制御部１４若しくはプロキシ部１５等の他の構成要素を制御、又は送受信部１１（ＴＲｘ）、スイッチ部１２（ＳＷ）、スイッチ部１３（ＳＷ）若しくは制御部１４若しくはプロキシ部１５等の他の構成要素を介して運用情報を転送する。
【０１５３】
送受信部１１（ＴＲｘ）、スイッチ部１２（ＳＷ）、スイッチ部１３（ＳＷ）、制御部１４、プロキシ部１５若しくは外部サーバ１６は、送受信部１１（ＴＲｘ）、スイッチ部１２（ＳＷ）、スイッチ部１３（ＳＷ）、プロキシ部１５若しくは外部サーバ１６等の他の構成要素のトラフィックの一部又はその全てそれ自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０１５４】
通信システム構成（１−２）では、通信システム構成（１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１５５】
通信システム構成（２−１）は、送受信部１１（ＴＲｘ）と、スイッチ部１２（ＳＷ）と、スイッチ部１３（ＳＷ）と、制御部１４と、プロキシ部１５とを備える（図１８）。異なる波長（λＡ〜λＮ）の光信号を送受信する送受信部１１（ＴＲｘ）がスイッチ部１２に接続されている。送受信部１１（ＴＲｘ）は自律、又はスイッチ部１２（ＳＷ）、スイッチ部１３（ＳＷ）、制御部１４若しくはプロキシ部１５等の他の構成要素からの制御、又はスイッチ部１２（ＳＷ）、スイッチ部１３（ＳＷ）、制御部１４若しくはプロキシ部１５等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０１５６】
スイッチ部１２（ＳＷ）がスイッチ部１３（ＳＷ）に接続される。スイッチ部１２（ＳＷ）は自律、又は送受信部１１（ＴＲｘ）、スイッチ部１３（ＳＷ）、制御部１４若しくはプロキシ部１５等の他の構成要素からの制御、又は送受信部１１（ＴＲｘ）、スイッチ部１３（ＳＷ）、制御部１４、プロキシ部１５等の他の構成要素を介して転送された運用情報で制御され、送受信部１１（ＴＲｘ）若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１５７】
スイッチ部１３（ＳＷ）はプロキシ部１５に直接、又は複数のＯＬＴから若しくはＯＬＴへトラフィックを集約、分配、振分、複製、折返若しくは透過の少なくとも一部をする集線ＳＷ等を介して接続される。スイッチ部１３（ＳＷ）は自律、又は送受信部１１（ＴＲｘ）、スイッチ部１２（ＳＷ）、制御部１４若しくはプロキシ部１５等の他の構成要素からの制御、又は送受信部１１（ＴＲｘ）、スイッチ部１２（ＳＷ）、制御部１４若しくはプロキシ部１５等の他の構成要素を介して転送された運用情報で制御され、スイッチ部１２（ＳＷ）若しくはプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１５８】
制御部１４は、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。制御部１４は、送受信部１１（ＴＲｘ）、スイッチ部１２（ＳＷ）、スイッチ部１３（ＳＷ）若しくはプロキシ部１５等の他の構成要素を制御、又は送受信部１１（ＴＲｘ）、スイッチ部１２（ＳＷ）、スイッチ部１３（ＳＷ）、プロキシ部１５若しくは等の他の構成要素を介して運用情報を転送する。
【０１５９】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又は送受信部１１（ＴＲｘ）、スイッチ部１２（ＳＷ）、スイッチ部１３（ＳＷ）、制御部１４若しくは等の他の構成要素からの制御、又は送受信部１１（ＴＲｘ）、スイッチ部１２（ＳＷ）、スイッチ部１３（ＳＷ）若しくは制御部１４等の他の構成要素を介して転送された運用情報で制御され、スイッチ部１３（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１６０】
送受信部１１（ＴＲｘ）、スイッチ部１２（ＳＷ）、スイッチ部１３（ＳＷ）、制御部１４、プロキシ部１５若しくは、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０１６１】
通信システム構成（２−２）では、通信システム構成（２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１６２】
通信システム構成（３−１）は、送受信部１１（ＴＲｘ）と、スイッチ部１２（ＳＷ）と、スイッチ部１３（ＳＷ）と、制御部１４と、外部サーバ１６とを備える（図１８）。異なる波長（λＡ〜λＮ）の光信号を送受信する送受信部１１（ＴＲｘ）がスイッチ部１２に接続されている。送受信部１１（ＴＲｘ）は自律、又はスイッチ部１２（ＳＷ）、スイッチ部１３（ＳＷ）、制御部１４若しくは外部サーバ１６等の他の構成要素からの制御、又はスイッチ部１２（ＳＷ）、スイッチ部１３（ＳＷ）、制御部１４若しくは外部サーバ１６等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０１６３】
スイッチ部１２（ＳＷ）がスイッチ部１３（ＳＷ）に接続される。スイッチ部１２（ＳＷ）は自律、又は送受信部１１（ＴＲｘ）、スイッチ部１３（ＳＷ）、制御部１４若しくは外部サーバ１６等の他の構成要素からの制御、又は送受信部１１（ＴＲｘ）、スイッチ部１３（ＳＷ）、制御部１４若しくは外部サーバ１６等の他の構成要素を介して転送された運用情報で制御され、送受信部１１（ＴＲｘ）若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１６４】
スイッチ部１３（ＳＷ）は上位側の装置（不図示）に直接、又は複数のＯＬＴから若しくはＯＬＴへのトラフィックを集約、分配、振分、複製、折返若しくは透過の少なくとも一部をする集線ＳＷ等を介して接続される。スイッチ部１３（ＳＷ）は自律、又は送受信部１１（ＴＲｘ）、スイッチ部１２（ＳＷ）、制御部１４若しくは外部サーバ１６等の他の構成要素からの制御、又は送受信部１１（ＴＲｘ）、スイッチ部１２（ＳＷ）、制御部１４若しくは外部サーバ１６等の他の構成要素を介して転送された運用情報で制御され、スイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１６５】
制御部１４は、送受信部１１（ＴＲｘ）、スイッチ部１２（ＳＷ）、スイッチ部１３（ＳＷ）、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）、スイッチ部１３（ＳＷ）若しくは外部サーバ１６等の他の構成要素を制御、又は送受信部１１（ＴＲｘ）、スイッチ部１２（ＳＷ）、スイッチ部１３（ＳＷ）若しくは外部サーバ１６等の他の構成要素を介して運用情報を転送する。
【０１６６】
外部サーバ１６は、送受信部１１（ＴＲｘ）、スイッチ部１２（ＳＷ）、スイッチ部１３（ＳＷ）、制御部１４、外部のオペレーションシステム（不図示）、コントローラ（不図示）又は外部の装置（不図示）と接続される。外部サーバ１６は、送受信部１１（ＴＲｘ）、スイッチ部１２（ＳＷ）、スイッチ部１３（ＳＷ）若しくは制御部１４等の他の構成要素を制御、又は送受信部１１（ＴＲｘ）、スイッチ部１２（ＳＷ）、スイッチ部１３（ＳＷ）若しくは制御部１４等の他の構成要素を介して運用情報を転送する。
【０１６７】
送受信部１１（ＴＲｘ）、スイッチ部１２（ＳＷ）、スイッチ部１３（ＳＷ）、制御部１４若しくは外部サーバ１６は、送受信部１１（ＴＲｘ）、スイッチ部１２（ＳＷ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０１６８】
通信システム構成（３−２）では、通信システム構成（３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１６９】
通信システム構成（４−１）は、送受信部１１（ＴＲｘ）と、スイッチ部１２（ＳＷ）と、スイッチ部１３（ＳＷ）と、プロキシ部１５と、外部サーバ１６とを備える（図１８）。異なる波長（λＡ〜λＮ）の光信号を送受信する送受信部１１（ＴＲｘ）がスイッチ部１２に接続されている。
【０１７０】
送受信部１１（ＴＲｘ）は自律、又はスイッチ部１２（ＳＷ）、スイッチ部１３（ＳＷ）、プロキシ部１５若しくは外部サーバ１６等の他の構成要素からの制御、又はスイッチ部１２（ＳＷ）、スイッチ部１３（ＳＷ）、プロキシ部１５若しくは外部サーバ１６等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０１７１】
スイッチ部１２（ＳＷ）がスイッチ部１３（ＳＷ）に接続される。スイッチ部１２（ＳＷ）は自律、又は送受信部１１（ＴＲｘ）、スイッチ部１３（ＳＷ）、制御部１４、プロキシ部１５若しくは外部サーバ１６等の他の構成要素からの制御、又は送受信部１１（ＴＲｘ）、スイッチ部１３（ＳＷ）、プロキシ部１５若しくは外部サーバ１６等の他の構成要素を介して転送された運用情報で制御され、送受信部１１（ＴＲｘ）若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１７２】
スイッチ部１３（ＳＷ）はプロキシ部１５に直接、又は複数のＯＬＴから若しくはＯＬＴへのトラフィックを集約、分配、振分、複製、折返若しくは透過の少なくとも一部をする集線ＳＷ等を介して接続される。スイッチ部１３（ＳＷ）は自律、又は送受信部１１（ＴＲｘ）、スイッチ部１２（ＳＷ）、プロキシ部１５若しくは外部サーバ１６等の他の構成要素からの制御、又は送受信部１１（ＴＲｘ）、スイッチ部１２（ＳＷ）、プロキシ部１５若しくは外部サーバ１６等の他の構成要素を介して転送された運用情報で制御され、スイッチ部１２（ＳＷ）若しくはプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１７３】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又は送受信部１１（ＴＲｘ）、スイッチ部１２（ＳＷ）、スイッチ部１３（ＳＷ）若しくは外部サーバ１６等の他の構成要素からの制御、又は送受信部１１（ＴＲｘ）、スイッチ部１２（ＳＷ）、スイッチ部１３（ＳＷ）若しくは外部サーバ１６等の他の構成要素を介して転送された運用情報で制御され、スイッチ部１３（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１７４】
外部サーバ１６は、送受信部１１（ＴＲｘ）、スイッチ部１２（ＳＷ）、スイッチ部１３（ＳＷ）、プロキシ部１５又は外部のオペレーションシステム（不図示）、コントローラ（不図示）若しくは外部の装置（不図示）と接続される。外部サーバ１６は、送受信部１１（ＴＲｘ）、スイッチ部１２（ＳＷ）、スイッチ部１３（ＳＷ）若しくはプロキシ部１５等の他の構成要素を制御、又は送受信部１１（ＴＲｘ）、スイッチ部１２（ＳＷ）、スイッチ部１３（ＳＷ）若しくはプロキシ部１５等の他の構成要素を介して運用情報を転送する。
【０１７５】
送受信部１１（ＴＲｘ）、スイッチ部１２（ＳＷ）、スイッチ部１３（ＳＷ）、プロキシ部１５若しくは外部サーバ１６は、送受信部１１（ＴＲｘ）、スイッチ部１２（ＳＷ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０１７６】
通信システム構成（４−２）では、通信システム構成（４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１７７】
通信システム構成（５−１）は、送受信部１１（ＴＲｘ）と、スイッチ部１２（ＳＷ）と、制御部１４と、プロキシ部１５と、外部サーバ１６とを備える（図１８）。異なる波長（λＡ〜λＮ）の光信号を送受信する送受信部１１（ＴＲｘ）がスイッチ部１２に接続されている。送受信部１１（ＴＲｘ）は自律、又はスイッチ部１２（ＳＷ）、制御部１４、プロキシ部１５若しくは外部サーバ１６等の他の構成要素からの制御、又はスイッチ部１２（ＳＷ）、制御部１４、プロキシ部１５若しくは外部サーバ１６等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０１７８】
スイッチ部１２（ＳＷ）がプロキシ部１５に直接、又は複数のＯＬＴから若しくはＯＬＴへのトラフィックを集約、分配、振分、複製、折返若しくは透過の少なくとも一部をする集線ＳＷ等を介して接続される。スイッチ部１２（ＳＷ）は自律、又は送受信部１１（ＴＲｘ）、制御部１４、プロキシ部１５若しくは外部サーバ１６等の他の構成要素からの制御、又は送受信部１１（ＴＲｘ）、制御部１４、プロキシ部１５若しくは外部サーバ１６等の他の構成要素を介して転送された運用情報で制御され、送受信部１１（ＴＲｘ）又はプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１７９】
制御部１４は、送受信部１１（ＴＲｘ）、スイッチ部１２（ＳＷ）、プロキシ部１５、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）、プロキシ部１５若しくは外部サーバ１６等の他の構成要素を制御、又は送受信部１１（ＴＲｘ）、スイッチ部１２（ＳＷ）、プロキシ部１５若しくは外部サーバ１６等の他の構成要素を介して運用情報を転送する。
【０１８０】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又は送受信部１１（ＴＲｘ）、スイッチ部１２（ＳＷ）、制御部１４若しくは外部サーバ１６等の他の構成要素からの制御、又は送受信部１１（ＴＲｘ）、スイッチ部１２（ＳＷ）、制御部１４若しくは外部サーバ１６等の他の構成要素を介して転送された運用情報で制御され、スイッチ部１２（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１８１】
外部サーバ１６は、送受信部１１（ＴＲｘ）、スイッチ部１２（ＳＷ）、制御部１４、プロキシ部１５、外部のオペレーションシステム（不図示）、コントローラ（不図示）又は外部の装置（不図示）と接続される。外部サーバ１６は、送受信部１１（ＴＲｘ）、スイッチ部１２（ＳＷ）、制御部１４若しくはプロキシ部１５等の他の構成要素を制御、又は送受信部１１（ＴＲｘ）、スイッチ部１２（ＳＷ）、制御部１４若しくはプロキシ部１５等の他の構成要素を介して運用情報を転送する。
【０１８２】
送受信部１１（ＴＲｘ）、スイッチ部１２（ＳＷ）、制御部１４、プロキシ部１５若しくは外部サーバ１６は、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０１８３】
通信システム構成（５−２）では、通信システム構成（５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１８４】
通信システム構成（６−１）は、送受信部１１（ＴＲｘ）と、スイッチ部１３（ＳＷ）と、制御部１４と、プロキシ部１５と、外部サーバ１６とを備える（図１８）。異なる波長（λＡ〜λＮ）の光信号を送受信する送受信部１１（ＴＲｘ）がスイッチ部１３（ＳＷ）に接続されている。
【０１８５】
送受信部１１（ＴＲｘ）は自律、又はスイッチ部１３（ＳＷ）、制御部１４、プロキシ部１５若しくは外部サーバ１６等の他の構成要素からの制御、又はスイッチ部１３（ＳＷ）、制御部１４、プロキシ部１５若しくは外部サーバ１６等の他の構成要素を介して転送された運用情報で制御され、ＯＤＮ若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０１８６】
スイッチ部１３（ＳＷ）はプロキシ部１５に直接、又は複数のＯＬＴから若しくはＯＬＴへのトラフィックを集約、分配、振分、複製、折返若しくは透過の少なくとも一部をする集線ＳＷ等を介して接続される。スイッチ部１３（ＳＷ）は自律、又は送受信部１１（ＴＲｘ）、制御部１４、プロキシ部１５若しくは外部サーバ１６等の他の構成要素からの制御、又は送受信部１１（ＴＲｘ）、制御部１４、プロキシ部１５若しくは外部サーバ１６等の他の構成要素を介して転送された運用情報で制御され、送受信部１１（ＴＲｘ）又はプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１８７】
制御部１４は、送受信部１１（ＴＲｘ）、スイッチ部１３（ＳＷ）、プロキシ部１５若しくは外部サーバ１６又は外部のオペレーションシステム（不図示）、コントローラ（不図示）若しくは外部の装置（不図示）と接続される。制御部１４は、送受信部１１（ＴＲｘ）、スイッチ部１３（ＳＷ）、プロキシ部１５若しくは外部サーバ１６等の他の構成要素を制御、又は送受信部１１（ＴＲｘ）、スイッチ部１３（ＳＷ）、プロキシ部１５若しくは外部サーバ１６等の他の構成要素を介して運用情報を転送する。
【０１８８】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又は送受信部１１（ＴＲｘ）、スイッチ部１３（ＳＷ）、制御部１４若しくは外部サーバ１６等の他の構成要素からの制御、又は送受信部１１（ＴＲｘ）、スイッチ部１３（ＳＷ）、制御部１４若しくは外部サーバ１６等の他の構成要素を介して転送された運用情報で制御され、スイッチ部１３（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１８９】
外部サーバ１６は、送受信部１１（ＴＲｘ）、スイッチ部１３（ＳＷ）、制御部１４、プロキシ部１５、外部のオペレーションシステム（不図示）、コントローラ（不図示）又は外部の装置（不図示）と接続される。外部サーバ１６は、送受信部１１（ＴＲｘ）、スイッチ部１３（ＳＷ）、制御部１４若しくはプロキシ部１５等の他の構成要素を制御、又は送受信部１１（ＴＲｘ）、スイッチ部１３（ＳＷ）、制御部１４若しくはプロキシ部１５等の他の構成要素を介して運用情報を転送する。
【０１９０】
送受信部１１（ＴＲｘ）、スイッチ部１３（ＳＷ）、制御部１４、プロキシ部１５又は外部サーバ１６は、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０１９１】
通信システム構成（６−２）では、通信システム構成（６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０１９２】
通信システム構成（７−１）は、送受信部１１（ＴＲｘ）と、スイッチ部１２（ＳＷ）と、スイッチ部１３（ＳＷ）と、制御部１４とを備える（図１８）。異なる波長（λＡ〜λＮ）の光信号を送受信する送受信部１１（ＴＲｘ）がスイッチ部１２に接続されている。送受信部１１（ＴＲｘ）は自律、又はスイッチ部１２（ＳＷ）、スイッチ部１３（ＳＷ）若しくは制御部１４等の他の構成要素からの制御、又はスイッチ部１２（ＳＷ）、スイッチ部１３（ＳＷ）若しくは制御部１４等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０１９３】
スイッチ部１２（ＳＷ）がスイッチ部１３（ＳＷ）に接続される。スイッチ部１２（ＳＷ）は自律、又は送受信部１１（ＴＲｘ）、スイッチ部１３（ＳＷ）若しくは制御部１４等の他の構成要素からの制御、又は送受信部１１（ＴＲｘ）、スイッチ部１３（ＳＷ）若しくは制御部１４等の他の構成要素を介して転送された運用情報で制御され、送受信部１１（ＴＲｘ）若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１９４】
スイッチ部１３（ＳＷ）は上位側の装置（不図示）に直接、又は複数のＯＬＴから／へのトラフィックを集約や分配や振分や複製や折返や透過の少なくとも一部をする集線ＳＷ等を介して接続される。スイッチ部１３（ＳＷ）は自律、又は送受信部１１（ＴＲｘ）、送受信部１１（ＴＲｘ）若しくはスイッチ部１２（ＳＷ）等の他の構成要からの制御、又は送受信部１１（ＴＲｘ）、送受信部１１（ＴＲｘ）若しくはスイッチ部１２（ＳＷ）等の他の構成要を介して転送された運用情報で制御され、スイッチ部１２（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０１９５】
制御部１４は、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。制御部１４は、送受信部１１（ＴＲｘ）、スイッチ部１２（ＳＷ）若しくはスイッチ部１３（ＳＷ）等の他の構成要素を制御、又は送受信部１１（ＴＲｘ）、スイッチ部１２（ＳＷ）若しくはスイッチ部１３（ＳＷ）等の他の構成要素を介して運用情報を転送する。
【０１９６】
送受信部１１（ＴＲｘ）、スイッチ部１２（ＳＷ）、スイッチ部１３（ＳＷ）若しくは制御部１４は、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０１９７】
通信システム構成（７−２）では、通信システム構成（７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０１９８】
通信システム構成（８−１）は、送受信部１１（ＴＲｘ）と、スイッチ部１２（ＳＷ）と、スイッチ部１３（ＳＷ）と、プロキシ部１５とを備える（図１８）。異なる波長（λＡ〜λＮ）の光信号を送受信する送受信部１１（ＴＲｘ）がスイッチ部１２に接続されている。送受信部１１（ＴＲｘ）は自律、又はスイッチ部１２（ＳＷ）、スイッチ部１３（ＳＷ）若しくはプロキシ部１５等の他の構成要素からの制御、又はスイッチ部１２（ＳＷ）、スイッチ部１３（ＳＷ）若しくはプロキシ部１５等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０１９９】
スイッチ部１２（ＳＷ）がスイッチ部１３（ＳＷ）に接続される。スイッチ部１２（ＳＷ）は自律、又は送受信部１１（ＴＲｘ）、スイッチ部１３（ＳＷ）若しくはプロキシ部１５等の他の構成要素からの制御、又は送受信部１１（ＴＲｘ）、スイッチ部１３（ＳＷ）若しくはプロキシ部１５等の他の構成要素を介して転送された運用情報で制御され、送受信部１１（ＴＲｘ）若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２００】
スイッチ部１３（ＳＷ）はプロキシ部１５に直接、又は複数のＯＬＴから若しくはＯＬＴへのトラフィックを集約、分配、振分、複製、折返若しくは透過の少なくとも一部をする集線ＳＷ等を介して接続される。スイッチ部１３（ＳＷ）は自律、又は送受信部１１（ＴＲｘ）、スイッチ部１２（ＳＷ）若しくはプロキシ部１５等の他の構成要素からの制御、又は送受信部１１（ＴＲｘ）、スイッチ部１２（ＳＷ）若しくはプロキシ部１５等の他の構成要素を介して転送された運用情報で制御され、スイッチ部１２（ＳＷ）若しくはプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２０１】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又は送受信部１１（ＴＲｘ）、スイッチ部１２（ＳＷ）若しくはスイッチ部１３（ＳＷ）等の他の構成要素からの制御、又は送受信部１１（ＴＲｘ）、スイッチ部１２（ＳＷ）若しくはスイッチ部１３（ＳＷ）等の他の構成要素を介して転送された運用情報で制御され、スイッチ部１３（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２０２】
送受信部１１（ＴＲｘ）、スイッチ部１２（ＳＷ）、スイッチ部１３（ＳＷ）若しくはプロキシ部１５は、送受信部１１（ＴＲｘ）、スイッチ部１２（ＳＷ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２０３】
通信システム構成（８−２）では、通信システム構成（８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２０４】
通信システム構成（９−１）は、送受信部１１（ＴＲｘ）と、スイッチ部１２（ＳＷ）と、制御部１４と、プロキシ部１５とを備える（図１８）。異なる波長（λＡ〜λＮ）の光信号を送受信する送受信部１１（ＴＲｘ）がスイッチ部１２に接続されている。送受信部１１（ＴＲｘ）は自律、又はスイッチ部１２（ＳＷ）、制御部１４若しくはプロキシ部１５等の他の構成要素からの制御、又はスイッチ部１２（ＳＷ）、制御部１４若しくはプロキシ部１５等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０２０５】
スイッチ部１２（ＳＷ）がプロキシ部１５に直接、又は複数のＯＬＴから若しくはＯＬＴへのトラフィックを集約、分配、振分、複製、折返若しくは透過の少なくとも一部をする集線ＳＷ等を介して接続される。スイッチ部１２（ＳＷ）は自律、又は送受信部１１（ＴＲｘ）、制御部１４若しくはプロキシ部１５等の他の構成要素からの制御、又は送受信部１１（ＴＲｘ）、制御部１４若しくはプロキシ部１５等の他の構成要素を介して転送された運用情報で制御され、送受信部１１（ＴＲｘ）又はプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２０６】
制御部１４は、送受信部１１（ＴＲｘ）、スイッチ部１２（ＳＷ）、プロキシ部１５、外部のオペレーションシステム（不図示）、コントローラ（不図示）又は外部の装置（不図示）と接続される。制御部１４は、送受信部１１（ＴＲｘ）、スイッチ部１２（ＳＷ）若しくはプロキシ部１５等の他の構成要素を制御、又は送受信部１１（ＴＲｘ）、スイッチ部１２（ＳＷ）若しくはプロキシ部１５等の他の構成要素を介して運用情報を転送する。プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又は送受信部１１（ＴＲｘ）、送受信部１１（ＴＲｘ）若しくはスイッチ部１２（ＳＷ）等の他の構成要からの制御、又は送受信部１１（ＴＲｘ）、送受信部１１（ＴＲｘ）若しくはスイッチ部１２（ＳＷ）等の他の構成要を介して転送された運用情報で制御され、スイッチ部１２（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２０７】
送受信部１１（ＴＲｘ）、スイッチ部１２（ＳＷ）、制御部１４若しくはプロキシ部１５は、送受信部１１（ＴＲｘ）、スイッチ部１２（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはプロキシ部１５等の他の構成要素、外部のオペレーションシステム（不図示）、コントローラ（不図示）又は外部の装置（不図示）に、送信してもよい。
【０２０８】
通信システム構成（９−２）では、通信システム構成（９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２０９】
通信システム構成（１０−１）は、送受信部１１（ＴＲｘ）と、スイッチ部１３（ＳＷ）と、制御部１４と、プロキシ部１５とを備える（図１８）。異なる波長（λＡ〜λＮ）の光信号を送受信する送受信部１１（ＴＲｘ）がスイッチ部１３（ＳＷ）に接続されている。送受信部１１（ＴＲｘ）は自律、又はスイッチ部１３（ＳＷ）、制御部１４、プロキシ部１５等の他の構成要素からの制御、又はスイッチ部１３（ＳＷ）、制御部１４若しくはプロキシ部１５等の他の構成要素を介して転送された運用情報で制御され、ＯＤＮ若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０２１０】
スイッチ部１３（ＳＷ）はプロキシ部１５に直接、又は複数のＯＬＴから若しくはＯＬＴへのトラフィックを集約、分配、振分、複製、折返若しくは透過の少なくとも一部をする集線ＳＷ等を介して接続される。スイッチ部１３（ＳＷ）は自律、又は送受信部１１（ＴＲｘ）、制御部１４若しくはプロキシ部１５等の他の構成要素からの制御、又は送受信部１１（ＴＲｘ）、制御部１４若しくはプロキシ部１５等の他の構成要素を介して転送された運用情報で制御され、送受信部１１（ＴＲｘ）又はプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２１１】
制御部１４は、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。制御部１４は、送受信部１１（ＴＲｘ）、スイッチ部１３（ＳＷ）若しくはプロキシ部１５等の他の構成要素を制御、又は送受信部１１（ＴＲｘ）、スイッチ部１３（ＳＷ）若しくはプロキシ部１５等の他の構成要素を介して運用情報を転送する。
【０２１２】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又は送受信部１１（ＴＲｘ）、スイッチ部１３（ＳＷ）若しくは制御部１４等の他の構成要素からの制御、又は送受信部１１（ＴＲｘ）、スイッチ部１３（ＳＷ）若しくは制御部１４等の他の構成要素を介して転送された運用情報で制御され、スイッチ部１３（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２１３】
送受信部１１（ＴＲｘ）、スイッチ部１３（ＳＷ）、制御部１４若しくはプロキシ部１５は、送受信部１１（ＴＲｘ）、スイッチ部１３（ＳＷ）若しくはプロキシ部１５等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２１４】
通信システム構成（１０−２）では、通信システム構成（１０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２１５】
通信システム構成（１１−１）は、送受信部１１（ＴＲｘ）と、スイッチ部１２（ＳＷ）と、スイッチ部１３（ＳＷ）と、外部サーバ１６とを備える（図１８）。異なる波長（λＡ〜λＮ）の光信号を送受信する送受信部１１（ＴＲｘ）がスイッチ部１２に接続されている。送受信部１１（ＴＲｘ）は自律、又はスイッチ部１２（ＳＷ）、スイッチ部１３（ＳＷ）若しくは外部サーバ１６等の他の構成要素からの制御、又はスイッチ部１２（ＳＷ）、スイッチ部１３（ＳＷ）若しくは外部サーバ１６等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０２１６】
スイッチ部１２（ＳＷ）がスイッチ部１３（ＳＷ）に接続される。スイッチ部１２（ＳＷ）は自律、又は送受信部１１（ＴＲｘ）、スイッチ部１３（ＳＷ）若しくは外部サーバ１６等の他の構成要素からの制御、又は送受信部１１（ＴＲｘ）、スイッチ部１３（ＳＷ）若しくは外部サーバ１６等の他の構成要素を介して転送された運用情報で制御され、送受信部１１（ＴＲｘ）若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。スイッチ部１３（ＳＷ）は上位側の装置（不図示）に直接、又は複数のＯＬＴから／へのトラフィックを集約や分配や振分や複製や折返や透過の少なくとも一部をする集線ＳＷ等を介して接続される。
【０２１７】
スイッチ部１３（ＳＷ）は自律、又は送受信部１１（ＴＲｘ）、スイッチ部１２（ＳＷ）若しくは外部サーバ１６等の他の構成要素からの制御、又は送受信部１１（ＴＲｘ）、スイッチ部１２（ＳＷ）若しくは外部サーバ１６等の他の構成要素を介して転送された運用情報で制御され、スイッチ部１２（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２１８】
外部サーバ１６は、送受信部１１（ＴＲｘ）、スイッチ部１２（ＳＷ）、スイッチ部１３（ＳＷ）、外部のオペレーションシステム（不図示）、コントローラ（不図示）又は外部の装置（不図示）と接続される。外部サーバ１６は、送受信部１１（ＴＲｘ）、スイッチ部１２（ＳＷ）若しくはスイッチ部１３（ＳＷ）等の他の構成要素を制御、又は送受信部１１（ＴＲｘ）、スイッチ部１２（ＳＷ）若しくはスイッチ部１３（ＳＷ）等の他の構成要素を介して運用情報を転送する。
【０２１９】
送受信部１１（ＴＲｘ）、スイッチ部１２（ＳＷ）、スイッチ部１３（ＳＷ）若しくは外部サーバ１６は、送受信部１１（ＴＲｘ）、スイッチ部１２（ＳＷ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０２２０】
通信システム構成（１１−２）では、通信システム構成（１１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２２１】
通信システム構成（１２−１）は、送受信部１１（ＴＲｘ）と、スイッチ部１２（ＳＷ）と、制御部１４と、外部サーバ１６とを備える（図１８）。異なる波長（λＡ〜λＮ）の光信号を送受信する送受信部１１（ＴＲｘ）がスイッチ部１２に接続されている。送受信部１１（ＴＲｘ）は自律、又はスイッチ部１２（ＳＷ）、制御部１４若しくは外部サーバ１６等の他の構成要素からの制御、又はスイッチ部１２（ＳＷ）、制御部１４若しくは外部サーバ１６等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０２２２】
スイッチ部１２（ＳＷ）が上位側の装置（不図示）に直接、又は複数のＯＬＴから／へのトラフィックを集約や分配や振分や複製や折返や透過の少なくとも一部をする集線ＳＷ等を介して接続される。スイッチ部１２（ＳＷ）は自律、又は送受信部１１（ＴＲｘ）、制御部１４若しくは外部サーバ１６等の他の構成要素からの制御、又は送受信部１１（ＴＲｘ）、制御部１４若しくは外部サーバ１６等の他の構成要素を介して転送された運用情報で制御され、送受信部１１（ＴＲｘ）又は上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２２３】
制御部１４は、送受信部１１（ＴＲｘ）、スイッチ部１２（ＳＷ）、外部サーバ１６、外部のオペレーションシステム（不図示）、コントローラ（不図示）又は外部の装置（不図示）と接続される。制御部１４は、送受信部１１（ＴＲｘ）、スイッチ部１２（ＳＷ）若しくは外部サーバ１６等の他の構成要素を制御、又は送受信部１１（ＴＲｘ）、スイッチ部１２（ＳＷ）若しくは外部サーバ１６等の他の構成要素を介して運用情報を転送する。
【０２２４】
外部サーバ１６は、送受信部１１（ＴＲｘ）又はスイッチ部１２（ＳＷ）又は制御部１４又は外部のオペレーションシステム（不図示）、コントローラ（不図示）若しくは外部の装置（不図示）と接続される。外部サーバ１６は、送受信部１１（ＴＲｘ）、送受信部１１（ＴＲｘ）若しくはスイッチ部１２（ＳＷ）等の他の構成要を制御、又は送受信部１１（ＴＲｘ）、送受信部１１（ＴＲｘ）若しくはスイッチ部１２（ＳＷ）等の他の構成要を介して運用情報を転送する。
【０２２５】
送受信部１１（ＴＲｘ）、スイッチ部１２（ＳＷ）、制御部１４若しくは外部サーバ１６は、送受信部１１（ＴＲｘ）、スイッチ部１２（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０２２６】
通信システム構成（１２−２）では、通信システム構成（１２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２２７】
通信システム構成（１３−１）は、送受信部１１（ＴＲｘ）と、スイッチ部１３（ＳＷ）と、制御部１４と、外部サーバ１６とを備える（図１８）。異なる波長（λＡ〜λＮ）の光信号を送受信する送受信部１１（ＴＲｘ）がスイッチ部１３（ＳＷ）に接続されている。送受信部１１（ＴＲｘ）は自律、又はスイッチ部１３（ＳＷ）、制御部１４若しくは外部サーバ１６等の他の構成要素からの制御、又はスイッチ部１３（ＳＷ）、制御部１４若しくは外部サーバ１６等の他の構成要素を介して転送された運用情報で制御され、ＯＤＮ若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０２２８】
スイッチ部１３（ＳＷ）は上位側の装置（不図示）に直接、又は複数のＯＬＴから／へのトラフィックを集約や分配や振分や複製や折返や透過の少なくとも一部をする集線ＳＷ等を介して接続される。スイッチ部１３（ＳＷ）は自律、又は送受信部１１（ＴＲｘ）、制御部１４若しくは外部サーバ１６等の他の構成要素からの制御、又は送受信部１１（ＴＲｘ）、制御部１４若しくは外部サーバ１６等の他の構成要素を介して転送された運用情報で制御され、スイッチ部１２（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２２９】
制御部１４は、送受信部１１（ＴＲｘ）若しくはスイッチ部１３（ＳＷ）又は外部サーバ１６又は外部のオペレーションシステム（不図示）、コントローラ（不図示）若しくは外部の装置（不図示）と接続される。制御部１４は、送受信部１１（ＴＲｘ）、スイッチ部１３（ＳＷ）若しくは外部サーバ１６等の他の構成要素を制御、又は送受信部１１（ＴＲｘ）、スイッチ部１３（ＳＷ）若しくは外部サーバ１６等の他の構成要素を介して運用情報を転送する。
【０２３０】
外部サーバ１６は、送受信部１１（ＴＲｘ）若しくはスイッチ部１３（ＳＷ）又は制御部１４又は外部のオペレーションシステム（不図示）、コントローラ（不図示）若しくは外部の装置（不図示）と接続される。外部サーバ１６は、送受信部１１（ＴＲｘ）、スイッチ部１３（ＳＷ）若しくは制御部１４等の他の構成要素を制御、又は送受信部１１（ＴＲｘ）、スイッチ部１３（ＳＷ）若しくは制御部１４等の他の構成要素を介して運用情報を転送する。
【０２３１】
送受信部１１（ＴＲｘ）、スイッチ部１３（ＳＷ）、制御部１４若しくは外部サーバ１６は、送受信部１１（ＴＲｘ）、スイッチ部１３（ＳＷ）若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０２３２】
通信システム構成（１３−２）では、通信システム構成（１３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２３３】
通信システム構成（１４−１）は、送受信部１１（ＴＲｘ）と、スイッチ部１２（ＳＷ）と、プロキシ部１５と、外部サーバ１６とを備える（図１８）。異なる波長（λＡ〜λＮ）の光信号を送受信する送受信部１１（ＴＲｘ）がスイッチ部１２に接続されている。送受信部１１（ＴＲｘ）は自律、又はスイッチ部１２（ＳＷ）、プロキシ部１５若しくは外部サーバ１６等の他の構成要素からの制御、又はスイッチ部１２（ＳＷ）、プロキシ部１５若しくは外部サーバ１６等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０２３４】
スイッチ部１２（ＳＷ）がプロキシ部１５に直接、又は複数のＯＬＴから若しくはＯＬＴへのトラフィックを集約、分配、振分、複製、折返若しくは透過の少なくとも一部をする集線ＳＷ等を介して接続される。
【０２３５】
スイッチ部１２（ＳＷ）は自律、又は送受信部１１（ＴＲｘ）、プロキシ部１５若しくは外部サーバ１６等の他の構成要素からの制御、又は送受信部１１（ＴＲｘ）、プロキシ部１５若しくは外部サーバ１６等の他の構成要素を介して転送された運用情報で制御され、送受信部１１（ＴＲｘ）又はプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２３６】
プロキシ部１５は自律、又は送受信部１１（ＴＲｘ）、スイッチ部１２（ＳＷ）若しくは外部サーバ１６等の他の構成要素からの制御、又は送受信部１１（ＴＲｘ）、スイッチ部１２（ＳＷ）若しくは外部サーバ１６等の他の構成要素を介して転送された運用情報で制御され、スイッチ部１２（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２３７】
外部サーバ１６は、送受信部１１（ＴＲｘ）、スイッチ部１２（ＳＷ）、プロキシ部１５、外部のオペレーションシステム（不図示）、コントローラ（不図示）又は外部の装置（不図示）と接続される。外部サーバ１６は、送受信部１１（ＴＲｘ）、スイッチ部１２（ＳＷ）若しくはプロキシ部１５等の他の構成要素を制御、又は送受信部１１（ＴＲｘ）、スイッチ部１２（ＳＷ）若しくはプロキシ部１５等の他の構成要素を介して運用情報を転送する。
【０２３８】
送受信部１１（ＴＲｘ）、スイッチ部１２（ＳＷ）、プロキシ部１５若しくは外部サーバ１６は、送受信部１１（ＴＲｘ）、スイッチ部１２（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）、プロキシ部１５若しくは外部サーバ１６等の他の構成要素、外部のオペレーションシステム（不図示）、コントローラ（不図示）又は外部の装置（不図示）に送信してもよい。
【０２３９】
通信システム構成（１４−２）では、通信システム構成（１４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２４０】
通信システム構成（１５−１）は、送受信部１１（ＴＲｘ）と、スイッチ部１３（ＳＷ）と、プロキシ部１５と、外部サーバ１６とを備える（図１８）。異なる波長（λＡ〜λＮ）の光信号を送受信する送受信部１１（ＴＲｘ）がスイッチ部１３（ＳＷ）に接続されている。
【０２４１】
送受信部１１（ＴＲｘ）は自律、又はスイッチ部１３（ＳＷ）、プロキシ部１５若しくは外部サーバ１６等の他の構成要素からの制御、又はスイッチ部１３（ＳＷ）、プロキシ部１５若しくは外部サーバ１６等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。スイッチ部１３（ＳＷ）はプロキシ部１５に直接、又は複数のＯＬＴから若しくはＯＬＴへのトラフィックを集約、分配、振分、複製、折返若しくは透過の少なくとも一部をする集線ＳＷ等を介して接続される。
【０２４２】
スイッチ部１３（ＳＷ）は自律、又は送受信部１１（ＴＲｘ）、プロキシ部１５若しくは外部サーバ１６等の他の構成要素からの制御、又は送受信部１１（ＴＲｘ）、プロキシ部１５若しくは外部サーバ１６等の他の構成要素を介して転送された運用情報で制御され、送受信部１１（ＴＲｘ）又はプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２４３】
プロキシ部１５は自律、又は送受信部１１（ＴＲｘ）、スイッチ部１３（ＳＷ）若しくは外部サーバ１６等の他の構成要素からの制御、又は送受信部１１（ＴＲｘ）、スイッチ部１３（ＳＷ）若しくは外部サーバ１６等の他の構成要素を介して転送された運用情報で制御され、スイッチ部１３（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２４４】
外部サーバ１６は、送受信部１１（ＴＲｘ）、スイッチ部１３（ＳＷ）、プロキシ部１５若しくは外部のオペレーションシステム（不図示）、コントローラ（不図示）若しくは外部の装置（不図示）と接続される。外部サーバ１６は、送受信部１１（ＴＲｘ）、スイッチ部１３（ＳＷ）若しくはプロキシ部１５等の他の構成要素を制御、又は送受信部１１（ＴＲｘ）、スイッチ部１３（ＳＷ）若しくはプロキシ部１５等の他の構成要素を介して運用情報を転送する。
【０２４５】
送受信部１１（ＴＲｘ）、スイッチ部１３（ＳＷ）、プロキシ部１５若しくは外部サーバ１６は、送受信部１１（ＴＲｘ）、スイッチ部１３（ＳＷ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）、プロキシ部１５若しくは外部サーバ１６等の他の構成要素、外部のオペレーションシステム（不図示）、コントローラ（不図示）又は外部の装置（不図示）に送信してもよい。
【０２４６】
通信システム構成（１５−２）では、通信システム構成（１５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２４７】
通信システム構成（１６−１）は、送受信部１１（ＴＲｘ）と、制御部１４と、プロキシ部１５と、外部サーバ１６とを備える（図１８）。異なる波長（λＡ〜λＮ）の光信号を送受信する送受信部１１（ＴＲｘ）がプロキシ部１５に直接、又は複数のＯＬＴから若しくはＯＬＴへのトラフィックを集約、分配、振分、複製、折返若しくは透過の少なくとも一部をする集線ＳＷ等を介して接続されている。
【０２４８】
送受信部１１（ＴＲｘ）は自律、又は制御部１４、プロキシ部１５若しくは外部サーバ１６等の他の構成要素からの制御、又は制御部１４、プロキシ部１５若しくは外部サーバ１６等の他の構成要素を介して転送された運用情報で制御され、ＯＤＮ若しくはプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０２４９】
制御部１４は、送受信部１１（ＴＲｘ）、プロキシ部１５、外部サーバ１６、外部のオペレーションシステム（不図示）、コントローラ（不図示）又は外部の装置（不図示）と接続される。制御部１４は、送受信部１１（ＴＲｘ）、プロキシ部１５若しくは外部サーバ１６等の他の構成要素を制御、又は送受信部１１（ＴＲｘ）、プロキシ部１５若しくは外部サーバ１６等の他の構成要素を介して運用情報を転送する。
【０２５０】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又は送受信部１１（ＴＲｘ）、制御部１４若しくは外部サーバ１６等の他の構成要素からの制御、又は送受信部１１（ＴＲｘ）、制御部１４若しくは外部サーバ１６等の他の構成要素を介して転送された運用情報で制御され、送受信部１１（ＴＲｘ）又は上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２５１】
外部サーバ１６は、送受信部１１（ＴＲｘ）、制御部１４、プロキシ部１５、外部のオペレーションシステム（不図示）、コントローラ（不図示）又は外部の装置（不図示）と接続される。外部サーバ１６は、送受信部１１（ＴＲｘ）、制御部１４若しくはプロキシ部１５等の他の構成要素を制御、又は送受信部１１（ＴＲｘ）、制御部１４若しくはプロキシ部１５等の他の構成要素を介して運用情報を転送する。
【０２５２】
送受信部１１（ＴＲｘ）、制御部１４、プロキシ部１５若しくは外部サーバ１６は、送受信部１１（ＴＲｘ）、プロキシ部１５若しくは外部サーバ１６等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０２５３】
通信システム構成（１６−２）では、通信システム構成（１６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がそれぞれプロキシ部１５に直接、又は複数のＯＬＴから／へのトラフィックを集約や分配や振分や複製や折返や透過の少なくとも一部をする集線ＳＷ等を介して接続されている。更に、異なる波長の送受信部１１の内の少なくとも一部の波長の送受信部１１がプロキシ部１５に直接、又は複数のＯＬＴから若しくはＯＬＴへのトラフィックを集約、分配、振分、複製、折返若しくは透過の少なくとも一部をする集線ＳＷ等を介して複数接続されていてもよい。他は同様である。
【０２５４】
通信システム構成（１７−１）は、送受信部１１（ＴＲｘ）と、スイッチ部１２（ＳＷ）と、スイッチ部１３（ＳＷ）とを備える（図１８）。異なる波長（λＡ〜λＮ）の光信号を送受信する送受信部１１（ＴＲｘ）がスイッチ部１２に接続されている。送受信部１１（ＴＲｘ）は自律、又はスイッチ部１２（ＳＷ）若しくはスイッチ部１３（ＳＷ）等の他の構成要素からの制御、又はスイッチ部１２（ＳＷ）若しくはスイッチ部１３（ＳＷ）等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０２５５】
スイッチ部１２（ＳＷ）がスイッチ部１３（ＳＷ）に接続される。スイッチ部１２（ＳＷ）は自律、又は送受信部１１（ＴＲｘ）若しくはスイッチ部１３（ＳＷ）等の他の構成要素からの制御、又は送受信部１１（ＴＲｘ）若しくはスイッチ部１３（ＳＷ）等の他の構成要素を介して転送された運用情報で制御され、送受信部１１（ＴＲｘ）若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２５６】
スイッチ部１３（ＳＷ）は上位側の装置（不図示）に直接、又は複数のＯＬＴから／へのトラフィックを集約や分配や振分や複製や折返や透過の少なくとも一部をする集線ＳＷ等を介して接続される。スイッチ部１３（ＳＷ）は自律、又は送受信部１１（ＴＲｘ）若しくはスイッチ部１２（ＳＷ）等の他の構成要素からの制御、又は送受信部１１（ＴＲｘ）若しくはスイッチ部１２（ＳＷ）等の他の構成要素を介して転送された運用情報で制御され、スイッチ部１２（ＳＷ）又は上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２５７】
送受信部１１（ＴＲｘ）、スイッチ部１２（ＳＷ）若しくはスイッチ部１３（ＳＷ）は、送受信部１１（ＴＲｘ）、スイッチ部１２（ＳＷ）若しくはスイッチ部１３（ＳＷ）等の他の構成要素のトラフィックの一部、その全て自体若しくはその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはスイッチ部１３（ＳＷ）等の他の構成要素、外部のオペレーションシステム（不図示）、コントローラ（不図示）又は外部の装置（不図示）に送信してもよい。
【０２５８】
通信システム構成（１７−２）では、通信システム構成（１７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２５９】
通信システム構成（１８−１）は、送受信部１１（ＴＲｘ）と、スイッチ部１２（ＳＷ）と、制御部１４とを備える（図１８）。異なる波長（λＡ〜λＮ）の光信号を送受信する送受信部１１（ＴＲｘ）がスイッチ部１２に接続されている。
【０２６０】
送受信部１１（ＴＲｘ）は自律、又はスイッチ部１２（ＳＷ）若しくは制御部１４等の他の構成要素からの制御、又はスイッチ部１２（ＳＷ）若しくは制御部１４等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０２６１】
スイッチ部１２（ＳＷ）が上位側の装置（不図示）に直接、又は複数のＯＬＴから若しくはＯＬＴへのトラフィックを集約、分配、振分、複製、折返若しくは透過の少なくとも一部をする集線ＳＷ等を介して接続される。
【０２６２】
スイッチ部１２（ＳＷ）は自律、又は送受信部１１（ＴＲｘ）若しくは制御部１４等の他の構成要素からの制御、又は送受信部１１（ＴＲｘ）若しくは制御部１４等の他の構成要素を介して転送された運用情報で制御され、送受信部１１（ＴＲｘ）及びプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２６３】
制御部１４は、送受信部１１（ＴＲｘ）、スイッチ部１２（ＳＷ）、外部のオペレーションシステム（不図示）、コントローラ（不図示）又は外部の装置（不図示）と接続される。制御部１４は、送受信部１１（ＴＲｘ）若しくはスイッチ部１２（ＳＷ）等の他の構成要素を制御、又は送受信部１１（ＴＲｘ）若しくはスイッチ部１２（ＳＷ）等の他の構成要素を介して運用情報を転送する。
【０２６４】
送受信部１１（ＴＲｘ）、スイッチ部１２（ＳＷ）若しくは制御部１４は、送受信部１１（ＴＲｘ）若しくはスイッチ部１２（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０２６５】
通信システム構成（１８−２）では、通信システム構成（１８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２６６】
通信システム構成（１９−１）は、送受信部１１（ＴＲｘ）と、スイッチ部１３（ＳＷ）と、制御部１４とを備える（図１８）。異なる波長（λＡ〜λＮ）の光信号を送受信する送受信部１１（ＴＲｘ）がスイッチ部１３（ＳＷ）に接続されている。
【０２６７】
送受信部１１（ＴＲｘ）は自律、又はスイッチ部１３（ＳＷ）若しくは制御部１４等の他の構成要素からの制御、又はスイッチ部１３（ＳＷ）若しくは制御部１４等の他の構成要素を介して転送された運用情報で制御され、ＯＤＮ若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０２６８】
スイッチ部１３（ＳＷ）は上位側の装置（不図示）に直接、又は複数のＯＬＴから若しくはＯＬＴへのトラフィックを集約、分配、振分、複製、折返若しくは透過の少なくとも一部をする集線ＳＷ等を介して接続される。
【０２６９】
スイッチ部１３（ＳＷ）は自律、又は送受信部１１（ＴＲｘ）若しくは制御部１４等の他の構成要素からの制御、又は送受信部１１（ＴＲｘ）若しくは制御部１４等の他の構成要素を介して転送された運用情報で制御され、送受信部１１（ＴＲｘ）又は上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２７０】
制御部１４は、送受信部１１（ＴＲｘ）、スイッチ部１３（ＳＷ）、外部のオペレーションシステム（不図示）、コントローラ（不図示）又は外部の装置（不図示）と接続される。制御部１４は、送受信部１１（ＴＲｘ）若しくはスイッチ部１３（ＳＷ）等の他の構成要素を制御、又は送受信部１１（ＴＲｘ）若しくはスイッチ部１３（ＳＷ）等の他の構成要素を介して運用情報を転送する。
【０２７１】
送受信部１１（ＴＲｘ）、スイッチ部１３（ＳＷ）若しくは制御部１４は、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０２７２】
通信システム構成（１９−２）では、通信システム構成（１９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２７３】
通信システム構成（２０−１）は、送受信部１１（ＴＲｘ）と、スイッチ部１２（ＳＷ）と、プロキシ部１５とを備える（図１８）。異なる波長（λＡ〜λＮ）の光信号を送受信する送受信部１１（ＴＲｘ）がスイッチ部１２に接続されている。
【０２７４】
送受信部１１（ＴＲｘ）は自律、又はスイッチ部１２（ＳＷ）若しくはプロキシ部１５等の他の構成要素からの制御、又はスイッチ部１２（ＳＷ）若しくはプロキシ部１５等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０２７５】
スイッチ部１２（ＳＷ）がプロキシ部１５に直接、又は複数のＯＬＴから若しくはＯＬＴへのトラフィックを集約、分配、振分、複製、折返若しくは透過の少なくとも一部をする集線ＳＷ等を介して接続される。
【０２７６】
スイッチ部１２（ＳＷ）は自律、又は送受信部１１（ＴＲｘ）若しくはプロキシ部１５等の他の構成要素からの制御、又は送受信部１１（ＴＲｘ）若しくはプロキシ部１５等の他の構成要素を介して転送された運用情報で制御され、送受信部１１（ＴＲｘ）又はプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２７７】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又は送受信部１１（ＴＲｘ）若しくはスイッチ部１２（ＳＷ）等の他の構成要素からの制御、又は送受信部１１（ＴＲｘ）若しくはスイッチ部１２（ＳＷ）等の他の構成要素を介して転送された運用情報で制御され、スイッチ部１２（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２７８】
送受信部１１（ＴＲｘ）、スイッチ部１２（ＳＷ）若しくはプロキシ部１５は、送受信部１１（ＴＲｘ）、スイッチ部１２（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくはプロキシ部１５等の他の構成要素、外部のオペレーションシステム（不図示）、コントローラ（不図示）又は外部の装置（不図示）に送信してもよい。
【０２７９】
通信システム構成（２０−２）では、通信システム構成（２０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２８０】
通信システム構成（２１−１）は、送受信部１１（ＴＲｘ）と、スイッチ部１３（ＳＷ）と、プロキシ部１５とを備える（図１８）。異なる波長（λＡ〜λＮ）の光信号を送受信する送受信部１１（ＴＲｘ）がスイッチ部１３（ＳＷ）に接続されている。
【０２８１】
送受信部１１（ＴＲｘ）は自律、又はスイッチ部１３（ＳＷ）若しくはプロキシ部１５等の他の構成要素からの制御、又はスイッチ部１３（ＳＷ）若しくはプロキシ部１５等の他の構成要素を介して転送された運用情報で制御され、ＯＤＮ若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０２８２】
スイッチ部１３（ＳＷ）はプロキシ部１５に直接、又は複数のＯＬＴから若しくはＯＬＴへのトラフィックを集約、分配、振分、複製、折返若しくは透過の少なくとも一部をする集線ＳＷ等を介して接続される。
【０２８３】
スイッチ部１３（ＳＷ）は自律、又は送受信部１１（ＴＲｘ）若しくはプロキシ部１５等の他の構成要素からの制御、又は送受信部１１（ＴＲｘ）若しくはプロキシ部１５等の他の構成要素を介して転送された運用情報で制御され、送受信部１１（ＴＲｘ）又はプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２８４】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又は送受信部１１（ＴＲｘ）若しくはスイッチ部１３（ＳＷ）等の他の構成要素からの制御、又は送受信部１１（ＴＲｘ）若しくはスイッチ部１３（ＳＷ）等の他の構成要素を介して転送された運用情報で制御され、スイッチ部１３（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２８５】
送受信部１１（ＴＲｘ）、スイッチ部１３（ＳＷ）若しくはプロキシ部１５は、送受信部１１（ＴＲｘ）、スイッチ部１３（ＳＷ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくはプロキシ部１５等の他の構成要素、外部のオペレーションシステム（不図示）、コントローラ（不図示）又は外部の装置（不図示）に送信してもよい。
【０２８６】
通信システム構成（２１−２）では、通信システム構成（２１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０２８７】
通信システム構成（２２−１）は、送受信部１１（ＴＲｘ）と、制御部１４と、プロキシ部１５とを備える（図１８）。異なる波長（λＡ〜λＮ）の光信号を送受信する送受信部１１（ＴＲｘ）がプロキシ部１５に直接、又は複数のＯＬＴから若しくはＯＬＴへのトラフィックを集約、分配、振分、複製、折返若しくは透過の少なくとも一部をする集線ＳＷ等を介して接続されている。
【０２８８】
送受信部１１（ＴＲｘ）は自律、又は制御部１４若しくはプロキシ部１５等の他の構成要素からの制御、又は制御部１４若しくはプロキシ部１５等の他の構成要素を介して転送された運用情報で制御され、ＯＤＮ若しくはプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０２８９】
制御部１４は、送受信部１１（ＴＲｘ）、プロキシ部１５、外部のオペレーションシステム（不図示）、コントローラ（不図示）又は外部の装置（不図示）と接続される。制御部１４は、送受信部１１（ＴＲｘ）若しくはプロキシ部１５等の他の構成要素を制御、又は送受信部１１（ＴＲｘ）若しくはプロキシ部１５等の他の構成要素を介して運用情報を転送する。
【０２９０】
プロキシ部１５は上位側の装置（不図示）に直接、又は複数のＯＬＴから／へのトラフィックを集約や分配や振分や複製や折返や透過の少なくとも一部をする集線ＳＷ等を介して接続される。プロキシ部１５は自律、又は送受信部１１（ＴＲｘ）若しくは制御部１４等の他の構成要素からの制御、又は送受信部１１（ＴＲｘ）若しくは制御部１４等の他の構成要素を介して転送された運用情報で制御され、送受信部１１（ＴＲｘ）又は上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２９１】
送受信部１１（ＴＲｘ）、制御部１４若しくはプロキシ部１５は、送受信部１１（ＴＲｘ）若しくはプロキシ部１５等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）及びプロキシ部１５等の他の構成要素、外部のオペレーションシステム（不図示）、コントローラ（不図示）又は外部の装置（不図示）に送信してもよい。
【０２９２】
通信システム構成（２２−２）では、通信システム構成（２２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は複数のＯＬＴから／へのトラフィックを集約や分配や振分や複製や折返や透過の少なくとも一部をする集線ＳＷ等を介してそれぞれ接続されている。更に、異なる波長の送受信部１１の内の少なくとも一部の波長の送受信部１１がプロキシ部１５に直接、又は複数のＯＬＴから／へのトラフィックを集約や分配や振分や複製や折返や透過の少なくとも一部をする集線ＳＷ等を介して複数接続されていてもよい。他は同様である。
【０２９３】
通信システム構成（２３−１）は、送受信部１１（ＴＲｘ）と、スイッチ部１２（ＳＷ）と、外部サーバ１６とを備える（図１８）。異なる波長（λＡ〜λＮ）の光信号を送受信する送受信部１１（ＴＲｘ）がスイッチ部１２に接続されている。
【０２９４】
送受信部１１（ＴＲｘ）は自律、又はスイッチ部１２（ＳＷ）若しくは外部サーバ１６等の他の構成要素からの制御、又はスイッチ部１２（ＳＷ）若しくは外部サーバ１６等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。スイッチ部１２（ＳＷ）が上位側の装置（不図示）に直接、又は複数のＯＬＴから／へのトラフィックを集約や分配や振分や複製や折返や透過の少なくとも一部をする集線ＳＷ等を介して接続される。
【０２９５】
スイッチ部１２（ＳＷ）は自律、又は送受信部１１（ＴＲｘ）若しくは外部サーバ１６等の他の構成要素からの制御、又は送受信部１１（ＴＲｘ）若しくは外部サーバ１６等の他の構成要素を介して転送された運用情報で制御され、送受信部１１（ＴＲｘ）又は上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０２９６】
外部サーバ１６は、送受信部１１（ＴＲｘ）、スイッチ部１２（ＳＷ）、外部のオペレーションシステム（不図示）、コントローラ（不図示）又は外部の装置（不図示）と接続される。外部サーバ１６は、送受信部１１（ＴＲｘ）若しくはスイッチ部１２（ＳＷ）等の他の構成要素を制御、又は送受信部１１（ＴＲｘ）若しくはスイッチ部１２（ＳＷ）等の他の構成要素を介して運用情報を転送する。
【０２９７】
送受信部１１（ＴＲｘ）、スイッチ部１２（ＳＷ）若しくは外部サーバ１６は、送受信部１１（ＴＲｘ）、スイッチ部１２（ＳＷ）若しくは外部サーバ１６等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１２（ＳＷ）若しくは外部サーバ１６等の他の構成要素、外部のオペレーションシステム（不図示）、コントローラ（不図示）又は外部の装置（不図示）に送信してもよい。
【０２９８】
通信システム構成（２３−２）では、通信システム構成（２３−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０２９９】
通信システム構成（２４−１）は、送受信部１１（ＴＲｘ）と、スイッチ部１３（ＳＷ）と、外部サーバ１６とを備える（図１８）。異なる波長（λＡ〜λＮ）の光信号を送受信する送受信部１１（ＴＲｘ）がスイッチ部１３（ＳＷ）に接続されている。
【０３００】
送受信部１１（ＴＲｘ）は自律、又はスイッチ部１３（ＳＷ）若しくは外部サーバ１６等の他の構成要素からの制御、又はスイッチ部１３（ＳＷ）若しくは外部サーバ１６等の他の構成要素を介して転送された運用情報で制御され、ＯＤＮ若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０３０１】
スイッチ部１３（ＳＷ）は上位側の装置（不図示）に直接、又は複数のＯＬＴから／へのトラフィックを集約や分配や振分や複製や折返や透過の少なくとも一部をする集線ＳＷ等を介して接続される。スイッチ部１３（ＳＷ）は自律、又は送受信部１１（ＴＲｘ）若しくは外部サーバ１６等の他の構成要素からの制御、又は送受信部１１（ＴＲｘ）若しくは外部サーバ１６等の他の構成要素を介して転送された運用情報で制御され、スイッチ部１２（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０３０２】
外部サーバ１６は、送受信部１１（ＴＲｘ）、スイッチ部１３（ＳＷ）、外部のオペレーションシステム（不図示）、コントローラ（不図示）又は外部の装置（不図示）と接続される。外部サーバ１６は、送受信部１１（ＴＲｘ）若しくはスイッチ部１３（ＳＷ）等の他の構成要素を制御、又は送受信部１１（ＴＲｘ）若しくはスイッチ部１３（ＳＷ）等の他の構成要素を介して運用情報を転送する。
【０３０３】
送受信部１１（ＴＲｘ）、スイッチ部１３（ＳＷ）若しくは外部サーバ１６は、送受信部１１（ＴＲｘ）、スイッチ部１３（ＳＷ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、スイッチ部１３（ＳＷ）若しくは外部サーバ１６等の他の構成要素、外部のオペレーションシステム（不図示）、コントローラ（不図示）又は外部の装置（不図示）に送信してもよい。
【０３０４】
通信システム構成（２４−２）では、通信システム構成（２４−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３０５】
通信システム構成（２５−１）は、送受信部１１（ＴＲｘ）と、制御部１４と、外部サーバ１６とを備える（図１８）。異なる波長（λＡ〜λＮ）の光信号を送受信する送受信部１１（ＴＲｘ）が上位側の装置（不図示）に直接、又は複数のＯＬＴから／へのトラフィックを集約や分配や振分や複製や折返や透過の少なくとも一部をする集線ＳＷ等を介して接続されている。
【０３０６】
送受信部１１（ＴＲｘ）は自律、又は制御部１４若しくは外部サーバ１６等の他の構成要素からの制御、又は制御部１４若しくは外部サーバ１６等の他の構成要素を介して転送された運用情報で制御され、ＯＤＮ若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０３０７】
制御部１４は、送受信部１１（ＴＲｘ）、外部サーバ１６、外部のオペレーションシステム（不図示）、コントローラ（不図示）又は外部の装置（不図示）と接続される。制御部１４は、送受信部１１（ＴＲｘ）若しくは外部サーバ１６等の他の構成要素を制御、又は送受信部１１（ＴＲｘ）若しくは外部サーバ１６等の他の構成要素を介して運用情報を転送する。
【０３０８】
外部サーバ１６は、送受信部１１（ＴＲｘ）、制御部１４、外部のオペレーションシステム（不図示）、コントローラ（不図示）又は外部の装置（不図示）と接続される。外部サーバ１６は、送受信部１１（ＴＲｘ）若しくは制御部１４等の他の構成要素を制御、又は送受信部１１（ＴＲｘ）若しくは制御部１４等の他の構成要素を介して運用情報を転送する。
【０３０９】
送受信部１１（ＴＲｘ）、制御部１４若しくは外部サーバ１６は、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくは外部サーバ１６等の他の構成要素、外部のオペレーションシステム（不図示）、コントローラ（不図示）又は外部の装置（不図示）に送信してもよい。
【０３１０】
通信システム構成（２５−２）では、通信システム構成（２５−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は複数のＯＬＴから／へのトラフィックを集約や分配や振分や複製や折返や透過の少なくとも一部をする集線ＳＷ等を介してそれぞれ接続されている。更に、異なる波長の送受信部１１の内の少なくとも一部の波長の送受信部１１が上位側の装置（不図示）に直接、又は複数のＯＬＴから／へのトラフィックを集約や分配や振分や複製や折返や透過の少なくとも一部をする集線ＳＷ等を介して複数接続されていてもよい。他は同様である。
【０３１１】
通信システム構成（２６−１）は、送受信部１１（ＴＲｘ）と、プロキシ部１５と、外部サーバ１６とを備える（図１８）。異なる波長（λＡ〜λＮ）の光信号を送受信する送受信部１１（ＴＲｘ）がプロキシ部１５に直接、又は複数のＯＬＴから若しくはＯＬＴへのトラフィックを集約、分配、振分、複製、折返若しくは透過の少なくとも一部をする集線ＳＷ等を介して接続されている。
【０３１２】
送受信部１１（ＴＲｘ）は自律、又はプロキシ部１５若しくは外部サーバ１６等の他の構成要素からの制御、又はプロキシ部１５若しくは外部サーバ１６等の他の構成要素を介して転送された運用情報で制御され、ＯＤＮ若しくはプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０３１３】
プロキシ部１５は自律、又は送受信部１１（ＴＲｘ）若しくは外部サーバ１６等の他の構成要素からの制御、又は送受信部１１（ＴＲｘ）若しくは外部サーバ１６等の他の構成要素を介して転送された運用情報で制御され、スイッチ部１３（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０３１４】
外部サーバ１６は、送受信部１１（ＴＲｘ）、プロキシ部１５、外部のオペレーションシステム（不図示）、コントローラ（不図示）又は外部の装置（不図示）と接続される。外部サーバ１６は、送受信部１１（ＴＲｘ）若しくはプロキシ部１５等の他の構成要素を制御、又は送受信部１１（ＴＲｘ）若しくはプロキシ部１５等の他の構成要素を介して運用情報を転送する。
【０３１５】
送受信部１１（ＴＲｘ）、プロキシ部１５若しくは外部サーバ１６は、送受信部１１（ＴＲｘ）、プロキシ部１５若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）、プロキシ部１５若しくは外部サーバ１６等の他の構成要素、外部のオペレーションシステム（不図示）、コントローラ（不図示）又は外部の装置（不図示）に送信してもよい。
【０３１６】
通信システム構成（２６−２）では、通信システム構成（２６−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は複数のＯＬＴから／へのトラフィックを集約や分配や振分や複製や折返や透過の少なくとも一部をする集線ＳＷ等を介してそれぞれ接続されている。更に、異なる波長の送受信部１１の内の少なくとも一部の波長の送受信部１１がプロキシ部１５に直接、又は複数のＯＬＴから／へのトラフィックを集約や分配や振分や複製や折返や透過の少なくとも一部をする集線ＳＷ等を介して複数接続されていてもよい。他は同様である。
【０３１７】
通信システム構成（２７−１）は、送受信部１１（ＴＲｘ）と、スイッチ部１２（ＳＷ）とを備える（図１８）。異なる波長（λＡ〜λＮ）の光信号を送受信する送受信部１１（ＴＲｘ）がスイッチ部１２に接続されている。
【０３１８】
送受信部１１（ＴＲｘ）は自律、又はスイッチ部１２（ＳＷ）等の他の構成要素からの制御、又はスイッチ部１２（ＳＷ）等の他の構成要素を介して転送された運用情報で制御され、ＯＤＮ若しくはスイッチ部１２（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０３１９】
スイッチ部１２（ＳＷ）が上位側の装置（不図示）に直接、又は複数のＯＬＴから／へのトラフィックを集約や分配や振分や複製や折返や透過の少なくとも一部をする集線ＳＷ等を介して接続される。スイッチ部１２（ＳＷ）は自律、又は送受信部１１（ＴＲｘ）等の他の構成要素からの制御、又は送受信部１１（ＴＲｘ）等の他の構成要素を介して転送された運用情報で制御され、送受信部１１（ＴＲｘ）又は上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０３２０】
送受信部１１（ＴＲｘ）又はスイッチ部１２（ＳＷ）は、送受信部１１（ＴＲｘ）若しくはスイッチ部１２（ＳＷ）等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１２（ＳＷ）等の他の構成要素、外部のオペレーションシステム（不図示）、コントローラ（不図示）又は外部の装置（不図示）に送信してもよい。
【０３２１】
通信システム構成（２７−２）では、通信システム構成（２７−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１２にそれぞれ接続されている。更に、異なる波長の送受信部１１の内の少なくとも一部の波長の送受信部１１がスイッチ部１２に複数接続されていてもよい。他は同様である。
【０３２２】
通信システム構成（２８−１）は、送受信部１１（ＴＲｘ）と、スイッチ部１３（ＳＷ）とを備える（図１８）。異なる波長（λＡ〜λＮ）の光信号を送受信する送受信部１１（ＴＲｘ）がスイッチ部１３（ＳＷ）に接続されている。
【０３２３】
送受信部１１（ＴＲｘ）は自律、又はスイッチ部１３（ＳＷ）等の他の構成要素からの制御、又はスイッチ部１３（ＳＷ）等の他の構成要素を介して転送された運用情報で制御され、ＯＤＮ若しくはスイッチ部１３（ＳＷ）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０３２４】
スイッチ部１３（ＳＷ）は上位側の装置（不図示）に直接、又は複数のＯＬＴから／へのトラフィックを集約や分配や振分や複製や折返や透過の少なくとも一部をする集線ＳＷ等を介して接続される。スイッチ部１３（ＳＷ）は自律、又は送受信部１１（ＴＲｘ）等の他の構成要素からの制御、又は送受信部１１（ＴＲｘ）等の他の構成要素を介して転送された運用情報で制御され、送受信部１１（ＴＲｘ）又は上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０３２５】
送受信部１１（ＴＲｘ）又はスイッチ部１３（ＳＷ）は、送受信部１１（ＴＲｘ）若しくはスイッチ部１３（ＳＷ）等の他の構成要素のトラフィックの一部又はその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはスイッチ部１３（ＳＷ）等の他の構成要素、外部のオペレーションシステム（不図示）、コントローラ（不図示）又は外部の装置（不図示）に送信してもよい。
【０３２６】
通信システム構成（２８−２）では、通信システム構成（２８−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が、スイッチ部１３（ＳＷ）にそれぞれ接続されている。更に、異なる波長の送受信部１１の内の少なくとも一部の波長の送受信部１１がスイッチ部１３に複数接続されていてもよい。他は同様である。
【０３２７】
通信システム構成（２９−１）は、送受信部１１（ＴＲｘ）と、制御部１４とを備える（図１８）。異なる波長（λＡ〜λＮ）の光信号を送受信する送受信部１１（ＴＲｘ）が上位側の装置（不図示）に直接、又は複数のＯＬＴから／へのトラフィックを集約や分配や振分や複製や折返や透過の少なくとも一部をする集線ＳＷ等を介して接続されている。
【０３２８】
送受信部１１（ＴＲｘ）は自律、又は制御部１４等の他の構成要素からの制御、又は制御部１４等の他の構成要素を介して転送された運用情報で制御され、ＯＤＮ若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０３２９】
制御部１４は、送受信部１１（ＴＲｘ）、外部のオペレーションシステム（不図示）、コントローラ（不図示）又は外部の装置（不図示）と接続される。制御部１４は、送受信部１１（ＴＲｘ）等の他の構成要素を制御、又は送受信部１１（ＴＲｘ）等の他の構成要素を介して運用情報を転送する。
送受信部１１（ＴＲｘ）又は制御部１４は、送受信部１１（ＴＲｘ）の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）等の他の構成要素、外部のオペレーションシステム（不図示）、コントローラ（不図示）又は外部の装置（不図示）に送信してもよい。
【０３３０】
通信システム構成（２９−２）では、通信システム構成（２９−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は複数のＯＬＴから／へのトラフィックを集約や分配や振分や複製や折返や透過の少なくとも一部をする集線ＳＷ等を介してそれぞれ接続されている。更に、異なる波長の送受信部１１の内の少なくとも一部の波長の送受信部１１が上位側の装置（不図示）に直接、又は複数のＯＬＴから／へのトラフィックを集約や分配や振分や複製や折返や透過の少なくとも一部をする集線ＳＷ等を介して複数接続されていてもよい。他は同様である。
【０３３１】
通信システム構成（３０−１）は、送受信部１１（ＴＲｘ）と、プロキシ部１５とを備える（図１８）。異なる波長（λＡ〜λＮ）の光信号を送受信する送受信部１１（ＴＲｘ）がプロキシ部１５に直接、又は複数のＯＬＴから若しくはＯＬＴへのトラフィックを集約、分配、振分、複製、折返若しくは透過の少なくとも一部をする集線ＳＷ等を介して接続されている。
【０３３２】
送受信部１１（ＴＲｘ）は自律、又はプロキシ部１５等の他の構成要素からの制御、又はプロキシ部１５等の他の構成要素を介して転送された運用情報で制御され、ＯＤＮ若しくはプロキシ部１５のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０３３３】
プロキシ部１５は自律、又は送受信部１１（ＴＲｘ）、スイッチ部１２（ＳＷ）、スイッチ部１３（ＳＷ）、制御部１４若しくは外部サーバ１６等の他の構成要素からの制御、又は送受信部１１（ＴＲｘ）、スイッチ部１２（ＳＷ）、スイッチ部１３（ＳＷ）、制御部１４若しくは外部サーバ１６等の他の構成要素を介して転送された運用情報で制御され、スイッチ部１３（ＳＷ）若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一部又はその組み合わせで処理する。
【０３３４】
送受信部１１（ＴＲｘ）やプロキシ部１５は、送受信部１１（ＴＲｘ）若しくはプロキシ部１５等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくはプロキシ部１５等の他の構成要素、外部のオペレーションシステム（不図示）、コントローラ（不図示）又は外部の装置（不図示）に送信してもよい。
【０３３５】
通信システム構成（３０−２）では、通信システム構成（３０−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）がプロキシ部１５に直接、又は複数のＯＬＴから／へのトラフィックを集約や分配や振分や複製や折返や透過の少なくとも一部をする集線ＳＷ等を介してそれぞれ接続されている。更に、異なる波長の送受信部１１の内の少なくとも一部の波長の送受信部１１がプロキシ部１５に直接、又は複数のＯＬＴから／へのトラフィックを集約や分配や振分や複製や折返や透過の少なくとも一部をする集線ＳＷ等を介して複数接続されていてもよい。他は同様である。
【０３３６】
通信システム構成（３１−１）は、送受信部１１（ＴＲｘ）と、外部サーバ１６とを備える（図１８）。異なる波長（λＡ〜λＮ）の光信号を送受信する送受信部１１（ＴＲｘ）が上位側の装置（不図示）に直接、又は複数のＯＬＴから／へのトラフィックを集約や分配や振分や複製や折返や透過の少なくとも一部をする集線ＳＷ等を介して接続されている。
【０３３７】
送受信部１１（ＴＲｘ）は自律、又は外部サーバ１６等の他の構成要素からの制御、又は外部サーバ１６等の他の構成要素を介して転送された運用情報で制御され、ＯＤＮ若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０３３８】
外部サーバ１６は、送受信部１１（ＴＲｘ）、外部のオペレーションシステム（不図示）、コントローラ（不図示）又は外部の装置（不図示）と接続される。外部サーバ１６は、送受信部１１（ＴＲｘ）等の他の構成要素を制御、又は送受信部１１（ＴＲｘ）の他の構成要素を介して運用情報を転送する。
【０３３９】
送受信部１１（ＴＲｘ）又は外部サーバ１６は、送受信部１１（ＴＲｘ）若しくは外部サーバ１６等の他の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）若しくは外部サーバ１６等の他の構成要素、外部のオペレーションシステム（不図示）、コントローラ（不図示）又は外部の装置（不図示）に送信してもよい。
【０３４０】
通信システム構成（３１−２）では、通信システム構成（３１−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は複数のＯＬＴから／へのトラフィックを集約や分配や振分や複製や折返や透過の少なくとも一部をする集線ＳＷ等を介してそれぞれ接続されている。更に、異なる波長の送受信部１１の内の少なくとも一部の波長の送受信部１１が上位側の装置（不図示）に直接、又は複数のＯＬＴから／へのトラフィックを集約や分配や振分や複製や折返や透過の少なくとも一部をする集線ＳＷ等を介して複数接続されていてもよい。他は同様である。
【０３４１】
通信システム構成（３２−１）は、送受信部１１（ＴＲｘ）とを備える（図１８）。異なる波長（λＡ〜λＮ）の光信号を送受信する送受信部１１（ＴＲｘ）が、上位側の装置（不図示）に直接、又は複数のＯＬＴから／へのトラフィックを集約や分配や振分や複製や折返や透過の少なくとも一部をする集線ＳＷ等を介して接続されている。
【０３４２】
送受信部１１（ＴＲｘ）は自律、又は他の構成要素からの制御、又は他の構成要素を介して転送された運用情報で制御され、ＯＤＮ若しくは上位側の装置（不図示）のトラフィックの一部又はその全てを、所定の手順に従って、ＶＬＡＮ、優先、廃棄優先若しくは宛先等の少なくとも一部又はその組み合わせのタグの追加、削除、付替若しくは変更無で、集約、分配、振分、複製、折返若しくは透過の少なくとも一つ又はその組み合わせで処理する。
【０３４３】
送受信部１１（ＴＲｘ）は、送受信部１１（ＴＲｘ）等の構成要素のトラフィックの一部若しくはその全て自体又はその複写を受けて、受けたトラフィックの一部、その全て自体、受けたトラフィックの一部、全てを書き換えたトラフィック又は受けたトラフィックに対する応答を、送受信部１１（ＴＲｘ）等の構成要素の内部、外部のオペレーションシステム（不図示）、コントローラ（不図示）又は外部の装置（不図示）に送信してもよい。
【０３４４】
通信システム構成（３２−２）では、通信システム構成（３２−１）の構成に対して更に、異なる波長の代わりに同一の波長の光信号を送受信する送受信部１１（ＴＲｘ）（λＡ〜λＡ）、送受信部１１（ＴＲｘ）（λＢ〜λＢ）、…、送受信部１１（ＴＲｘ）（λＮ〜λＮ）が上位側の装置（不図示）に直接、又は複数のＯＬＴから／へのトラフィックを集約や分配や振分や複製や折返や透過の少なくとも一部をする集線ＳＷ等を介してそれぞれ接続されている。更に、異なる波長の送受信部１１の内の少なくとも一部の波長の送受信部１１が上位側の装置（不図示）に直接、又は複数のＯＬＴから／へのトラフィックを集約や分配や振分や複製や折返や透過の少なくとも一部をする集線ＳＷ等を介して複数接続されていてもよい。他は同様である。以下、情報を記憶（保持）する機能部を「指示部」という。
【０３４５】
（第１の構成例）
ＯＬＴが送受信部１１を備え、実行部と指示部とを分離して機能配備する例について説明する。この場合、ＯＬＴは、送受信部１１に実行部を備える。ＯＬＴは、送受信部１１の情報処理部や、ＣＰＵ等の演算処理可能な箇所に、指示部を備える。実行部が指示部よりＰＯＮ側に配置されることが応答速度の観点から好ましいが、逆でもよく、同位置の別装置上でもよく、同一装置上の別ＶＭ上でもよい。
【０３４６】
実行部と指示部の入出力は、内部配線、バックボード、ＯＡＭ部１１４、主信号線、専用の配線、オペレーションシステム、コントローラ又は制御盤（Ｃｏｎｔ盤）等の経路のいずれでよい。ＯＮＵからの申告又は申告の複写を指示部で直接終端して入力する場合、ＯＡＭ部１１４又は主信号にカプセル化してもよい。ＯＮＵからの申告又は申告の複写をいずれかの箇所で終端して、内部配線、バックボード、ＯＡＭ部１１４、主信号線、専用の配線、オペレーションシステム、コントローラ又は制御盤等の経路を経由して入力してもよい。ＯＡＭ部１１４や主信号線を用いる場合、ＯＡＭ部１１４や主信号にカプセル化することが望ましい。主信号線を通す場合はＯＳＵ又は他箇所のスイッチ部にて指示部に振り分けることが望ましい。
【０３４７】
なお、第１の構成例は、通信システム構成（１−１）〜（３２−２）における送受信部１１と送受信部１１に演算処理可能な箇所を備える任意の構成に適用できる。
【０３４８】
（第２の構成例）
第２の構成例では、実行部を送受信部１１に備え、指示部をスイッチ部１２の例えば情報処理部や、ＣＰＵ等の演算処理可能な箇所に備える。その他は第１の構成例と同様である。なお、第２の構成例は、通信システム構成（１−１）〜（３２−２）における送受信部１１とスイッチ部１２に演算処理可能な箇所を備える任意の構成に適用できる。なお、送受信部１１とスイッチ部の演算処理可能な箇所の両方に実行部及び指示部が備わっていてもよい。
【０３４９】
（第３の構成例）
第３の構成例では、実行部を送受信部１１に備え、指示部をＯＳＵの例えば情報処理部や、ＣＰＵ等の演算処理可能な箇所に備える。その他は第１の構成例と同様である。なお、第３の構成例は、通信システム構成（１−１）〜（３２−２）における送受信部１１とＯＳＵに演算処理可能な箇所を備える任意の構成に適用できる。なお、送受信部１１とＯＳＵの演算処理可能な箇所の両方に実行部及び指示部が備わっていてもよい。
【０３５０】
（第４の構成例）
第４の構成例では、実行部を送受信部１１に備え、指示部をスイッチ部１３の例えば情報処理部や、ＣＰＵ等の演算処理可能な箇所に備える。その他は第１の構成例と同様である。なお、第４の構成例は、通信システム構成（１−１）〜（３２−２）における送受信部１１とスイッチ部１３に演算処理可能な箇所を備える任意の構成に適用できる。なお、送受信部１１とスイッチ部１３の演算処理可能な箇所の両方に実行部及び指示部が備わっていてもよい。
【０３５１】
（第５の構成例）
第５の構成例では、実行部を送受信部１１に備え、指示部をＯＬＴの例えば制御部１４、情報処理部、制御盤又はＣＰＵ盤等の演算処理可能な箇所に備える。その他は第１の構成例と同様である。なお、第５の構成例は、通信システム構成（１−１）〜（３２−２）における送受信部１１とＯＬＴに演算処理可能な箇所を備える任意の構成に適用できる。なお、送受信部１１とＯＬＴの演算処理可能な箇所の両方に実行部及び指示部が備わっていてもよい。
【０３５２】
（第６の構成例）
第６の構成例では、実行部を送受信部１１に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第６の構成例は、通信システム構成（１−１）〜（３２−２）におけるＯＬＴ外部に演算処理可能な箇所を備える任意の構成に適用できる。なお、送受信部１１とＯＬＴ外部の演算処理可能な箇所の両方に実行部及び指示部が備わっていてもよい。
【０３５３】
（第７の構成例）
第７の構成例では、実行部を送受信部１１に備え、指示部をＯＬＴ外部の主信号ネットワーク中の例えばプロキシ部１５等の演算処理可能な箇所に備える。その他は第１の構成例と同様である。なお、第７の構成例は、通信システム構成（１−１）〜（３２−２）における送受信部１１とＯＬＴ外部の主信号ネットワーク中に演算処理可能な箇所を備える任意の構成に適用できる。なお、送受信部１１とＯＬＴ外部の主信号ネットワーク中の演算処理可能な箇所の両方に実行部及び指示部が備わっていてもよい。
【０３５４】
（第８の構成例）
第８の構成例では、実行部をスイッチ部１２に備え、指示部を送受信部１１の例えば情報処理部や、ＣＰＵ等の演算処理可能な箇所に備える。その他は第１の構成例と同様である。なお、第８の構成例は、通信システム構成（１−１）〜（３２−２）におけるスイッチ部１２と送受信部１１に演算処理可能な箇所を備える任意の構成に適用できる。なお、スイッチ部１２と送受信部１１の演算処理可能な箇所の両方に実行部及び指示部が備わっていてもよい。
【０３５５】
（第９の構成例）
第９の構成例では、実行部をスイッチ部１２に備え、指示部をスイッチ部１２の例えば情報処理部や、ＣＰＵ等の演算処理可能な箇所に備える。実行部が指示部よりＰＯＮ側に配置されることが応答速度の観点から好ましいが、逆でもよく、同位置の別装置上でもよく、同一装置上の別ＶＭ上でもよい。その他は第１の構成例と同様である。なお、第９の構成例は、通信システム構成（１−１）〜（３２−２）におけるスイッチ部１２とスイッチ部１２に演算処理可能な箇所を備える任意の構成に適用できる。
【０３５６】
（第１０の構成例）
第１０の構成例では、実行部をスイッチ部１２に備え、指示部をＯＳＵの例えば情報処理部や、ＣＰＵ等の演算処理可能な箇所に備える。その他は第１の構成例と同様である。なお、第１０の構成例は、通信システム構成（１−１）〜（３２−２）におけるスイッチ部１２とＯＳＵに演算処理可能な箇所を備える任意の構成に適用できる。なお、スイッチ部１２とＯＳＵの演算処理可能な箇所の両方に実行部及び指示部が備わっていてもよい。
【０３５７】
（第１１の構成例）
第１１の構成例では、実行部をスイッチ部１２に備え、指示部をスイッチ部１３の例えば情報処理部や、ＣＰＵ等に備える。その他は第１の構成例と同様である。なお、第１１の構成例は、通信システム構成（１−１）〜（３２−２）におけるスイッチ部１２とスイッチ部１３に演算処理可能な箇所を備える任意の構成に適用できる。なお、スイッチ部１２とＯＳＵ２ａの演算処理可能な箇所の両方に実行部及び指示部が備わっていてもよい。
【０３５８】
（第１２の構成例）
第１２の構成例では、実行部をスイッチ部１２に備え、指示部をＯＬＴの例えば制御部１４、情報処理部、制御盤又はＣＰＵ盤等の演算処理可能な箇所に備える。その他は第１の構成例と同様である。なお、第１２の構成例は、通信システム構成（１−１）〜（３２−２）におけるスイッチ部１２とＯＬＴに演算処理可能な箇所を備える任意の構成に適用できる。なお、スイッチ部１２とＯＬＴの演算処理可能な箇所の両方に実行部及び指示部が備わっていてもよい。
【０３５９】
（第１３の構成例）
第１３の構成例では、実行部をスイッチ部１２に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第１３の構成例は、通信システム構成（１−１）〜（３２−２）におけるスイッチ部１２とＯＬＴ外部に演算処理可能な箇所を備える任意の構成に適用できる。なお、スイッチ部１２及びＯＬＴ外部の演算処理可能な箇所の両方に実行部及び指示部が備わっていてもよい。
【０３６０】
（第１４の構成例）
第１４の構成例では、実行部をスイッチ部１２に備え、指示部をＯＬＴ外部の主信号ネットワーク中の例えばプロキシ部１５等の演算処理が可能な箇所に備える。その他は第１の構成例と同様である。なお、第１４の構成例は、通信システム構成（１−１）〜（３２−２）におけるスイッチ部１２とＯＬＴ外部の主信号ネットワーク中に演算処理可能な箇所を備える任意の構成に適用できる。なお、スイッチ部１２とＯＬＴ外部の主信号ネットワーク中の演算処理可能な箇所の両方に実行部及び指示部が備わっていてもよい。
【０３６１】
（第１５の構成例）
第１５の構成例では、実行部をＯＳＵに備え、指示部を送受信部１１の例えば情報処理部や、ＣＰＵ等の演算処理可能な箇所に備える。その他は第１の構成例と同様である。なお、第１５の構成例は、通信システム構成（１−１）〜（３２−２）におけるＯＳＵと送受信部１１に演算処理可能な箇所を含む構成に適用できる。なお、ＯＳＵと送受信部１１の演算処理可能な箇所の両方に実行部及び指示部が備わっていてもよい。
【０３６２】
（第１６の構成例）
第１６の構成例では、実行部をＯＳＵ、指示部をスイッチ部１２の例えば情報処理部や、ＣＰＵ等の演算処理可能な箇所に備える。その他は第１の構成例と同様である。なお、第１６の構成例は、通信システム構成（１−１）〜（３２−２）におけるＯＳＵとスイッチ部１２に演算処理可能な箇所を備える任意の構成に適用できる。なお、ＯＳＵとスイッチ部１２の演算処理可能な箇所の両方に実行部及び指示部が備わっていてもよい。
【０３６３】
（第１７の構成例）
第１７の構成例では、実行部をＯＳＵに備え、指示部をＯＳＵの例えば情報処理部、ＣＰＵ等の演算処理可能な箇所に備える。実行部が指示部よりＰＯＮ近傍に配置されることが応答速度の観点から好ましいが、逆でもよく、同位置の別装置上でもよく、同一装置上の別ＶＭ上でもよい。その他は第１の構成例と同様である。なお、第１７の構成例は、通信システム構成（１−１）〜（３２−２）におけるＯＳＵとＯＳＵに演算処理可能な箇所を備える任意の構成に適用できる。
【０３６４】
（第１８の構成例）
第１８の構成例では、実行部をＯＳＵに備え、指示部をスイッチ部１３の例えば情報処理部や、ＣＰＵ等の演算処理可能な箇所に備える。その他は第１の構成例と同様である。なお、第１８の構成例は、通信システム構成（１−１）〜（３２−２）におけるＯＳＵとスイッチ部１３に演算処理可能な箇所を備える任意の構成に適用できる。なお、ＯＳＵとスイッチ部１３の演算処理可能な箇所の両方に実行部及び指示部が備わっていてもよい。
【０３６５】
（第１９の構成例）
第１９の構成例では、実行部をＯＳＵに備え、指示部をＯＬＴの例えば制御部１４、情報処理部、制御盤又はＣＰＵ盤等の演算処理可能な箇所に備える。その他は第１の構成例と同様である。なお、第１９の構成例は、通信システム構成（１−１）〜（３２−２）におけるＯＳＵとＯＬＴに演算処理可能な箇所を備える任意の構成に適用できる。なお、ＯＳＵ及びＯＬＴの演算処理可能な箇所の両方に実行部及び指示部が備わっていてもよい。
【０３６６】
（第２０の構成例）
第２０の構成例では、実行部をＯＳＵに備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第２０の構成例は、通信システム構成（１−１）〜（３２−２）におけるＯＳＵとＯＬＴ外部に演算処理可能な箇所を備える任意の構成に適用できる。なお、ＯＳＵとＯＬＴ外部の演算処理可能な箇所の両方に実行部及び指示部が備わっていてもよい。
【０３６７】
（第２１の構成例）
第２１の構成例では、実行部をＯＳＵに備え、指示部をＯＬＴ外部の主信号ネットワーク中の例えばプロキシ部１５等の演算処理可能な箇所に備える。その他は第１の構成例と同様である。なお、第２１の構成例は、通信システム構成（１−１）〜（３２−２）におけるＯＳＵとＯＬＴ外部の主信号ネットワーク中演算処理可能な箇所を備える任意の構成に適用できる。なお、ＯＳＵとＯＬＴ外部の主信号ネットワーク中の演算処理可能な箇所の両方に実行部及び指示部が備わっていてもよい。
【０３６８】
（第２２の構成例）
第２２の構成例では、実行部をスイッチ部１３に備え、指示部を送受信部１１の例えば情報処理部や、ＣＰＵ等の演算処理可能な箇所に備える。その他は第１の構成例と同様である。なお、第２２の構成例は、通信システム構成（１−１）〜（３２−２）におけるスイッチ部１３と送受信部１１に演算処理可能な箇所を備える任意の構成に適用できる。なお、スイッチ部１３及び送受信部１１の演算処理可能な箇所の両方に実行部及び指示部が備わっていてもよい。
【０３６９】
（第２３の構成例）
第２３の構成例では、実行部をスイッチ部１３に備え、指示部をスイッチ部１２に備える。その他は第１の構成例と同様である。なお、第２３の構成例は、通信システム構成（１−１）〜（３２−２）におけるスイッチ部１２と１３を備える任意の構成に適用できる。なお、スイッチ部１３及びＯＳＵ２ａの演算処理可能な箇所の両方に実行部及び指示部が備わっていてもよい。
【０３７０】
（第２４の構成例）
第２４の構成例では、実行部をスイッチ部１３に備え、指示部をＯＳＵの演算処理可能な箇所に備える。ＯＳＵの演算処理可能な箇所は、例えば、情報処理部、ＣＰＵである。その他は第１の構成例と同様である。なお、第２４の構成例は、通信システム構成（１−１）〜（３２−２）におけるＯＳＵに演算処理可能な箇所とスイッチ部１３を備える任意の構成に適用できる。なお、スイッチ部１３及びＯＳＵ２ａの演算処理可能な箇所の両方に実行部及び指示部が備わっていてもよい。
【０３７１】
（第２５の構成例）
第２５の構成例では、実行部をスイッチ部１３に備え、指示部をスイッチ部１３の例えば情報処理部や、ＣＰＵ等の演算処理可能な箇所に備える。その他は第１の構成例と同様である。実行部が指示部よりＰＯＮ側に配置されることが応答速度の観点から好ましいが、逆でもよく、同位置の別装置上でもよく、同一装置上の別ＶＭ上でもよい。なお、第２５の構成例は、通信システム構成（１−１）〜（３２−２）におけるスイッチ部１３とスイッチ部１３に演算処理可能な箇所を備える任意の構成に適用できる。
【０３７２】
（第２６の構成例）
第２６の構成例では、実行部をスイッチ部１３に備え、指示部をＯＬＴの例えば制御部１４、情報処理部、制御盤又はＣＰＵ盤等の演算処理可能な箇所に備える。その他は第１の構成例と同様である。なお、第２６の構成例は、通信システム構成（１−１）〜（３２−２）におけるスイッチ部１３とＯＬＴに演算処理可能な箇所を備える任意の構成に適用できる。なお、スイッチ部１３及びＯＬＴの演算処理可能な箇所の両方に実行部及び指示部が備わっていてもよい。
【０３７３】
（第２７の構成例）
第２７の構成例では、実行部をスイッチ部１３に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第２７の構成例は、通信システム構成（１−１）〜（３２−２）におけるスイッチ部１３とＯＬＴ外部の演算処理可能な箇所を備える任意の構成に適用できる。なお、スイッチ部１３及びＯＬＴ外部の演算処理可能な箇所の両方に実行部及び指示部が備わっていてもよい。
【０３７４】
（第２８の構成例）
第２８の構成例では、実行部をスイッチ部１３に備え、指示部をＯＬＴ外部の主信号ネットワーク中の例えばプロキシ部１５等の演算処理可能な箇所に備える。その他は第１の構成例と同様である。なお、第２８の構成例は、通信システム構成（１−１）〜（３２−２）におけるスイッチ部１３とＯＬＴ外部の主信号ネットワーク中に演算処理可能な箇所を備える任意の構成に適用できる。なお、スイッチ部１３とＯＬＴ外部の主信号ネットワーク中の演算処理可能な箇所の両方に実行部及び指示部が備わっていてもよい。
【０３７５】
（第２９の構成例）
第２９の構成例では、実行部をＯＬＴの例えば制御部１４、情報処理部、制御盤又はＣＰＵ盤等に備え、指示部を送受信部１１の情報処理部や、ＣＰＵ等の演算処理可能な箇所に備える。その他は第１の構成例と同様である。なお、第２９の構成例は、通信システム構成（１−１）〜（３２−２）におけるＯＬＴの例えば制御部１４、情報処理部、制御盤又はＣＰＵ盤等と送受信部１１に演算処理可能な箇所を備える任意の構成に適用できる。なお、ＯＬＴの例えば制御部１４、情報処理部、制御盤又はＣＰＵ盤等及び送受信部１１の演算処理可能な箇所の両方に実行部及び指示部が備わっていてもよい。
【０３７６】
（第３０の構成例）
第３０の構成例では、実行部をＯＬＴの例えば制御部１４、情報処理部、制御盤又はＣＰＵ盤等に備え、指示部をスイッチ部１２の例えば情報処理部や、ＣＰＵ等の演算処理可能な箇所に備える。その他は第１の構成例と同様である。なお、第３０の構成例は、通信システム構成（１−１）〜（３２−２）におけるＯＬＴの例えば制御部１４、情報処理部、制御盤又はＣＰＵ盤等とスイッチ部１２に演算処理可能な箇所を備える任意の構成に適用できる。なお、ＯＬＴの例えば制御部１４、情報処理部、制御盤又はＣＰＵ盤等及びスイッチ部１２の演算処理可能な箇所の両方に実行部及び指示部が備わっていてもよい。
【０３７７】
（第３１の構成例）
第３１の構成例では、実行部をＯＬＴの例えば制御部１４、情報処理部、制御盤又はＣＰＵ盤等に備え、指示部をＯＳＵの例えば情報処理部や、ＣＰＵ等の演算処理可能な箇所に備える。その他は第１の構成例と同様である。なお、第３１の構成例は、通信システム構成（１−１）〜（３２−２）におけるＯＬＴの例えば制御部１４、情報処理部、制御盤又はＣＰＵ盤等とＯＳＵに演算処理可能な箇所を備える任意の構成に適用できる。なお、ＯＬＴの例えば制御部１４、情報処理部、制御盤又はＣＰＵ盤等とＯＳＵの演算処理可能な箇所の両方に実行部及び指示部が備わっていてもよい。
【０３７８】
（第３２の構成例）
第３２の構成例では、実行部をＯＬＴの例えば制御部１４、情報処理部、制御盤又はＣＰＵ盤等に備え、指示部をスイッチ部１３の例えば情報処理部や、ＣＰＵ等の演算処理可能な箇所に備える。その他は第１の構成例と同様である。なお、第３２の構成例は、通信システム構成（１−１）〜（３２−２）におけるＯＬＴの例えば制御部１４、情報処理部、制御盤又はＣＰＵ盤等とスイッチ部１３に演算処理可能な箇所を備える任意の構成に適用できる。なお、ＯＬＴの例えば制御部１４、情報処理部、制御盤又はＣＰＵ盤等及びスイッチ部１３の演算処理可能な箇所の両方に実行部及び指示部が備わっていてもよい。
【０３７９】
（第３３の構成例）
第３３の構成例では、実行部をＯＬＴの例えば制御部１４、情報処理部、制御盤又はＣＰＵ盤等に備え、指示部をＯＬＴの例えば制御部１４、情報処理部、制御盤又はＣＰＵ盤等の演算処理可能な箇所に備える。実行部が指示部よりＰＯＮ側に配置されることが応答速度の観点から好ましいが、逆でもよく、同位置の別装置上でもよく、同一装置上の別ＶＭ上でもよい。その他は第１の構成例と同様である。なお、第３３の構成例は、通信システム構成（１−１）〜（３２−２）におけるＯＬＴの例えば制御部１４、情報処理部、制御盤又はＣＰＵ盤とＯＬＴに演算処理可能な箇所を備える構成に適用できる。
【０３８０】
（第３４の構成例）
第３４の構成例では、実行部をＯＬＴの例えば制御部１４、情報処理部、制御盤又はＣＰＵ盤等に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第３４の構成例は、通信システム構成（１−１）〜（３２−２）におけるＯＬＴの例えば制御部１４、情報処理部、制御盤又はＣＰＵ盤等とＯＬＴ外部に演算処理可能な箇所を備える任意の構成に適用できる。なお、ＯＬＴの例えば制御部１４、情報処理部、制御盤又はＣＰＵ盤等とＯＬＴ外部の演算処理可能な箇所の両方に実行部及び指示部が備わっていてもよい。
【０３８１】
（第３５の構成例）
第３５の構成例では、実行部をＯＬＴの例えば制御部１４、情報処理部、制御盤又はＣＰＵ盤等に備え、指示部をＯＬＴ外部の主信号ネットワーク中の例えばプロキシ部１５等の演算処理可能な箇所に備える。その他は第１の構成例と同様である。なお、第３５の構成例は通信システム構成（１−１）〜（３２−２）におけるＯＬＴの例えば制御部１４、情報処理部、制御盤又はＣＰＵ盤等とＯＬＴ外部の主信号ネットワークに演算処理可能な箇所を備える任意の構成に適用できる。なお、ＯＬＴの例えば制御部１４、情報処理部、制御盤又はＣＰＵ盤等とＯＬＴ外部の主信号ネットワークの演算処理可能な箇所の両方に実行部及び指示部が備わっていてもよい。
【０３８２】
（第３６の構成例）
第３６の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部を送受信部１１の例えば情報処理部や、ＣＰＵ等の演算処理可能な箇所に備える。その他は第１の構成例と同様である。なお、第３６の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等と送受信部１１に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等と送受信部１１の演算処理可能な箇所の両方に実行部及び指示部が備わっていてもよい。
【０３８３】
（第３７の構成例）
第３７の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をスイッチ部１２の例えば情報処理部や、ＣＰＵ等の演算処理可能な箇所に備える。その他は第１の構成例と同様である。なお、第３７の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１２の演算処理可能な箇所の両方に実行部及び指示部が備わっていてもよい。
【０３８４】
（第３８の構成例）
第３８の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＳＵの例えば情報処理部や、ＣＰＵ等の演算処理可能な箇所に備える。その他は第１の構成例と同様である。なお、第３８の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＳＵに演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等及びＯＳＵの演算処理可能な箇所の両方に実行部及び指示部が備わっていてもよい。
【０３８５】
（第３９の構成例）
第３９の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をスイッチ部１３の例えば情報処理部や、ＣＰＵ等の演算処理可能な箇所に備える。その他は第１の構成例と同様である。なお、第３９の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とスイッチ部１３の演算処理可能な箇所の両方に実行部及び指示部が備わっていてもよい。
【０３８６】
（第４０の構成例）
第４０の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴの例えば制御部１４、情報処理部、制御盤又はＣＰＵ盤等の演算処理可能な箇所に備える。その他は第１の構成例と同様である。なお、第４０の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴに演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等及びＯＬＴの演算処理可能な箇所の両方に実行部及び指示部が備わっていてもよい。
【０３８７】
（第４１の構成例）
第４１の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴ外部の例えばセンタクラウドやローカルクラウドやエッジクラウドや単独の外部サーバ１６や情報処理部やオペレーションシステムやＮＥコントローラなどのＥＭＳ等の演算処理可能な箇所に備える。実行部が指示部よりＰＯＮ側に配置されることが応答速度の観点から好ましいが、逆でもよく、同位置の別サーバ上でもよく、同一サーバ上の別ＶＭ上でもよい。その他は第１の構成例と同様である。なお、第４１の構成例は、通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の演算処理可能な箇所の両方に実行部及び指示部が備わっていてもよい。
【０３８８】
（第４２の構成例）
第４２の構成例では、実行部をＯＬＴ外部の例えばセンタクラウドやローカルクラウドやエッジクラウドや単独の外部サーバ１６や情報処理部やオペレーションシステムやＮＥコントローラなどのＥＭＳ等に備え、指示部をＯＬＴ外部の主信号ネットワーク中の例えばプロキシ部１５等の演算処理可能な箇所に備える。その他は第１の構成例と同様である。なお、第４２の構成例は通信システム構成（１−１）〜（３２−２）におけるＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中に演算処理可能な箇所を備える任意の構成に適用できる。なお、ＯＬＴ外部の例えばセンタクラウドやローカルクラウドやエッジクラウドや単独の外部サーバ１６や情報処理部やオペレーションシステムやＮＥコントローラなどのＥＭＳ等とＯＬＴ外部の主信号ネットワーク中の演算処理可能な箇所の両方に実行部及び指示部が備わっていてもよい。
【０３８９】
（第４３の構成例）
第４３の構成例では、実行部をＯＬＴ外部の主信号ネットワーク中の例えばプロキシ部１５等に備え、指示部を送受信部１１の例えば情報処理部や、ＣＰＵ等の演算処理可能な箇所に備える。その他は第１の構成例と同様である。なお、第４３の構成例は、通信システム構成（１−１）〜（３２−２）におけるＯＬＴ外部の主信号ネットワーク中の例えばプロキシ部１５等と送受信部１１の主信号ネットワーク中に演算処理可能な箇所を備える任意の構成に適用できる。なお、ＯＬＴ外部の主信号ネットワーク中の例えばプロキシ部１５等と送受信部１１の演算処理可能な箇所の両方に実行部及び指示部が備わっていてもよい。
【０３９０】
（第４４の構成例）
第４４の構成例では、実行部をＯＬＴ外部の主信号ネットワーク中の例えばプロキシ部１５等に備え、指示部をスイッチ部１２の例えば情報処理部や、ＣＰＵ等の演算処理可能な箇所に備える。その他は第１の構成例と同様である。なお、第４４の構成例は、通信システム構成（１−１）〜（３２−２）におけるＯＬＴ外部の主信号ネットワーク中の例えばプロキシ部１５等とスイッチ部１２に演算処理可能な箇所を備える任意の構成に適用できる。なお、ＯＬＴ外部の主信号ネットワーク中の例えばプロキシ部１５等とスイッチ部１２の演算処理可能な箇所の両方に実行部及び指示部が備わっていてもよい。
【０３９１】
（第４５の構成例）
第４５の構成例では、実行部をＯＬＴ外部の主信号ネットワーク中の例えばプロキシ部１５等に備え、指示部をＯＳＵの例えば情報処理部や、ＣＰＵ等の演算処理可能な箇所に備える。その他は第１の構成例と同様である。なお、第４５の構成例は、通信システム構成（１−１）〜（３２−２）におけるＯＬＴ外部の主信号ネットワーク中の例えばプロキシ部１５等とＯＬＴ外部の主信号ネットワーク中の例えばプロキシ部１５等とＯＳＵに演算処理可能な箇所を備える任意の構成に適用できる。なお、ＯＬＴ外部の主信号ネットワーク中の例えばプロキシ部１５等とＯＳＵの演算処理可能な箇所の両方に実行部及び指示部が備わっていてもよい。
【０３９２】
（第４６の構成例）
第４６の構成例では、実行部をＯＬＴ外部の主信号ネットワーク中の例えばプロキシ部１５等に備え、指示部をスイッチ部１３の例えば情報処理部や、ＣＰＵ等の演算処理可能な箇所に備える。その他は第１の構成例と同様である。なお、第４６の構成例は、通信システム構成（１−１）〜（３２−２）におけるＯＬＴ外部の主信号ネットワーク中の例えばプロキシ部１５等とスイッチ部１３に演算処理可能な箇所を備える任意の構成に適用できる。なお、ＯＬＴ外部の主信号ネットワーク中の例えばプロキシ部１５等とスイッチ部１３の演算処理可能な箇所の両方に実行部及び指示部が備わっていてもよい。
【０３９３】
（第４７の構成例）
第４７の構成例では、実行部をＯＬＴ外部の主信号ネットワーク中の例えばプロキシ部１５等に備え、指示部をＯＬＴの例えば制御部１４、情報処理部、制御盤又はＣＰＵ盤等の演算処理可能な箇所に備える。その他は第１の構成例と同様である。なお、第４７の構成例は、通信システム構成（１−１）〜（３２−２）におけるＯＬＴ外部の主信号ネットワーク中の例えばプロキシ部１５等とＯＬＴに演算処理可能な箇所を備える構成に適用できる。なお、ＯＬＴ外部の主信号ネットワーク中の例えばプロキシ部１５等とＯＬＴの演算処理可能な箇所の両方に実行部及び指示部が備わっていてもよい。
【０３９４】
（第４８の構成例）
第４８の構成例では、実行部をＯＬＴ外部の主信号ネットワーク中の例えばプロキシ部１５等に備え、指示部をＯＬＴ外部の例えばセンタクラウド、ローカルクラウド、エッジクラウド、単独の外部サーバ１６、情報処理部、オペレーションシステム又はＮＥコントローラなどのＥＭＳ等の演算処理可能な箇所に備える。その他は第１の構成例と同様である。なお、第４８の構成例は、通信システム構成（１−１）〜（３２−２）におけるＯＬＴ外部の主信号ネットワーク中の例えばプロキシ部１５とＯＬＴ外部に演算処理可能な箇所を備える任意の構成に適用できる。なお、ＯＬＴ外部の主信号ネットワーク中の例えばプロキシ部１５等とＯＬＴ外部の演算処理可能な箇所の両方に実行部及び指示部が備わっていてもよい。
【０３９５】
（第４９の構成例）
第４９の構成例では、実行部をＯＬＴ外部の主信号ネットワーク中の例えばプロキシ部１５等に備え、指示部をＯＬＴ外部の主信号ネットワーク中の例えばプロキシ部１５等の演算処理可能な個所に備える。実行部が指示部よりＰＯＮ側に配置されることが応答速度の観点から好ましいが、逆でもよく、同位置の別装置上でもよく、同一装置上の別ＶＭ上でもよい。その他は第１の構成例と同様である。なお、第４９の構成例は通信システム構成（１−１）〜（３２−２）におけるＯＬＴ外部の主信号ネットワーク中の例えばプロキシ部１５等とＯＬＴ外部の主信号ネットワーク中に演算処理可能な箇所を備える任意の構成に適用できる。
【０３９６】
なお、第１の構成例から第４９の構成例において、指示部の設定又はアルゴリズムを変更するためのインタフェース（ＩＦ）を備え、指示部のソフトウェアを変更できるとしてもよい。また、第１の構成例から第４９の構成例において、指示部は装置の構成要素で、演算処理が可能な一か所の構成要素上に配置したが、演算処理が可能な複数の構成要素装置上、例えば複数の情報処理部での処理により実現してもよい。
【０３９７】
図１９は、機能部間の信号の流れを示す図である。ＰＯＮ主信号処理機能部３００は、ＰＭＤ部３１０と、ＰＯＮアクセス制御機能部３２０と、保守運用機能部３３０（ＰＬＯＡＭ処理、ＯＭＣＩ処理）と、Ｌ２主信号処理機能部３４０と接続されていてもよい。
【０３９８】
ＰＭＤ部３１０は、主要８機能以外である。ＰＯＮマルチキャスト機能部３５０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。省電力制御機能部３６０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。周波数・時刻同期機能部３７０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。プロテクション機能部３８０は、ＰＯＮ主信号処理機能部３００と、ＰＭＤ部３１０と、ＰＯＮアクセス制御機能部３２０と、保守運用機能部３３０と、Ｌ２主信号処理機能部３４０とからなる群に接続していてもよい。
【０３９９】
図２０は、ＰＯＮ主信号処理機能部３００の構成の例を示す図である。ＰＯＮ主信号処理機能部３００は、上り信号の処理順（下り信号の処理は逆方向）に、ＰＨＹアダプテーションと、フレーム化と、サービスアダプテーションをと、ＰＯＮ主信号処理機能を構成する処理として備えていてもよい。これらの処理は、基本処理から構成されてもよい。基本処理は、同期ブロック生成／抽出と、スクランブル／デスクランブルと、ＦＥＣデコード／エンコードと、フレーム生成／分離と、ＧＥＭカプセル化と、フラグメント処理と、暗号化とである。
【０４００】
ＰＨＹアダプテーションは、同期ブロック抽出と、デスクランブルと、ＦＥＣデコーディングとを、上り信号の処理順に備えていてもよい。ＰＨＹアダプテーションは、ＦＥＣエンコーディングと、スクランブルと、同期ブロック生成とを、下り信号処理の順番で備えていてもよい。
【０４０１】
ＰＯＮ主信号処理機能部３００は、ＰＨＹアダプテーション、フレーム化又はサービスアダプテーションの処理を備えずに、同等の処理を基本処理の組み合わせで実現してもよい。ＰＨＹアダプテーション、フレーム化又はサービスアダプテーションの処理は、順番が入れ替わっていてもよい。ＰＨＹアダプテーションは、例えば、ＦＥＣ処理をＰＨＹアダプテーション以外に備えてもよい。
【０４０２】
ＰＯＮ主信号処理機能部３００の主要機能では、１０Ｇｂｉｔ／ｓ／λと２．５Ｇｂｉｔ／ｓ／λの処理をそれぞれ波長ごとに処理する場合、それぞれ１０Ｇｂｉｔ／ｓ／λと２．５Ｇｂｉｔ／ｓ／λ以上のストリーム処理が複数波長を処理するなら、複数波長分が求められる。
【０４０３】
図２１は、ＰＯＮアクセス制御機能部３２０の構成の例を示す図である。構成する処理として、ＯＮＵ登録又は認証、ＤＢＡ、λ設定切替（ＤＷＡ）を有する。これらの処理は、基本処理から構成されてもよい。例えば、ＯＮＵ登録又は認証は、初期処理を構成するレンジング、認証削除、登録、起動停止、ＤＢＡは帯域要求受信、トラフィック測定、履歴保持、割当計算、割当処理、設定切替計算、設定切替処理、設定切替状況把握の全て又はそのいくつか、λ設定切替は、帯域要求受信、トラフィック測定、履歴保持、割当計算、割当処理、設定切替計算、設定切替処理、設定切替状況把握の全て又はそのいくつかから構成されてもよい。ＯＮＵ登録又は認証、ＤＢＡ、λ設定切替（ＤＷＡ）は備えずに同等の処理を基本処理の組み合わせで実現してもよい。また、順番が入れ替わっていてもよい。
【０４０４】
ＰＯＮアクセス制御機能部３２０の主要機能では、ＯＮＵ高速起動、ＤＢＡ周期内でのＢＷＭａｐ、無瞬断λ設定切替等が必要に応じて求められる。機能分担の例としては、登録又は認証としては、タイムクリティカルなレンジング処理を機器依存部１１０、その後の認証や鍵交換をアプリとしてもよい。ＤＢＡ・λ設定切替では、単純な繰り返し処理を機器依存部１１０、理想状態への反映をアプリとしてしてもよい。
【０４０５】
図２２は、Ｌ２主信号処理機能部３４０の構成の例を示す図である。構成する処理として、ＭＡＣ学習、ＶＬＡＮ（Virtual Local Area Network）制御、パス制御、帯域制御、優先制御、遅延制御、Ｃｏｐｙを有する。これらの処理は基本処理であるアドレス管理、Ｃｌａｓｓｉｆｉｅｒ（クラシファイア、分類部）、Ｍｏｄｉｆｉｅｒ（モディファイア、変更部）、Ｐｏｌｉｃｅｒ／Ｓｈａｐｅｒ（ポリサー/シェイパー）、Ｃｒｏｓｓ  Ｃｏｎｎｅｃｔ（クロス・コネクト）、Ｑｕｅｕｅ（キュー）、Ｓｃｈｅｄｕｌｅｒ（スケジューラ）、Ｃｏｐｙ（コピー）、トラフィックモニタから構成されてもよい。ＭＡＣ学習、ＶＬＡＮ制御、パス制御、帯域制御、優先制御、遅延制御、Ｃｏｐｙは備えずに同等の処理を基本処理の組み合わせで実現してもよい。また、順番が入れ替わっていてもよい。
【０４０６】
Ｌ２主信号処理機能部３４０の主要機能では、１０Ｇｂｉｔ／ｓ／λと２．５Ｇｂｉｔ／ｓ／λの処理をそれぞれ波長ごとに処理する場合、それぞれ１０Ｇｂｉｔ／ｓ／λと２．５Ｇｂｉｔ／ｓ／λ以上のストリーム処理が、複数波長を処理するなら複数波長分が求められる。
【０４０７】
図２３は、保守運用機能部３３０の構成の第１例を示す図である。構成する処理として、ＯＮＵ、ＯＳＵ、ＯＬＴ又はＳＷの装置設定（手動、一括、自動、オペレーション契機）、設定バックアップ、ＦＷ更新、装置制御（リセット）、冗長構成対応を有する。これらの処理は基本処理であるＣＬＩ−ＩＦ、オペレーションＩＦ、汎用Ｃｏｎｆｉｇ−ＩＦ（汎用コンフィグ・インタフェース）（ＮＥＴＣＯＮＦ、ＳＮＭＰなど）、テーブル管理から構成されてもよい。装置設定、設定バックアップ、ＦＷ更新、装置制御、冗長構成対応は備えずに同等の処理を基本処理の組み合わせで実現してもよい。また、順番が入れ替わっていてもよい。
【０４０８】
保守運用機能部３３０の主要機能では、指示を受けてからＡＣＫ送信まで１００ミリ秒以内、指示を受けてから反映完了通知送信まで２００ミリ秒以内（但し、データ転送を含む設定バックアップとＦＷ更新は規模（サイズ・ユーザ数）に応じて規定。）等の規定に従うことが求められる。
機能分担の例としては、ハードのＣｏｎｆｉｇを除きアプリによる処理とし、ソフトや設定データはＯＮＵやＯＬＴで持たずに図１８の外部サーバ１６上のアプリによる処理とすることもできる。コマンドの統一とシーケンスの定義をすることで実現することもできる。
【０４０９】
図２４は、保守運用機能部３３０の構成の第２例を示す図である。構成する処理として、装置の状態監視（ＣＰＵ／メモリ／電源／切替）、トラフィック監視、警報監視（ＯＮＵ異常、ＯＬＴ異常）、試験（ループバック）を有する。これらの処理は基本処理である警報通知、ログ記録、Ｌ３パケット生成／処理、テーブル管理から構成されてもよい。装置の状態監視、トラフィック監視、警報監視、試験は同等の処理を基本処理の組み合わせで実現してもよい。また、順番が入れ替わっていてもよい。
【０４１０】
保守運用機能部３３０の主要機能では、レイテンシが１００ｍｓ以内等の規定に従うことが求められる。機能分担の例として、通知／表示のＩＦのみアプリとし、モニタが必要な項目（ＣＰＵ負荷、メモリ利用量、電源状態、消費電力、イーサネット（登録商標）のリンク状態など）は機器依存部１１０であり、機器依存部１１０からの通知読み出し、通知のネットワーク（ＮＷ）送信、ファイルへの書き込みなどのＩＦを切るアプリによる処理とすることもできる。
【０４１１】
図２５は、保守運用機能部３３０の構成の第３例を示す図である。構成する処理として、高速を要する監視・制御の入出力（スリープ指示／返答、λ設定切替指示／返答など）を有する。本処理の手段として、物理層ＯＡＭ（PLOAM: Physical Layer OAM）メッセージ、及び、ヘッダ内のビット表示（Embedded OAM）（エンベデッドＯＡＭ）を利用する。これらの処理は基本処理であるＰＬＯＡＭ処理、Ｅｍｂｅｄｄｅｄ  ＯＡＭ処理、省電力機能部との通信、プロテクション機能部との通信、ＰＯＮアクセス制御部との通信から構成されてもよい。高速を要する監視・制御の入出力は同等の処理を基本処理の組み合わせで実現してもよい。また、順番が入れ替わっていてもよい。保守運用機能部３３０の主要機能では、ＰＬＯＡＭ処理を７５０マイクロ秒以内とする等の規定に従うことが求められる。
【０４１２】
図２６は、ＰＯＮマルチキャスト機能部３５０の構成の例を示す図である。構成する処理として、マルチキャストストリームの識別又は振り分け、ＭＬＤプロキシ／スヌーピング、ＯＮＵフィルタ設定、波長間設定移行を有する。これらの処理は基本処理であるＬ２識別・振り分け、Ｌ３パケット処理（ＩＰｖ６  Ｐａｒｓｅを備えるのが望ましい）、Ｌ３パケット生成、テーブル管理、 ＯＭＣＩ機能との通信から構成されてもよい。マルチキャストストリームの識別又は振り分け、ＭＬＤプロキシ／スヌーピング、ＯＮＵフィルタ設定、波長間設定移行は同等の処理を基本処理の組み合わせで実現してもよい。また、順番が入れ替わっていてもよい。
【０４１３】
ＰＯＮマルチキャスト機能部３５０の主要機能では、識別／振り分けを１０Ｇｂｉｔ／ｓ／λと２．５Ｇｂｉｔ／ｓ／λの処理をそれぞれ波長ごとに処理する場合、それぞれ１０Ｇｂｉｔ／ｓ／λと２．５Ｇｂｉｔ／ｓ／λ以上のストリーム処理が、複数波長を処理するなら複数波長分が、パケット処理としてザッピング性能（Ｚａｐｐｉｎｇ性能）（ＪＯＩＮレイテンシ）が平均１．５秒以内等の規定に従うことが求められる。
【０４１４】
機能分担の例としては、マルチキャスト（ＭＣ）ストリームの識別・振分は高速な処理能力を持つＣＰＵ等であればソフト処理可だが、ハード＋ｃｏｎｆｉｇが望ましい。その他、上りに対するアプリ系やＯＮＵ設定は頻度や遅延制約が緩いためアプリによる処理とするである。
【０４１５】
図２７は、省電力制御機能部の構成の例を示す図である。構成する処理として、スリープ用プロキシ／トラフィックモニタ、ＯＮＵ波長設定、波長間設定移行を有する。これらの処理は基本処理であるＬ３パケット処理（ＩＰｖ６  Ｐａｒｓｅを備えるのが望ましい）、Ｌ３パケット生成、テーブル管理、ＯＳＵ省電力ステートダイアグラム（SD: State Diagram）、ＯＭＣＩ機能との通信から構成されてもよい。スリープ用プロキシ／トラフィックモニタ、ＯＮＵ波長設定、波長間設定移行は同等の処理を基本処理の組み合わせで実現してもよい。また、順番が入れ替わっていてもよい。
【０４１６】
本主要機能では、送受信立ち上がり時間(受信器／送信器)を１０ミリ秒／５ミリ秒、立ち上がり時間（ＬＣ／ＯＳＵ／ＯＬＴ）を１００ミリ秒／１秒／１０秒等の規定に従うことが求められる。
【０４１７】
機能分担の例として、パワーセーブ（PS: Power Save）アプリや、信号によってはプロキシ処理もアプリによる処理とすることもできる。省電力制御状態遷移管理（ドライバ部）は速度が求められるがアプリによる処理とすることもできる。トラフィックモニタはコンフィグ（ｃｏｎｆｉｇ）のみアプリによる処理とすることもできる。
【０４１８】
図２８は、周波数・時刻同期機能部の構成の例を示す図である。ＯＬＴは、ＳｙｎｃＥ（Synchronous Ethernet（登録商標））（周波数同期用)及びＩＥＥＥ  １５８８ｖ２（時刻同期）により、自身のリアルタイムクロック（ＲＴＣ）を上位装置に従属同期させる。更に、ＯＭＣＩを利用して、ＰＯＮのスーパーフレームカウンタ（ＳＦＣ）と絶対時刻（ToD: Time of Day）情報の対応をＯＮＵに通知する。これらの処理は基本処理であるリアルタイムクロックの保持等から構成されてもよい。同等の処理を基本処理の組み合わせで実現してもよい。また、順番が入れ替わっていてもよい。
【０４１９】
本主要機能では、周波数同期精度＋／―５０ｐｐｂ（ＬＴＥ  ＦＤＤ、同ＴＤＤ）、時刻同期精度＋／―１〜１．５マイクロ秒（ＬＴＥ  ＴＤＤ、スモールセル）、＋／―１マイクロ秒（Ｇ．９８７．３）等の規定に従うことが求められる。機能分担の例としては、リアルタイムクロック自体は機器依存部１１０であり、上位装置への時刻合わせ計算はアプリによる処理とすることもできる（精度により機器依存部１１０とすることもできる）。
【０４２０】
図２９は、プロテクション機能部の構成の例を示す図である。構成する処理として、冗長切替（ＣＴ、ＳＷ、ＮＮＩ、ＣＯＮＴ、ＰＯＮ（Ｔｙｐｅ  Ａ、Ｂ、Ｃ））を備える。これらの処理は基本処理である冗長パス設定、 切替トリガ検出、切替通知送受信、切替処理等から構成されてもよい。同等の処理を基本処理の組み合わせで実現してもよい。また、順番が入れ替わっていてもよい。
【０４２１】
本主要機能では、強制切替は５０ミリ秒以下等の規定に従うことが求められる。機能分担の例としては、故障検出等のハードの切替トリガ検出と切替処理を除きアプリによる処理とすることもできる。冗長パスを予め設定せずに、切替トリガ検出時にＥＭＳ１４０側への（からの）指示する場合は機器依存、等である。
【０４２２】
なお、主要８機能は必要に応じて備えればよく、例えばＰＯＮ主信号処理機能、ＰＯＮアクセス制御機能、Ｌ２主信号処理機能、保守運用機能のみを備えてもよいし、それ以外の機能を備えてもよい。また、各機能のソフト化可否の評価は、２０１８年に想定されるＯＬＴの処理能力かつ、ソフトスイッチの適用は想定していない前提での一例である。想定する処理能力やソフトスイッチの適用を想定して適宜変更してもよい。ソフト化可の機能であっても、ソフト化しなくてもよい。各機能の内部の構成は同様の機能を実現できれば他の構成であってもよい。
【０４２３】
主要８機能に含まれるアルゴリズムを主なソフト化領域とする。ソフト化領域とした機能を機器無依存ＡＰＩ２１、２２上の機器無依存アプリ部１３０とする。例えば、差異化サービスに資するＯＮＵ登録又は認証機能、ＤＷＢＡ機能、設定・管理・監視制御機能及び省電力制御機能におけるアルゴリズムは機器無依存アプリ部１３０における拡張機能部１３１として扱われる。ＭＬＤプロキシアプリはマルチキャスト機能を含む。
【０４２４】
拡張機能部１３１は、アプリの内、機能の更新頻度や独自仕様等の実現等の重要度に応じて拡張機能部１３１とする。更新頻度が低いか独自仕様等の実現の要求の低いものは基本機能部１３２や機器無依存アプリ部１３０以外のミドルウェア部１２０や機器依存ソフトウェアやハードウェア部１１１及び１１２とすることが好ましい。特に、ソフトウェアの処理能力からくる制限がある機能は、ハードウェア部１１１及び１１２のままとすることが好ましい。例えば、主信号の優先処理や回線の利用効率を向上するＤＢＡ等の更改頻度が高いかサービス差異化に寄与する機能や、オベレータの業務フローに密接にかかわり合いオペレータごとの独自仕様が要求される管理制御機能から拡張機能部１３１とする。
【０４２５】
図３０は、通信装置１００のアーキテクチャの詳細の例を示す図である。エンベデッドＯＡＭエンジン１１４ａ（Embedded OAM Engine）は、ミドルウェア部１２０を介して、ＤＢＡアプリ部及びプロテクションアプリ部と接続されている。ＰＬＯＡＭエンジン１１４ｂは、ミドルウェア部１２０を介して、ＤＷＢＡアプリ、ＯＮＵ登録認証、高速アプリ、省電力アプリ及びプロテクションアプリと接続されている。
【０４２６】
ＯＭＣＩは、ミドルウェア部１２０を介して、省電力アプリ及び低速監視アプリ（OMCI）と接続されている。Ｌ２機能部は、ミドルウェア部１２０を介して、省電力アプリ及びＭＬＤプロキシアプリと接続されている。Ｌ２機能部は、ミドルウェア部１２０を介して、設定・管理アプリと更に接続されている。ＮＥ管理部１１５ａは、設定・管理アプリと接続されている。ＮＥコントロール１１５ｂは、低速監視アプリ（EMS-IF）と接続されている。
【０４２７】
図３１は、通信装置１００が実行するアプリの例を示す図である。ＣＰＵの処理は、３グループに分類される。３グループは、Ｃｏｎｔ向きのＣＰＵと、ＯＳＵ向きのＣＰＵと、ＳＷ向きのＣＰＵとである。Ｃｏｎｔ向きのＣＰＵの処理は、低速管理アプリ（OMCI）と、低速監視アプリ（EMS-IF）と、設定・管理アプリとを実行する処理である。ＳＷ向きのＣＰＵの処理は、ＭＬＤプロシキアプリを実行する処理である。ＯＳＵ向きのＣＰＵの処理は、省電力アプリと、プロテクションアプリと、高速監視アプリと、ＤＢＡアプリと、ＤＷＢＡアプリと、ＯＮＵ登録認証アプリとを実行する処理である。装置設定ＩＦは、ＥＭＳ−ＩＦの一部であってもよく、機器依存ＡＰＩ２５と同等であってもよい。
【０４２８】
各アプリはＣＰＵパッケージ上のＣＰＵで処理する例である。図３１では、各アプリをＯＬＴ内の制御部であるコントパッケージ（図３１におけるＣｏｎｔ．）向きの処理、複数の光送受信機（図３１のλＣａｒｄ）を備えるＯＳＵパッケージ（図３１のＯＳＵ）向き、ＯＳＵ及び上位ネットワーク側の装置とデータの入出力を行うＳＷパッケージ向きの３グループに分類している。ＯＳＵグループとして省電力アプリ、プロテクションアプリ、高速監視アプリ、ＤＢＡアプリ、ＤＷＡアプリ、ＯＮＵ登録認証アプリを、ＳＷグループとしてＭＬＤプロキシアプリを、ＣＯＮＴグループとして低速監視アプリ（ＯＭＣＩ）、低速監視アプリ（ＥＭＳ−ＩＦ）、設定管理アプリとした。更に、ＣＰＵでの集中制御を想定しているが、分類した各グループのアプリをそれぞれのパッケージ（Ｃｏｎｔ、ＯＳＵ、ＳＷ）に分散配置してもよい。また上記の分類によらずに、Ｃｏｎｔ、ＯＳＵ、ＳＷのいずれか又はそれらの複数の組み合わせ上に配置してもよい。また、図３１の装置設定ＩＦはＥＭＳ−ＩＦの一部であってもよいし、図１４の機器依存ＡＰＩ２５同等であってもよい。またアプリの処理はＣＰＵ上で行うとしたが、一部また全てを、処理機能を備える代替物、例えばＣＰＵ以外のＧＰＵやＮＰＵやＤＳＰ等のプロセッサやＦＰＧＡ上で処理してもよい。他の実施形態でも同様である。
【０４２９】
図３２は、ＣＰＵパッケージの代わりにサーバ等にアプリを配置した例である。アプリはサーバ等上で処理し、その処理結果をイーサネット（登録商標）フレーム等の伝送路で伝送できる形式として伝送路で伝送した後に、ＯＬＴに到着する。ここで、伝送路で伝送できる形式としてはイーサネット（登録商標）フレーム以外のフレームやＴＤＭ等の伝送であってもよく、変換機（図３２におけるＣＯＮＶ．）を介しているが、ＯＳＵやＳＷやλカードが変換機を介さずにアプリの処理結果を受けることが可能とすれば変換機は不要である。サーバ等は、図１８の外部サーバ１６相当であってもよいし、プロキシ部１５相当であってもよい。
【０４３０】
図３３は、ＣＰＵ、スイッチ部（ＳＷ）及びＯＳＵの機能（処理）の例を示す図である。ＣＰＵは、省電力制御機能と、プロテクション機能とを、アプリによって実行する。ＣＰＵは、保守運用機能（fault, management）と、保守運用機能（GTC/PMD config）と、ＰＯＮアクセス処理機能（ONU activation）と、ＰＯＮアクセス処理機能（DBA）と、ＰＯＮアクセス処理機能（λ割当変更）と、保守運用機能（Service management）と、保守運用機能Equipment management）とを実行する。ＣＰＵは、保守運用機能 fault, performance, management）と、マルチキャスト機能（MLD）とを、アプリによって実行する。
【０４３１】
スイッチ（ＳＷ）は、Ｌ２信号処理機能（VLAN）と、Ｌ２信号処理機能（QoS）と、Ｌ２信号処理機能（Mux,Dmux XC）と、マルチキャスト機能（Copy）とを、アプリによって実行する。ＯＳＵのＭＡＣは、ＰＯＮ主信号処理機能（Security）と、ＰＯＮ主信号処理機能（Framing）と、ＰＯＮ主信号処理機能（FEC）と、周波数・時刻同期機能とを、アプリによって実行する。
【０４３２】
図３３ではＣＰＵの囲みが基本機能部１３２と独自機能での処理、ＯＳＵのＭＡＣがベンダ依存部分での処理の例を示しているが、この分類に限定しない。図３３のＣＰＵは図３２のＣＰＵパッケージや図３３のサーバ等上やそれ以外の処理能力を持つ箇所又はそれらの組み合わせであってもよい。ＯＳＵのＭＡＣは、ＯＳＵ処理をする専用のＬＳＩを想定しているが、同等の処理が可能であれば汎用ＬＳＩを用いてもよい。
【０４３３】
図３４は、主要８機能のアプリの処理とＧ．９８９．３機能との対応の例を示す図である。ＤＢＡアプリと、ＤＷＢＡアプリと、ＯＮＵ登録認証アプリと、省電力アプリと、プロテクションと、高速監視アプリとは、ＴＷＤＭ  ＴＣレイヤのＴＷＤＭ  ＴＣ機能部（TWDM TC functions）と接続されている。ＭＬＤプロシキは、Ｌ２機能部（L2 function）と接続されている。Ｌ２機能部は、ユーザ・データ・クライアント（User Data Client）と接続されている。設定・管理アプリと、低速監視アプリ（OMCI）と、低速監視アプリ（OSS-IF）とは、Ｌ２機能部に接続されている。設定・管理アプリと、低速監視アプリ（OMCI）と、低速監視アプリ（OSS-IF）とは、ＯＭＣＩクライアントに更に接続されている。
【０４３４】
図３５は、ＰＬＯＡＭ及びＯＭＣＩをＳＷ経由で取得する構成の例を示す図である。すなわち、図３５は、ＰＬＯＡＭ及びＯＭＣＩが、ユーザデータに加えて、図１８の制御部１４又はプロキシ部１５又は外部サーバ１６から、対応するデータをＳＷ経由で取得する処理を示す。
【０４３５】
ユーザ・データ・クライアント（User Data Client）は、スイッチ部（ＳＷ）経由で、ユーザ・データ・アダプタ（User Data Adapter）からデータを取得する。ユーザ・データ・クライアントは、スイッチ部経由で、ユーザ・データ・アダプタにデータを送信する。ＣＰＵのＯＭＣＩクライアント（OMCI Client）は、スイッチ部経由で、ＯＭＣＩアダプタ（OMCI Adapter）からデータを取得する。ＯＭＣＩクライアントは、スイッチ部経由で、ＯＭＣＩアダプタにデータを送信する。
【０４３６】
ＣＰＵのＰＬＯＡＭプロセッサは、スイッチ部経由で、「ＡＭＣＣ  ＰＨＹ  アダプテーション・フレーミング部」（AMCC PHY adaptation framing）から、データを取得する。ＣＰＵのＰＬＯＡＭプロセッサは、スイッチ部経由で、「ＡＭＣＣ  ＰＨＹ  アダプテーション・フレーミング部」に、データを送信する。
【０４３７】
ＣＰＵのＰＬＯＡＭプロセッサは、スイッチ部経由で、ＰＬＯＡＭパーティション（PLOAM partition）部から、データを取得する。ＣＰＵのＰＬＯＡＭプロセッサは、スイッチ部経由で、ＰＬＯＡＭパーティション部に、データを送信する。
【０４３８】
ＴＷＤＭ  ＴＣレイヤのＴＷＤＭ  ＴＣ機能部（TWDM TC functions）は、スイッチ部経由で、エンベデッド・ヘッダ領域（Embedded header fields）から、データを取得する。ＴＷＤＭ  ＴＣレイヤのＴＷＤＭ  ＴＣ機能部は、スイッチ部経由で、エンベデッド・ヘッダ領域にデータを送信する。
【０４３９】
なお、図１４及び図１５の例では、ソフト化領域を、基本機能部１３２、管理・制御エージェント部１３３、拡張機能部１３１、ミドルウェア部１２０としたが、ソフト化領域は、サービスアダプテーション（暗号化、フラグメント処理、ＧＥＭ（GPON Encapsulation Method）フレーム化）／ＸＧＥＭ（XGPON Encapsulation Method）フレーム化）Ｘ、ＰＨＹアダプテーションのＦＥＣ、スクランブル、同期ブロック生成／抽出、ＧＴＣ（GPON Transmission Convergence）フレーム化、ＰＨＹフレーム化、ＳＰ変換、符号化方式も対象としてもよい。アーキテクチャのソフト化機能の実装例とハードウェア部１１１及び１１２に対応する機能配備の例を説明する。機能配備は、例えば、ネットワーク機器又は外部のサーバにソフト化機能を備える。
【０４４０】
複数のＯＳＵ、スイッチ、情報処理部及び制御部を備えるＯＬＴを想定する。各ＯＳＵは、波長ごとに異なる送受信部を備える。この場合、ミドルウェア部１２０が各ＯＳＵ及びスイッチに搭載され、機器無依存アプリ部１３０などのソフト化領域が情報処理部に搭載される。
【０４４１】
情報処理部すなわちＣＰＵは、機器無依存アプリ部１３０を実行する。機器無依存アプリ部１３０は、ＯＳＵ用の拡張機能部１３１と、スイッチ用の拡張機能部１３１と、制御部用の拡張機能部１３１とを含む。ＯＳＵ用の拡張機能部１３１は、例えば、省電力アプリ、プロテクションアプリ、ＤＢＡアプリ、ＯＮＵ登録認証アプリである。スイッチ用の拡張機能部１３１は、例えば、ＭＬＤプロキシアプリである。制御部用の拡張機能部１３１は、例えば、低速監視アプリ（ＯＭＣＩ）、低速監視アプリ（ＥＭＳ−ＩＦ（InterFace）、設定・管理アプリである。ＥＭＳ１４０は、例えば、ＯＳＳ（Operation Support System）である。
【０４４２】
Ｇ．９８９．３の場合、例えば、図３０、３３〜３５に示すようになる。ＤＢＡアプリの場合、図１４及び図１５に示すミドルウェア部１２０又は図１６及び図１７に示す基本機能部１３２は、ＴＣレイヤのハードウェア部１１１及び１１２であるエンベデッドＯＡＭエンジン（Embedded OAM Engine）を動作させる。そして、ＰＭＤレイヤのハードウェア部１１１及び１１２である送受信部がＤＢＡアプリに従って受信する。なお、送受信部がＤＢＡに従わない上り信号でも受信する場合、ＤＢＡアプリに従わないとしてもよい。
【０４４３】
情報処理部は、これらのソフト化機能に限らず、それ以外のソフト化機能を備えていてもよい。ハードウェア部１１１及び１１２は、送受信部、ＯＳＵ、スイッチ、制御部、情報処理部に限らない。例えば、情報処理部は、送受信部、ＯＳＵ、スイッチ、制御部に含まれていてもよい。また図１８に示すように、スイッチのＮＮＩ（Network-Network Interface）側にスイッチに入出力する信号を処理するプロキシ部又は外部サーバを備えていてもよい。外部サーバは、複数の装置を備えるデータセンタ等のいわゆるクラウドと呼ばれる情報処理機能であってもよい。
【０４４４】
各機能は、処理能力や処理遅延の要求に応じて適宜配置してもよい。また、ＯＳＵにスイッチ部１２又はスイッチ部１３を備えていてもよいし、スイッチとは別途スイッチ（スイッチ部１３を備える場合のスイッチ部１２）を備えていてもよい。スイッチの機能はスイッチ部１２とスイッチ部１３で重複せずにスイッチの処理能力等に従って適宜分担することが望ましいが、重複してもよい。
【０４４５】
ソフト化機能を配備する箇所は、情報処理部に限らず、複数の演算処理可能な箇所に配置してもよい。例えば、ソフト化機能を配備する箇所は、送受信部、ＯＳＵのスイッチ、ＯＳＵのスイッチ以外、ＯＬＴの制御部、ＯＬＴのスイッチ、ＯＬＴの情報処理部、ＯＬＴのスイッチと制御部と情報処理部以外、スイッチのＮＮＩ側にスイッチに入出力する信号を処理するプロキシ部また外部サーバ等の処理装置のいずれかであってもよい。
【０４４６】
また、ソフト化機能の配置は、ソフト化機能ごとであってもよいし、単一のソフト化機能を分割したソフト化機能の一部であってもよい。例えば、送受信部に関するものを送受信部以外の他の箇所、例えば、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＰＯＮ終端に関するものをＰＯＮ終端処理配備箇所以外の他の箇所、例えば、ＯＳＵの送受信部、ＯＳＵのスイッチ、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
【０４４７】
ＯＮＵのスイッチに関するものをＯＮＵのスイッチ以外の他の箇所、例えば、送受信部、ＯＳＵの送受信部以外且つスイッチ以外、ＯＬＴのスイッチ、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。ＯＬＴのスイッチに関するものをＯＬＴのスイッチ以外の他の箇所、例えば、送受信部、ＯＳＵのスイッチ、ＯＳＵの送受信部以外且つスイッチ以外、ＯＬＴの制御部、ＯＬＴの情報処理部、ＯＬＴのそれ以外、ＯＬＴの外部で主信号の経路上にあるプロキシ部、外部サーバ等のどこか又は複数の配備場所の組み合わせに配備してもよい。
【０４４８】
また、ソフト化機能を配備する箇所は拡張機能部１３１の配備の状況や、演算可能な箇所の演算能力や演算負荷や消費電力等に応じて、適宜変更してもよい。
【０４４９】
ＯＬＴの主信号処理に係る主要な機能と機能間の関係を説明する。ＯＬＴ機能をスイッチに移行する。ＰＨＹアダプテーション機能、フレーム化機能、サービスアダプテーション機能などのＰＯＮ区間処理を行うＰＯＮ主信号処理機能を、送受信部に配備する。ＯＮＵ登録又は認証機能、ＤＢＡ制御機能、ＤＷＡ機能などのＰＯＮアクセス制御機能を情報処理部に配備する。フレーム化で利用されるＶＬＡＮ制御、シェーパの前段の優先制御、マックス又はデマックス（ＭｕＸ／Ｄｍｕｘ）及びキュー（Ｑｕｅｕｅ）、並びにフレーム化の前段のシェーパなどのＬ２主信号処理機能をスイッチに配備する。
【０４５０】
シェーパの前段のコピー機能、コピーで利用されるＭＬＤ（Multicast Listener Discover）プロキシなどのマルチキャスト機能をスイッチに配備する。このように、ＰＯＮに配備されていたＰＯＮ主信号処理機能及びＰＯＮアクセス制御機能をスイッチに配備することで、ＰＯＮ基本機能部１３２を縮小する。特に、Ｌ２主信号処理は重複を避け、スイッチに配備することが好ましい。
【０４５１】
なお、スイッチの機能として、Ｃｌａｓｓｉｆｉｅｒ（クラシファイア）、Ｍｏｄｉｆｉｅｒ（モディファイア）、Ｐｏｌｉｃｅｒ／Ｓｈａｐｅｒ（ポリサー/シェイパー）、Ｃｒｏｓｓ  Ｃｏｎｎｅｃｔ（クロス・コネクト）、Ｑｕｅｕｅ（キュー）、Ｓｃｈｅｄｕｌｅｒ（スケジューラ）の順に備える前提で例示したが適宜変更してもよい。例えば、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒの全ての機能をスイッチで実施してもよいし、スイッチでＭｏｄｉｆｉｅｒ、Ｃｒｏｓｓ  Ｃｏｎｎｅｃｔ、Ｑｕｅｕｅ、Ｓｃｈｅｄｕｌｅｒのみしてもよい。
【０４５２】
更に、ＰＯＮ終端後のパス等を記載するＶＩＤ（Virtual LAN Identifier）等をＯＮＵで付与すれば、Ｃｒｏｓｓ  Ｃｏｎｎｅｃｔ、Ｑｕｅｕｅ、Ｓｃｈｅｄｕｌｅｒすればよい。上位ネットワークが単一パスと見做せれば、Ｑｕｅｕｅ、Ｓｃｈｅｄｕｌｅｒでよい。また、Ｃｒｏｓｓ  Ｃｏｎｎｅｃｔでフレームが衝突しないようにＤＢＡすれば、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、とすることができる。更に、上り方向であり、帯域割当単位の中で処理を行わなければ、ＯＮＵからの入力をバースト送信のためのプリアンブルやバーストオーバーヘッドを外し、フレームをデカプセル化したり、ＬＬＩＤを外したりして、ＰＯＮを終端のみし、ＰＯＮ終端後のパス等を記載するＶＩＤ等をＯＮＵで付与すれば、Ｃｒｏｓｓ  Ｃｏｎｎｅｃｔのみとすることもできる。
【０４５３】
また、Ｃｌａｓｓｉｆｉｅｒ、Ｍｏｄｉｆｉｅｒ、Ｐｏｌｉｃｅｒ／Ｓｈａｐｅｒ、Ｃｒｏｓｓ  Ｃｏｎｎｅｃｔ、Ｑｕｅｕｅ、Ｓｃｈｅｄｕｌｅｒで、Ｃｌａｓｓｉｆｉｅｒ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｑｕｅｕｅ、Ｓｃｈｅｄｕｌｅｒとしてもよいし、Ｐｏｌｉｃｅｒ／Ｓｈａｐｅｒの前段にＱｕｅｕｅを置いて、Ｃｌａｓｓｉｆｉｅｒ、Ｍｏｄｉｆｉｅｒ、Ｑｕｅｕｅ、Ｐｏｌｉｃｅｒ／Ｓｈａｐｅｒ、Ｃｒｏｓｓ  Ｃｏｎｎｅｃｔ、Ｓｃｈｅｄｕｌｅｒとしたり、Ｃｌａｓｓｉｆｉｅｒ、Ｑｕｅｕｅ、Ｐｏｌｉｃｅｒ／Ｓｈａｐｅｒ、Ｍｏｄｉｆｉｅｒ、Ｃｒｏｓｓ  Ｃｏｎｎｅｃｔ、Ｓｃｈｅｄｕｌｅｒとしたりしてもよい。ＰＯＮのバースト伝送や、マルチキャスト等の優先トラフィックを多重することによって生ずるバースト性による不要のＰｏｌｉｃｉｎｇ（ポリシング）／Ｓｈａｐｉｎｇ（シェイピング）や、受信側での平準化したトラフィックの受信を考慮するとＰｏｌｉｃｅｒ／Ｓｈａｐｅｒの前段にＱｕｅｕｅを置いて平準化した後にＰｏｌｉｃｉｎｇ／Ｓｈａｐｉｎｇによる処理を実行することが望ましい。
【０４５４】
以上のように、通信装置１００−１は、記憶制御部１４１−１と、機器制御部１４２−１とを備える。記憶制御部１４１−１は、記憶装置２００のメモリ２２０に、通信装置１００−１のＯＳＵパッケージ部１０１−１等の運用情報（状態情報）を記憶させる。機器制御部１４２−１は、メモリ２２０に通信装置１００−２が記憶させた通信装置１００−２のＯＳＵパッケージ部１０１−２等の運用情報を取得する。機器制御部１４２−１は、通信装置１００−２のＯＳＵパッケージ部１０１−２等の運用情報に基づいて、通信装置１００−１のＯＳＵパッケージ部１０１−１等を動作させる。
【０４５５】
この構成によって、記憶制御部１４１−１は、通信装置１００の状態が特定の状態（スリープ状態等）に遷移した場合でも特定の状態に遷移しない記憶装置２００のメモリ２２０に、通信装置１００−１の機器の運用情報を記憶させる。
【０４５６】
これによって、通信装置１００−１は、状態遷移する通信装置１００−１の保持する運用情報を通信装置１００−２に継承させる場合、通信装置１００−１が特定の状態（スリープ状態等）に遷移するまでの時間を短くすることが可能となる。
【０４５７】
特定の状態への状態遷移に際して、スリープ動作等の主体は（実行部）、スリープ動作等の主体（通信装置１００が備える機器）の運用情報を、スリープ動作等の主体とは独立している外部に保管することによって、動作を継承することが可能となる。特定の状態は、例えば、スリープ状態、運用系の通信装置１００の切替状態、ユーザ収容切替状態、マルチキャスト状態である。運用情報が通信装置１００の外部に保持されているため、他の通信装置１００への切替に際して、スリープ動作等の継承性が失われないようにすることが可能となる。通信装置１００は、機器が保持している情報の継承性を確保することが可能となる。
【０４５８】
また、通常の汎用化、ソフトウェア化したスイッチを実行部として流用することによって、汎用化、ソフトウェア化したスイッチの安価且つ柔軟かつ迅速な機能追加が可能なＯＬＴを実現することが可能となる。
【０４５９】
以上示した通り、実施形態１−１は、指示部と実行部を分離配置することで、機器の保持する情報の継承性をスリープ、切替、ユーザ／収容替に要する時間を長大化することなく可能とする。
【０４６０】
以上示した実施形態１−１に係る構成は、以下の実施形態でも同様であり、適宜組み合わせてもよい。例えば、図１４では、本システムが、実行部の構成が送受信部１１（ＴＲｘ）、スイッチ部１２及びスイッチ部１３のみの場合を例示するが、送受信部１１（ＴＲｘ）、スイッチ部１２及びスイッチ部１３以外の箇所、それ以外の場所、ＰＯＮの終端する箇所や、制御部１４を実行部としてもよい。
【０４６１】
（実施形態１−２）
実施形態１−１ではＴＷＤＭ−ＰＯＮに用いられる構成を例示したが、ＴＤＭ−ＰＯＮに適用してもよい。ＴＤＭ−ＰＯＮでは、λ設定切替（ＤＷＡ）のようなＯＮＵの間ＯＮＵ−ＯＬＴのＰＯＮ区間の波長リソースを波長分割多重する機能を備えていなくてもよいことを除けば実施形態１−１と同様である。
【０４６２】
（実施形態１−３）
実施形態１−１ではＴＷＤＭ−ＰＯＮに用いられる構成を例示したが、ＷＤＭ−ＰＯＮに適用してもよい。ＷＤＭ−ＰＯＮでは、ＤＢＡのようなＯＮＵの間ＯＮＵ−ＯＬＴのＰＯＮ区間の帯域リソースを時分割多重する機能を備えていなくてもよいことを除けば、実施形態１−３は実施形態１−１と同様である。
【０４６３】
（実施形態１−４）
ＯＦＤＭ()−ＰＯＮ、ＣＤＭ−ＰＯＮ、ＳＣＭ−ＰＯＮ、芯線分割多重を含めた組み合わせ
実施形態１−１ではＴＷＤＭ−ＰＯＮに用いられる構成を例示したが、波長と時間以外のリソースを共用するＰＯＮに適用してもよい。例えば、１波長の電気の周波数リソースを分割多重するＯＦＤＭ(orthogonal frequency-division multiplex)−ＰＯＮ、１波長の電気の周波数リソースを分割多重するＳＣＭ(Subcarrier Multiplexing)−ＰＯＮ、符号で分割多重するＣＤＭ(Code Division Multiplex)−ＰＯＮに適用してもよいし、芯線分割多重を併用してもよいし、マルチコアファイバ等を用いた空間分割多重を併用してもよいし、波長分割多重を用いなくてもよい。ＴＷＤＭ−ＰＯＮの波長リソースを波長分割多重する機能を、それぞれの多重するリソースに分割多重するに要する機能に対応する機能に読み替えれば同様である。
【０４６４】
（実施形態２）
実施形態２では、ＴＷＤＭ−ＰＯＮに用いられる構成が、ＧＥＭカプセル化を行う。この場合、ＧＥＭフレームを生成するアダプタをスイッチに備え、スイッチとそれ以外の部分の間でＧＥＭフレームを導通するようにする。ＧＥＭカプセル化までスイッチに移管することで、それ以外の部分のプロトコルスタックからＬ２機能部を除外し、スイッチとそれ以外の部分で、Ｌ２機能部の重畳を回避することができる。
【０４６５】
なお、ＴＷＤＭ−ＰＯＮを例に挙げたが、実施形態１−２〜実施形態１−４のように、ＰＯＮ区間での識別するためのフレームを同様に扱えばそれ以外のＰＯＮであっても同様の効果が得られる。例えば、ＩＥＥＥの規格のＧＥ−ＰＯＮ、１０ＧＥ−ＰＯＮ等であれば、ＧＥＭフレームの代わりに、ＬＬＩＤを付与してＬＬＩＤの付与されたフレームをスイッチとそれ以外の部分の間を導通するようすればよい。
【０４６６】
（実施形態３）
実施形態３では、ＴＷＤＭ−ＰＯＮに用いられる制御情報が、スイッチを経由する。この場合、ブリッジ機能関連をスイッチに移管する代わりに、制御情報を保持するＰＬＯＡＭ、Ｅｍｂｅｄｄｅｄ  ＯＡＭ、ＯＭＣＩのいずれかを必要に応じてフレーム化してスイッチ経由で処理する。制御情報をスイッチ経由で入出力することで、スイッチ以外の処理が軽くなる効果がある。なお、実施形態３の移管に加えて、実施形態１及び実施形態２のブリッジ機能のスイッチへの移管を行ってもよい。
【０４６７】
なお、ＴＷＤＭ−ＰＯＮを例に挙げたが、制御情報を同様に扱いスイッチ経由で処理すれば、実施形態１−２〜実施形態１−４のように、それ以外のＰＯＮであっても同様の効果が得られる。
【０４６８】
上述した実施形態における通信装置の少なくとも一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【０４６９】
以上、この発明の実施形態について図面を参照して詳述してきたが、具体的な構成はこの実施形態に限られるものではなく、この発明の要旨を逸脱しない範囲の設計等も含まれる。
【符号の説明】
【０４７０】
１…通信システム、１ａ…ＯＳＵ、２ａ…ＯＳＵ、１１…送受信部、１２…スイッチ部、１３…スイッチ部、１４…制御部、１５…プロキシ部、１６…外部サーバ、２１…機器無依存ＡＰＩ、２２…機器無依存ＡＰＩ、２３…機器依存ＡＰＩ、２４…機器依存ＡＰＩ、２５…機器依存ＡＰＩ、２６…ＡＰＩ、２７…機器無依存ＡＰＩ、１００…通信装置、１０１…ＯＳＵパッケージ部、１０２…ＰＯＮポート部、１１０…機器依存部、１１１…ハードウェア部、１１２…ハードウェア部、１１３…ソフトウェア部、１１４…ＯＡＭ部、１１４ａ…エンベデッドＯＡＭエンジン、１１４ｂ…ＰＬＯＡＭエンジン、１１５…ＮＥ管理・制御部、１１５ａ…ＮＥ管理部、１１５ｂ…ＮＥコントロール、１２０…ミドルウェア部、１３０…機器無依存アプリ部、１３１…拡張機能部、１３２…基本機能部、１３３…管理・制御エージェント部、１４０…ＥＭＳ、１４１…記憶制御部、１４２…機器制御部、１５０…機器依存アプリ部、２００…記憶装置、２１０…保持部、２２０…メモリ、３００…ＰＯＮ主信号処理機能部、３１０…ＰＭＤ部、３２０…ＰＯＮアクセス制御機能部、３３０…保守運用機能部、３４０…Ｌ２主信号処理機能部、３５０…ＰＯＮマルチキャスト機能部、３６０…省電力制御機能部、３７０…周波数・時刻同期機能部、３８０…プロテクション機能部
【図１】
2017143440.tif 000003
【図２】
2017143440.tif 000004
【図３】
2017143440.tif 000005
【図４】
2017143440.tif 000006
【図５】
2017143440.tif 000007
【図６】
2017143440.tif 000008
【図７】
2017143440.tif 000009
【図８】
2017143440.tif 000010
【図９】
2017143440.tif 000011
【図１０】
2017143440.tif 000012
【図１１】
2017143440.tif 000013
【図１２】
2017143440.tif 000014
【図１３】
2017143440.tif 000015
【図１４】
2017143440.tif 000016
【図１５】
2017143440.tif 000017
【図１６】
2017143440.tif 000018
【図１７】
2017143440.tif 000019
【図１８】
2017143440.tif 000020
【図１９】
2017143440.tif 000021
【図２０】
2017143440.tif 000022
【図２１】
2017143440.tif 000023
【図２２】
2017143440.tif 000024
【図２３】
2017143440.tif 000025
【図２４】
2017143440.tif 000026
【図２５】
2017143440.tif 000027
【図２６】
2017143440.tif 000028
【図２７】
2017143440.tif 000029
【図２８】
2017143440.tif 000030
【図２９】
2017143440.tif 000031
【図３０】
2017143440.tif 000032
【図３１】
2017143440.tif 000033
【図３２】
2017143440.tif 000034
【図３３】
2017143440.tif 000035
【図３４】
2017143440.tif 000036
【図３５】
2017143440.tif 000037